(57)【要約】本発明は、コンドームを開梱するための方法および装置に関する。本発明の方法に関して、装置の一部は手に保持されており、一方で、装置のもう１つの部分は、コンドームの少なくとも一部が解放されるまで、コンドームによって規定された平面内で前者の部分に対して変位される。当該変位は、装置の保持可能部分を保持する手の指によって行われる。コンドームを開梱するための装置は、装置を片手で保持するのに適した基部、コンドームを内部に保持したコンドームホルダー、および、当該基部に接続されており、コンドームを内部に保持したコンドームホルダーを内包している膜からなる。コンドームホルダーは、基部に対して滑り案内変位に適合されている。本発明に係る装置は、コンドームホルダーに接続されている、かつ、基部を保持している手の指によって基部に対して滑り案内変位に適合されているキーを備えている。
2009519804.tif 000002
【特許請求の範囲】
【請求項１】
ホルダーによって保持され、かつ、開梱装置内に水平に設置され収容されたコンドームを開梱するための方法であって、
上記開梱装置における一部をユーザーの片手に保持する段階；および
上記コンドームにおける少なくとも一部が分離するまで、上記開梱装置における他の部分を上記保持可能部分に対して変位させる段階；を含み、
上記保持可能部分を保持する手の１本の指を用いて上記変位が行われ、
変位方向の反対方向に向けて上記指を上記装置に押し付けることによって、上記指と上記装置における上記変位可能部分とが機械的に結合することを特徴とする方法。
【請求項２】
上記指を上記装置における上記変位可能部分に押し付けることによって、上記指と上記装置における上記変位可能部分とが機械的に結合することを特徴とする請求項１に記載の方法。
【請求項３】
上記変位が線形であることを特徴とする請求項１に記載の方法。
【請求項４】
上記開梱装置における上記他の部分を変位させる段階の間に、上記変位可能部分が上記装置の内側に移動することを特徴とする請求項１に記載の方法。
【請求項５】
上記開梱装置における上記他の部分を変位させる段階の間に、上記変位可能部分が上記装置の外側に移動することを特徴とする請求項１に記載の方法。
【請求項６】
上記開梱装置における上記他の部分を変位させる段階の間に、上記変位可能部分が上記手の親指によって変位され、一方で、上記装置における上記保持可能部分が当該親指以外の指によって保持されることを特徴とする請求項１に記載の方法。
【請求項７】
上記開梱装置における上記他の部分を変位させる段階の間に、上記親指以外の指によって上記保持可能部分を掌に押し付け、一方で、上記親指が上記変位可能部分を掌から離すように移動させることを特徴とする請求項６に記載の方法。
【請求項８】
上記開梱装置における上記一部を保持する段階が、手で上記装置を保持するのに適した上記装置における基部を保持することを含み、
上記開梱装置における当該他の部分を変位させる段階が、コンドームを内部に保持したホルダーを上記基部に対して変位させることを含んでおり、
当該変位は、上記ホルダーに接続されたキーに作用することによって影響を受けることを特徴とする請求項１〜７のいずれか１項に記載の装置。
【請求項９】
ホルダー内に保持されたコンドームを備えたホルダーが変位する間に、上記ホルダーを少なくとも部分的に内包している上記膜が裂け、上記膜が上記基部に接着されていることを特徴とする請求項８に記載の方法。
【請求項１０】
上記開梱装置における当該一部を保持する段階が、手で上記装置を保持するのに適した上記装置における基部を含んでおり、
上記開梱装置における当該他の部分を変位させる段階が、コンドームを内部に保持したホルダーに覆われている上記装置の部分を変位させること含むことを特徴とする請求項１〜７のいずれか１項に記載の方法。
【請求項１１】
コンドームを内部に保持する上記ホルダーに覆われた上記部分を移動させることによって膜が裂け、膜が上記部分に接着され、かつ、膜において、コンドームを内部に保持したホルダーが少なくとも部分的に内包されていることを特徴とする請求項１０に記載の方法。
【請求項１２】
伸縮性のある素材でできた層を通して押圧することによって上記変位が行われることを特徴とする請求項１に記載の方法。
【請求項１３】
上記指を上記装置における上記保持可能部分の範囲に押し付けることによって、上記指と上記装置における上記変位可能部分との間に機械的な結合が生じ、当該範囲は上記指の変位方向に対する逆側から変位可能部分上において装置と隣接することを特徴とする請求項１または１２に記載の方法。
【請求項１４】
当該変位の間に、上記キーに作用する当該指の力ベクトルが、上記コンドームによって規定された上記平面の横にある平面内部に残ることを特徴とする請求項８に記載の方法。
【請求項１５】
当該変位の間に、上記キーに作用する当該指の力ベクトルが、上記コンドームによって規定された平面内部に残ることを特徴とする請求項８に記載の方法。
【請求項１６】
コンドームを開梱するための装置であって、
当該装置は、装置を手で保持するのに適した基部、コンドームを内部に保持したコンドームホルダー、および、上記基部に接続されているか、または、上記基部によって少なくとも部分的に構成されている膜からなり、
当該装置において、上記コンドームが水平に設置されているため上記コンドームが平面を規定しており、上記コンドームホルダーが、コンドームによって規定された平面内において上記基部に対して滑り案内変位に適合されており、上記膜は、上記コンドームを内部に保持した上記コンドームホルダーを少なくとも部分的に内包しており、
上記基部を基準とした上記ホルダーの変位が上記キーに作用する手の指によって行われるように、当該装置が、上記コンドームホルダーと結合可能であり、かつ、上記基部を保持する上記手の指によって作用されるのに適したキーを備えることを特徴とする装置。
【請求項１７】
上記基部は、案内路として使用される溝を備えており、上記膜が上記箱内に収容され、さらに接着されており、上記溝内に変位可能に収容された部品によって上記ホルダーが上記キーと結合し、上記キーが上記箱の外側に設置されていることを特徴とする請求項１６に記載の方法。
【請求項１８】
上記箱が開口端を備えていることを特徴とする請求項１７に記載の装置。
【請求項１９】
上記箱における１つの開口端がフラップを備えていることを特徴とする請求項１７に記載の装置。
【請求項２０】
上記箱は、石鹸箱の部品のように互いに接続された２つの部品からなることを特徴とする請求項１７に記載の装置。
【請求項２１】
上記箱は、２つの部品の間に形成されている上記溝を備えた上記２つの部品からなることを特徴とする請求項１７に記載の装置。
【請求項２２】
上記基部は格子枠として形成されており、当該格子枠に上記膜が接続されていることを特徴とする請求項１７に記載の装置。
【請求項２３】
上記基部は、上記膜の縁に配置されたＵ型枠またはＯ型枠のいずれかを含むことを特徴とする請求項１６に記載の装置。
【請求項２４】
上記枠は、上記膜に接着されており、かつ、上記コンドームによって規定された上記平面に対して平行に配置されていることを特徴とする請求項２３に記載の装置。
【請求項２５】
上記基部は、上記膜の上記縁に沿って延伸するＵ型部材を備えており、
上記基部において、上記Ｕ型部材の内側がホルダーと対向していることを特徴とする請求項１６に記載の装置。
【請求項２６】
上記Ｕ型部材が上記膜の縁に接着されており、上記キーが上記Ｕ型部材の逆にある上記膜の側面上に設置されており、上記ホルダーが上記Ｕ型部材における内側に支えられており、上記ホルダーが、Ｕ型部材によって可能となる方向に滑動するように適合されていることを特徴とする請求項２５に記載の装置。
【請求項２７】
上記基部はＬ型枠からなり、
上記基部において上記Ｕ型部材は上記Ｌ型枠における１つのヨークからなり、かつ、上記膜は上記Ｌ型枠における他のヨークに接着されていることを特徴とする請求項２５に記載の装置。
【請求項２８】
上記基部は、上記コンドームによって規定された上記平面の両側に２枚の板を備えており、上記膜は、当該板の間に設置されていることを特徴とする請求項１６に記載の装置。
【請求項２９】
当該板は上記膜に接着されており、上記キーがその間に設置されていることを特徴とする請求項２８に記載の装置。
【請求項３０】
上記Ｕ型部材は、上記板の縁にそって上記板に接続されることを特徴とする請求項２８に記載の装置。
【請求項３１】
上記基部が板からなることを特徴とする請求項１６に記載の装置。
【請求項３２】
上記板が、上記コンドームによって規定された平面に対して平行に配置されており、上記膜が当該板に接着されており、上記キーが当該板に対して装置の逆側に設置されていることを特徴とする請求項３１に記載の装置。
【請求項３３】
上記基部は、管が形成されるように両端にフランジを備えた三角シートを備えており、上記管は、上記装置における一表面上に溝が設置されるようになっており、上記内包されたホルダーおよび上記ホルダー内部に保持されたコンドームを備えた上記膜は、上記管内部に収容されていることを特徴とする請求項１６に記載の装置。
【請求項３４】
上記膜が、少なくとも１枚のシートでできた包装であることを特徴とする請求項１６に記載の装置。
【請求項３５】
上記膜が、縁において互いに接続された２枚のシートでできた包装であることを特徴とする請求項３４に記載の装置。
【請求項３６】
上記膜が、接続された縁を備えた折り畳みシートでできた包装であることを特徴とする請求項３４に記載の装置。
【請求項３７】
薄膜のシートが、上記板における縁に接着されており、コンドームを内部に備えた上記ホルダーが、上記板と上記シートとの間に設置されていることを特徴とする請求項３１に記載の装置。
【請求項３８】
上記基部が、上記コンドームによって規定され、かつ、接続部によって接続された上記平面における両側に設置された２枚の板を含んでおり、上記板の間の間隙が伸縮性のある素材でできた１枚のシートによって覆われており、上記コンドームを備えたホルダーが上記板の間に収容されていることを特徴とする請求項１６に記載の装置。
【請求項３９】
上記基部が、フランジによって３面を規定された板状底部を備えたトレイとして形成されており、
上記基部において、薄膜のシートが上記トレイの縁に沿って接着されており、上記コンドームを備えたホルダーが、上記シートの下の上記トレイ内に収容されていることを特徴とする請求項１６に記載の装置。
【請求項４０】
上記キーが、上記膜によって規定されておりかつ上記膜を通過する部分によって上記ホルダーに接続されている上記間隙の外側に少なくとも部分的に設置されていることを特徴とする請求項１６〜３９のいずれか１項に記載の装置。
【請求項４１】
上記キーと上記ホルダーとが接続している上記部分が、上記シート素材でできた２枚の層の間に延伸していることを特徴とする請求項４０に記載の装置。
【請求項４２】
上記膜からの出口において、上記キーおよびホルダーを接続させる当該部分が、互いに対向する２つの鋭角を備える横断面を有することを特徴とする請求項４１に記載の装置。
【請求項４３】
上記キーおよびホルダーを接続させる当該部分が、上記膜のシートにおける開口部を通過しており、
当該部分において、当該開口に隣接する上記シートの範囲が上記キーと上記ホルダーとの間に固定されていることを特徴とする請求項４０に記載の装置。
【請求項４４】
上記キーが、上記膜によって規定された上記間隙内に設置されていることを特徴とする請求項１６〜３９のいずれか１項に記載の装置。
【請求項４５】
上記膜が、弱くしたラインを備えることを特徴とする請求項４０に記載の装置。
【請求項４６】
上記膜が、少なくとも２層を含むシート素材でできており、当該層の１つが薄く丈夫で貫通できないものであり、もう１層はより強度が高く、かつ、弱くしたラインを備えるものであることを特徴とする請求項４１〜４３および４５のいずれか１項に記載の装置。
【請求項４７】
上記弱くしたラインが、変位の際に上記キーおよびホルダーによって形成された、上記経路に沿って延伸していることを特徴とする請求項４１〜４３および４５のいずれか１項に記載の装置。
【請求項４８】
上記弱くしたラインが、開梱の際に上記ホルダーが上記膜から突出している、上記膜の端に設置されていることを特徴とする請求項４１〜４３および４５のいずれか１項に記載の装置。
【請求項４９】
上記キーが、上記膜によって規定された上記間隙の外側に少なくとも部分的に設置されており、
当該キーにおいて、上記キーとホルダーとを接続させる上記部分に近接した上記膜の範囲が当該部分に接着されており、上記基部に接続された上記膜の範囲から、弱くしたラインによって分離されていることを特徴とする請求項４５に記載の装置。
【請求項５０】
上記膜は、開梱の際に上記ホルダーが上記膜から突出する上記膜の端に設置された、弱くしたラインを備えていることを特徴とする請求項４４に記載の装置。
【請求項５１】
上記ホルダーとキー接続との間の上記接続が固定されたものであることを特徴とする請求項１６〜３９のいずれか１項に記載の装置。
【請求項５２】
上記膜が密封されていることを特徴とする請求項１６〜３９のいずれか１項に記載の装置。
【請求項５３】
上記変位によって、上記コンドームにおける上記表面が上記コンドームを装着するのに十分な程度露出することを特徴とする請求項１６〜３９のいずれか１項に記載の装置。
【請求項５４】
上記変位によって、上記コンドームにおける上記下部が上記コンドームを装着するのに十分な程度露出することを特徴とする請求項１６〜３９のいずれか１項に記載の装置。
【請求項５５】
上記装置は、上記ホルダーが突発的に変位することを防止または阻止するための構造を備えることを特徴とする請求項１６〜３９のいずれか１項に記載の装置。
【請求項５６】
上記基部は、上記ホルダーに対する案内路として使用される溝を備えた板を含んでおり、上記ホルダーは突出部からなり、当該突出部は、当該溝内に変位可能に収容されており、かつ、当該突出部が上記溝から離れないように、上記板における逆側において上記ホルダーに対して突起を備えることを特徴とする請求項１６〜３９のいずれか１項に記載の装置。
【請求項５７】
上記装置の少なくとも１つの側面が、上記コンドームによって規定された上記平面に対して平行であるか、または、−４５°から＋４５°の間の角度で傾斜していることを特徴とする請求項１６〜３９のいずれか１項に記載の装置。
【請求項５８】
上記装置の少なくとも１つの側面が、上記コンドームによって規定された上記平面に対して垂直であるか、または、１３５°から＋４５°の間の角度で傾斜していることを特徴とする請求項１６〜３９のいずれか１項に記載の装置。
【請求項５９】
上記ホルダーは、開口中空リングからなり、当該リングは、当該リングの内径に沿って延伸している成形溝を備えており、当該ホルダーにおいて、上記コンドームが上記溝内に収容されていることを特徴とする請求項１６〜３９のいずれか１項に記載の装置。
【請求項６０】
上記ホルダーが、Ｕ型横断面を備える円周部を有する開口リングを含むことを特徴とする請求項１６〜３９のいずれか１項に記載の装置。
【請求項６１】
上記装置が容器に収容されていることを特徴とする請求項１６〜３９のいずれか１項に記載の装置。
【請求項６２】
上記キーが、上記コンドームによって規定された上記平面において上記ホルダーに対して移動することを特徴とする請求項１６に記載の装置。
【請求項６３】
上記装置は、上記ホルダーが上記キーよりも長い距離を移動するための構造を備えていることを特徴とする請求項１６に記載の装置。
【請求項６４】
上記ホルダーおよび基部が、上記キーと結合しているクロスバーの上方を通過するケーブルに接続されていることを特徴とする請求項６３に記載の装置。
【請求項６５】
上記キーが、上記基部に支えられた台座上に設置されていることを特徴とする請求項１６〜３９のいずれか１項に記載の装置。
【請求項６６】
上記基部が、上記膜内に収容されていることを特徴とする請求項１６〜３９のいずれか１項に記載の装置。
【請求項６７】
上記膜は、包装によって構成されており、上記基部は、上記コンドームによって規定された上記平面に対して平行な上記包装内に収容されている板によって構成されていることを特徴とする請求項６６に記載の装置。
【請求項６８】
上記ホルダーは、上記ホルダーによって保持された上記コンドームの外側を少なくとも部分的に覆っているフタを備え、当該フタは上記キーとして使用されることを特徴とする請求項１６〜３９のいずれか１項に記載の装置。
【請求項６９】
上記フタが上記膜に接続されている、または、上記膜の一部からなることを特徴とする請求項６８に記載の装置。
【請求項７０】
上記フタは、上記ホルダー上に枢動可能に設置されることを特徴とする請求項６８に記載の装置。
【請求項７１】
上記キーは、上記ホルダーから分離しており、押圧部を備えており、かつ、上記押圧部と上記ホルダーとが結合するように設置されていることを特徴とする請求項１に記載の方法。
【請求項７２】
上記キーは、ホルダーから分離しており、かつ、上記ホルダーとの結合に適した押圧部を備えていることを特徴とする請求項１６に記載の装置。
【請求項７３】
上記基部が案内路として使用される溝を備えた箱を含んでおり、上記膜が当該箱内に収容および接着されており、上記キーが上記溝内に変位可能に収容されており、上記キーの少なくとも一部が上記箱の外側にあり、上記溝の幅が上記キーの幅以上であることを特徴とする請求項１６に記載の装置。
【請求項７４】
上記基部は、上記ホルダーを備えた箱および当該箱内部に収容された案内路からなり、当該案内路は、箱の１つの壁における溝、および、互いに対向し、当該壁並びに上記箱における他の２つの壁に沿って上記溝の両側を連続して通過している２つの溝を備えており、
上記基部において、上記ホルダーは、縁が上記２つの溝内に収容された伸縮性のある帯板によって、当該帯板が上記２つの溝に沿って変位するように上記キーに接続されており、
上記キーは、上記箱における外部側面に設置されており、上記溝内に変位可能に収容された部分によって当該帯板に接続されることを特徴とする請求項１６に記載の装置。
【請求項７５】
上記基部は、板内部に形成されている２つの溝を備えた板を含み、当該溝は案内路の機能を果たし、上記ホルダーは拡張可能であり、当該溝に変位可能に収容されたピンを含むことを特徴とする請求項１６に記載の装置。
【請求項７６】
上記ホルダーは、伸縮性のある横木を備えることを特徴とする請求項７５に記載の装置。
【請求項７７】
上記ホルダーの拡張性は、上記ホルダーを開口リングとして形成することによって提供され、上記溝は、１つの側面において互いに向かって収束していることを特徴とする請求項７６に記載の装置。
【請求項７８】
上記基部は、内部に溝が形成され、かつ、上記板が収容されている箱を含んでおり、上記箱内に形成される上記溝は、上記板内に形成される上記溝より長いことを特徴とする請求項７６に記載の装置。
【請求項７９】
上記基部は、底部を有するトレイからなり、当該底部はフランジによって３つの面を規定された中央溝を備える板として形成されており、かつ、案内路としての役割を果たしており、
上記基部において上記ホルダーは拡張開口リングによって形成され、上記開口リングは上記溝内に収容され、ケーブルによって上記フランジにおける２つの逆側面に接続されていることを特徴とする請求項１６に記載の装置。
【請求項８０】
上記ホルダーは、グリップおよび当該グリップとの接続部を含んでおり、当該グリップはコンドームにおける上記縁を把持するために使用されており、当該接続部は少なくとも部分的に弾性を備えており、
上記ホルダーは、上記コンドームが設置されうる上記間隙を少なくとも部分的に規定し、２つの形態の間の上記接続部を変形させるのに適しており、
上記第１の形態において上記間隙が収縮し、かつ、上記第２の形態において上記間隙が拡大しており、さらに、上記第１の形態において上記接続部の少なくとも一部が変形し第２の形態に転換する傾向があり、かつ、上記第２の形態において上記変形が少なくとも部分的に解放されることを特徴とする請求項１６に記載の装置。
【請求項８１】
上記装置が、上記第１の形態において上記ホルダーを保持するための保持手段を備えていることを特徴とする請求項８０に記載の装置。
【請求項８２】
上記第１の形態における上記ホルダーを保持するための上記保持手段は、１つの開口端を有する箱であり、上記ホルダーが当該箱に収容されていることを特徴とする請求項８１に記載の装置。
【請求項８３】
上記箱は溝を備えており、上記ホルダーは当該溝に収容された部分によって上記ホルダーに変位可能に接続されたキーを備えており、上記キーは上記箱の外側にあることを特徴とする請求項８２に記載の装置。
【請求項８４】
上記装置が、上記第２の形態において上記ホルダーを保持するための上記保持手段を備えていることを特徴とする請求項８０に記載の装置。
【請求項８５】
上記装置が、上記第１の形態において上記ホルダーを保持するための手段を備えており、かつ、上記第２の形態において上記ホルダーを保持するための手段を備えていることを特徴とする請求項８０に記載の装置。
【請求項８６】
上記第１の形態における上記ホルダーを保持するための保持手段は、溝を備えた箱であって、上記第２の形態における上記ホルダーの保持手段は、上記ホルダーを内包し、かつ、当該箱に変位可能に接続されたリングであって、上記ホルダーは、上記溝内に変位可能に収容された部分によって上記ホルダーに接着されているキーを備えており、当該キーは、上記箱の外側にあることを特徴とする請求項８５に記載の装置。
【請求項８７】
上記装置は、２つの対向する弾性部材を備えており、当該弾性部材における各々の一端は上記ホルダーに、さらに各々のもう一端は上記基部に接続されていることを特徴とする請求項１６に記載の装置。
【請求項８８】
上記基部は、上記コンドームによって規定された上記平面に対して平行に設置された板を含んでおり、
上記基部において、上記膜は当該板に接着されており、上記キーは当該板に対して上記装置の逆側面上にあることを特徴とする請求項８７に記載の装置。
【請求項８９】
上記基部は、案内路として使用される溝を有する箱を含んでおり、上記膜は当該箱内に収容および接着されており、上記ホルダーは当該溝内に変位可能に収容された部分によって上記キーに接続されており、上記キーは当該箱の外側にあることを特徴とする請求項８７に記載の装置。
【請求項９０】
上記装置は、上記コンドームを内部に保持した上記コンドームホルダーが設置されているトレイを備えており、当該トレイは、上記コンドームによって規定された上記平面内において上記基部に対して滑り案内変位に適合されており、
上記装置はキーをも備えており、当該キーは、上記コンドームホルダーに接続されており、上記トレイの変位が、上記キーに作用する上記手の指によって上記基部に対して行われるように、当該キーは、上記基部を保持する上記手の指によって作用するのに適していることを特徴とする請求項１６に記載の装置。
【請求項９１】
上記基部は、１つの開口端を備える箱からなり、案内路として使用される溝を備えており、当該箱内に収容されたトレイを備えていることを特徴とする請求項９０に記載の装置。
【請求項９２】
上記トレイは、上記溝内に変位可能に収容された部分によって上記キーに接続されており、上記キーは上記箱の外側にあることを特徴とする請求項９１に記載の装置。
【請求項９３】
上記ホルダーは、上記溝内に変位可能に収容された部分によって上記キーに接続されており、上記キーは上記箱の外側にあることを特徴とする請求項９１に記載の装置。
【請求項９４】
上記溝は、伸縮性のある素材でできたシートによって覆われていることを特徴とする請求項９１に記載の装置。
【請求項９５】
上記トレイは、フランジによって３つの面が規定された板状の底部を有することを特徴とする請求項９０に記載の装置。
【請求項９６】
上記トレイは、フランジによって４つの面すべてが規定された板状の底部を有することを特徴とする請求項９０に記載の装置。
【請求項９７】
薄膜のシートは、上記トレイにおける縁に接着されており、コンドームを内部に保持した上記ホルダーは、当該シートの下にある上記トレイ内に設置されていることを特徴とする請求項９５または９６のいずれか１項に記載の装置。
【請求項９８】
上記箱は、互いが石鹸箱の部品のように接続されている２つの部品からなることを特徴とする請求項９１に記載の装置。
【請求項９９】
コンドームを備えた上記ホルダーが少なくとも部分的に収容されている上記膜は、上記トレイに接着されていることを特徴とする請求項９０に記載の装置。
【請求項１００】
コンドームを備えた上記ホルダーが少なくとも部分的に収容されている上記膜は、上記トレイによって部分的に形成されていることを特徴とする請求項９０に記載の装置。
【請求項１０１】
上記膜は、少なくとも１枚のシートでできた包装であることを特徴とする請求項９０に記載の装置。
【請求項１０２】
上記膜は、縁において互いに接続された２枚のシートでできた包装であることを特徴とする請求項９０に記載の装置。
【請求項１０３】
上記膜は、接続された縁を備える、折り畳まれた１枚のシートでできた包装であることを特徴とする請求項９０に記載の装置。
【請求項１０４】
上記膜は、弱くしたラインを備えていることを特徴とする請求項１９９〜１０３のいずれか１項に記載の装置。
【請求項１０５】
上記膜は、少なくとも２層を含むシート素材からなり、当該層の１つは薄く丈夫で貫通できないものであり、当該層のもう１つはより強度が高く、かつ、弱くしたラインを備えていることを特徴とする請求項９９〜１０３のいずれか１項に記載の装置。
【請求項１０６】
上記ホルダーは、成形溝を備えた開口中空リングからなり、当該成形溝はリングの内径に沿って延伸しており、上記コンドームは、当該溝内に収容されていることを特徴とする請求項９０に記載の装置。
【請求項１０７】
上記ホルダーは、上記コンドームを保持するための内向き把持部を備えた平らな開口リングであることを特徴とする請求項９０に記載の装置。
【請求項１０８】
上記ホルダーは、上記リングが拡張可能であるように構成されていることを特徴とする請求項１０７に記載の装置。
【請求項１０９】
上記リングは、ロッドおよび当該ロッドの端に接続されたＣ型枠からなり、上記ホルダーはレバーを備えており、当該レバーのより大きいアームは当該枠によって形成されており、上記軸は当該ロッドの端上に配置されており、上記拡張は当該レバーが変位することによって行われることを特徴とする請求項１０８に記載の装置。
【請求項１１０】
上記ホルダーはＵ型であり、当該ホルダーの内側が、内部に保持された上記コンドームに対向しており、かつ、上記コンドームを内包していることを特徴とする請求項９０に記載の装置。
【請求項１１１】
上記ホルダーは、２本のひもを備えており、当該ひもは、片端が上記ホルダーにそれぞれ接着されており、もう１つの端は上記コンドームにおける外面に沿って延伸しており、上記コンドームとともに巻かれていることを特徴とする請求項１１０に記載の装置。
【請求項１１２】
上記ホルダーは、上記膜を通過する部分を含むことを特徴とする請求項９０〜１１１のいずれか１項に記載の装置。
【請求項１１３】
ホルダーによって保持されたコンドームを開梱するための装置であって、
当該装置は基部、コンドームが水平に配置され内部に保持されているホルダー、および上記基部に接続され、かつ、上記ホルダーおよび内部に保持されたコンドームを少なくとも部分的に内包している膜からなり、
当該装置において、上記ホルダーは、上記コンドームによって規定された平面において案内変位のために上記基部に対して変位可能に設置されており、
上記装置は、上記基部に設置された軸を有する少なくとも１つのレバーをさらに備えており、上記レバーは手の少なくとも１本の指によって作用しうるように上記ホルダーに接着されており、上記基部を基準としたホルダーの上記変位が、当該指を用いてレバーに作用することによって行われることを特徴とする装置。
【請求項１１４】
上記基部は、少なくとも１つの開口部を備えた箱からなり、当該開口部を通って上記レバーが指によって作用しうるものであり、さらに当該基部は、上記箱内に設置されており上記ホルダーにための案内路として使用される溝を備えた板、および、上記レバーを設置するための突起を備えており、
上記基部において、上記膜は上記箱内に設置されている、かつ、上記板に接着されており、上記ホルダーは上記膜を超えて延伸しているピンからなり、当該膜は、上記溝内に変位可能に収容されており、上記ホルダーから上記板における反対側に拡張部を備えており、上記ピンが上記溝から分離することを防止していることを特徴とする請求項１１３に記載の装置。
【請求項１１５】
伸縮性のある横木が、上記開口部における上記反対側の縁の間を通っており、上記箱は、上記開口部に設置されている切り込みを含むことを特徴とする請求項１１４に記載の装置。
【請求項１１６】
上記横木は、片手の指で作用するように設計されたリブ付き支持部を備えていることを特徴とする請求項１１５に記載の装置。
【請求項１１７】
上記箱は、１つの開口端を備えていることを特徴とする請求項１１４に記載の装置。
【請求項１１８】
上記レバーと上記ホルダーとの接続は、可撓性があることを特徴とする請求項１１３に記載の装置。
【請求項１１９】
上記レバーは、少なくとも部分的に可撓性があることを特徴とする請求項１１３に記載の装置。
【請求項１２０】
上記膜は、少なくとも１枚のシートでできた包装として形成されることを特徴とする請求項１１３に記載の装置。
【請求項１２１】
上記膜は、弱くしたラインを備えることを特徴とする請求項１２０に記載の装置。
【請求項１２２】
上記膜は、少なくとも２つの層を含むシート素材でできており、当該層の１つは薄く丈夫で貫通できないものであり、当該層のもう１つはより強度が高く、かつ、弱くしたラインを備えることを特徴とする請求項１２１に記載の装置。
【請求項１２３】
上記装置が、もう１つのレバーを備えていることを特徴とする請求項１１３〜１２２のいずれか１項に記載の装置。
【請求項１２４】
ホルダーによって保持されたコンドームを開梱するための装置であって、
当該装置は基部、コンドームが水平に配置され内部に保持されているホルダー、およびコンドームを内部に保持するホルダーを内包する膜を備えており、
手の指によって上記膜を通して上記ホルダーの外周を押圧する場合に、当該ホルダーの外周の少なくとも一部が、上記膜に対して滑動するのに適した先細り表面によって規定されることを特徴とする装置。
【請求項１２５】
上記表面は枠からなり、当該枠は、上記ホルダーの外周に沿って少なくとも部分的に上記ホルダーを内包しており、上記膜に収容されていることを特徴とする請求項１２４に記載の装置。
【請求項１２６】
上記装置は、上記膜に接続されているか、または、上記膜を部分的に形成している楔状のレストを含み、上記キーは、上記膜を通して上記キーを押圧することによって上記表面に対して変位に適合されていることを特徴とする請求項１２４に記載の装置。
【請求項１２７】
上記装置は、上記膜内に収容されたＶ型ブラケットを備えており、当該ブラケットはＵ型横断面を備えており、当該ブラケットは外側から上記ホルダーを内包していることを特徴とする請求項１２６に記載の装置。
【請求項１２８】
ホルダーによって保持され、かつ、開梱装置内に水平に設置され収容されたコンドームを開梱するための方法であって、
ユーザーの片手において当該装置を保持する段階；および
上記コンドームの少なくとも一部が分離するまで、当該装置の一部を、当該装置における残りの部分に対して変位させる段階；を含む方法であって、
上記装置を保持する手の１本の指を用いて、上記変位が行われ、
上記方法において、上記変位可能部分の変位方向に対して垂直な方向で上記指を上記装置に押し付けることによって、上記指と上記装置における上記変位可能部分との機械的相互作用が生成されることを特徴とする方法。
【請求項１２９】
上記ユーザーの手において上記装置を保持する段階は、ユーザーの指によって上記装置の基部およびレバーを保持することを含み、
上記変位の段階は、上記レバーを保持する指によって上記レバーに作用する段階を含み、上記レバーにおける上記軸は、上記基部上に設置されていることを特徴とする請求項１２８に記載の方法。
【請求項１３０】
上記ユーザーの手において上記装置を保持する段階は、上記ユーザーの指によってレバーを保持することを含み、当該レバーは、上記基部に枢動可能に接続されており、片手の指によって保持しており回転する間にホルダーに作用するように適合されており、
上記変位の段階は、上記同じ指をくっつけて動かすことによって上記レバーに作用することを含み、
上記方法において上記レバーにおける回転軸が上記基部上に設置されていることを特徴とする請求項１２８に記載の方法。
【請求項１３１】
上記ユーザーの手で上記装置を保持する段階は、上記手の指で保持するのに適合された上記膜を保持することを含み、
上記変位の段階は、上記指をくっつけて動かすことによってコンドームを内部に保持する上記ホルダーを、上記膜の外に押し出すことを含む請求項１２８に記載の方法。
【発明の詳細な説明】
【発明の詳細な説明】
【０００１】
〔技術分野〕
本発明は、バリア型避妊具に関するものであり、具体的には容器で保持されたコンドームを開梱する方法、および当該方法を用いた装置に関する。
【０００２】
〔背景技術〕
コンドームは天然ゴムあるいは他の素材でできた膜であり、陰茎を完全にあるいは部分的に被覆する。コンドームは、性感染症から保護するのに使用され、かつ／あるいは望まない妊娠から保護するのに使用される。図１に示した、従来のコンドームおよび陰茎亀頭のみを被覆するマイクロコンドームと呼ばれるものの両者がコンドームと考えられる。従来のコンドームは通常円筒状の膜であり、陰茎の全体を被覆し、一端が開口端、もう一端が閉口端である。
【０００３】
コンドームは、小型で使いやすくするために、通常リング状に巻かれている。実際、コンドームは、巻くのに従来用いられたのと反対方向にも巻かれうる。コンドームは、蛇腹状にされたり、あるいは折り畳まれたりされうる。保管する場合、コンドームは、一般に伸縮性のあるシート素材でできた包装加工された外皮に密封して、詰められる。シート素材は通常丈夫で、保管および運搬の間にコンドームを保護するのに十分な強度を備える（図２参照）。包装は、通常は例えば側面に切り込み、あるいは強度の低い部分、または、包装の一端から外側へ伸びた密封ひもといった、開梱を容易にするための手段を備える。開梱されると、コンドームは勃起した陰茎に装着され、陰茎の根元まで下げられる。
【０００４】
マイクロコンドームは、陰茎亀頭のみを被覆するため、広げる必要がない可能性がある。したがって、マイクロコンドームは、もし必要であれば、最小限広げればよい。
【０００５】
従来のコンドームの主な欠点は、コンドームを開梱し、装着するのに多大な時間と労力がかかるということにある。結果として、ユーザーの注意が性交から逸れる。
【０００６】
従来のコンドームを開梱するのに、包装を裂く必要がある。これを行うために、ユーザーは包装を調べ、開梱を容易にするために設計された手段（例えば切り込み）を見つけなければならず、さらに両手で切り込みの両側をつかみ、両側を別方向に引く必要がある。包装を見ずに開梱することは不可能である。開梱作業に集中する必要があり、その結果として性交から気が逸れる。さらに両手を使わねばならない。ユーザーはコンドームを装着するのに集中し、装着に両手を使用する必要がある。
【０００７】
しかし一般的に、ユーザーは片手のみ自由に使うことができ、もう片方の手は自分自身を支えたり、女性の頭の下に置いたりする（図３参照）。通例、ユーザーは自分の体勢を変えることなく、もう片方の手を自由にすることはできない。大抵、ユーザーが仰向けにならねばならないということである。そのような体勢変え、および片手を自由にする必要性により、ユーザーの意識が性交から逸れ、コンドームを装着するのに多大な時間がかかる主な原因となる。コンドームを装着するとき、ユーザーは一刻を争う。コンドーム包装の使用については、日常生活における他のどの包装品よりも、迅速、簡便、容易である必要がある。
【０００８】
必要である場合でさえ、コンドームを使用しない者がいる。この主な理由は、コンドームの装着に多大な時間と労力がかかること、および体勢を変えることにより、性交から気が逸れてしまうためである。
【０００９】
この問題が解決される場合、
ａ）コンドームの使用全体が増加する；その結果、
ｂ）危険性の高い性交を行っているにもかかわらず、コンドームを全く使用しない人、あるいは殆ど使用しない人の数が減少する。
【００１０】
このことが、ＨＩＶ感染問題の解決、および無制御の出生率増加（特に人口過多の発展途上国における）の減少に寄与しうる。
【００１１】
コンドームを保持するためのコンドームホルダーとして周知の装置は、多くの場合巻かれたコンドームの縁にある。装置により、ユーザーがコンドームホルダーを握り、コンドームを陰茎の先端部から下へ下げることにより装着することができる（図４参照）。この過程で、コンドームが陰茎の軸にそって広げられる（巻かれたコンドームが使用された場合）。
【００１２】
コンドームホルダーは、コンドームの外周に沿って延長されているコンドームを支える溝を備えた、切り込みのある中空リングでありうる。上記溝の形および位置は異なる（ＵＳ４７３８３５７、Ｍａｒｔｉｎ他、１９８８参照）。
【００１３】
ホルダーの内径がコンドームリングの内径よりも大きい、あるいは同じである場合、溝は外側へ開きうる。この場合、力がコンドームリングの中心に向かって生じ、この力によりこのリングが溝から飛び出さない。
【００１４】
この種のホルダーは下記の特許文献において開示されている。ＪＰ６１５４２６０（Ｔｏｓｈｉｈｉｒｏ、１９９４）、ＪＰ７３０８３３６（Ｔａｄａｓｈｉ、１９９５）、ＵＳ５５７９７８４（Ｈｉｒａｉ、１９９６）、ＤＥ１９６４１１０７（Ｒａａｂｅ，１９９８）、ＵＳ５４３７２８６（Ｓｔｒａｔｔｏｎ，１９９５）、ＦＲ２７５１８６９（Ｌｏｙｅｒ，１９９８）。
【００１５】
コンドームリング全体を包含するコンドームホルダー（例えば、ＵＳ５１６３４４９、ｖａｎ  ｄｅｒ  Ｖａｌｋ  １９９２参照）、あるいはＣ型またはＵ型の１つの切れ目を備えたコンドームホルダー（例えば、ＵＳ４８７５４９１、Ｐａｒｒｏｎｅ，１９８９参照）のいずれもまた周知である。ホルダーは、空間グリップを備えたコンドームリング（例えば、ＦＲ２７２７８５８、Ｖｅｇｅｇａ  １９９６参照）、あるいはリングの全周に連続的に沿ってコンドームリングを保持しうる。
【００１６】
巻かれたコンドームの縁を持つために他の手段も用いられる。例えば、コンドームリングは１対のローラーで保持される（例えば、ＷＯ９８０１０９５，Ｌｉｅｈｓ，１９９９参照）。
【００１７】
図５は、両手で持つための２部品で構成されているホルダーを示す（例えば、／０６９８６１，Ｖａｎ  Ｒｅｎｓｂｕｒｇ  ２００２参照）。
【００１８】
ホルダーによって保持されたコンドームは、巻かれたコンドームに従来用いられた方向、およびその逆方向の両方に、巻き上げられうる（例えば、ＵＳ５５４９１２０，Ｐｅｒｓｓｏｎ他、１９９６参照）。ホルダーの外周上に、コンドームが蛇腹状、あるいはその他の方法で折りたたまれうる（例えば、ＷＯ９３１９７０４，Ｗｈｅｅｌｅｒ，１９９３参照）。
【００１９】
さらに、ひも（図６参照）の使用により、コンドームを装着する過程が単純化されうる（例えば、ＵＳ４９３４３８２，Ｂａｒｏｎｅ，Ｊｒ．，１９９０参照）。２つ、あるいはまれに２つ以上のひもをコンドームに巻き込む。これらの手段は、上記ひもがコンドームを保持し装着するのを容易にするよう設計されているため、リボンホルダーと呼ばれる。コンドームが２本のひもを備える場合、ユーザーは陰茎にコンドームを付け、ひもを両手で持ち、コンドームを引き、陰茎に沿ってコンドームを下ろすということである。図７は、互いに接続されたひもを備えたリボンホルダーを示す（ＪＰ５８１８３１６１、Ｋｏｉｋｅ、１９８３参照）。
【００２０】
しかし、ひもがホルダーを実質形成する固定基盤に接続される場合を除き、これらのひもを用いて、コンドームを片手で持つのは容易ではない。例えば、ＷＯ９４０７４４４（Ｖａｎ  Ｋｅｍｐｅｎ他、１９９４）は、Ｕ型基盤に接続された２本のひもで構成されている（図８および９参照）。
【００２１】
ホルダーによって楽にコンドームを装着できる。実際、１つの部品からなるリジッドホルダーや、固定基盤に接続されたひもを備えたホルダーによって、ユーザーは片手で体勢を変えることなくコンドームを装着することができる。
【００２２】
しかし、これらのホルダーを用いても、開梱過程に関する問題は未解決のままである。ホルダーによって保持されたコンドームが、従来の手法、すなわち図２に示すようにソフトプラスチック包装で包装される場合、ユーザーは両手を使ってこの包装を開梱しなければならず、そのため片手を自由にし、体勢を変える必要がある。この不便さが、ホルダーの潜在的な利点を相殺する。
【００２３】
ＷＯ９６２９２６２（Ｋｕｒｓｎｅｒ，１９９６）、ＷＯ９２２０５９５（Ｆｏｒｓｔｅｒ他、１９９２）、およびＷＯ９５０２３７９（Ａｎｄｒｅｗｓ，１９９５）は、押圧することによって包装を開梱することを開示している。そこでは、包装内にある切り込みによって包装が裂ける。明らかに、包装を開梱したのちにコンドームを取り出す必要がある。
【００２４】
ＪＰ６１７９４７６（Ｍａｓａｍｉｔｚｕ、１９９４）、ＵＳ６０７６６６１（Ａｄａｄｉ，２０００）は、軽量の取り外し可能なフタに覆われた片側側面を備えた包装から構成される。このフタは、コンドームを利用できるように取り外し可能になっている。
【００２５】
ＵＳ６２２７３５８（Ｌｉｎ，２００１）、ＦＲ２７０６４２９（Ｌａｊａｚ，１９９４）には、金属製プルタブを用いた、ビールのカンと同じ方法で開梱可能なコンドーム包装が記載されている。
【００２６】
ＷＯ９６０８２２０（Ｖｉｌｍｏｒｉｎ，１９９６）、ＵＳ５８６２９０８（Ａｒｂｉｎ，１９９９）は、箱入りコンドームを開示する。当該箱は、化粧箱のようにヒンジで接続された２つの部品からなる。包装を開梱したのち、コンドームをそこから取り出す必要がある。
【００２７】
ＵＳ５２３８１０３（Ｓｗｉｓｈｅｒ，１９９３）は、下半分および上半分がヒンジ留めされた装置に格納された、ホイル貼りコンドームを開示する。装置内部に配置された刃は、コンドームが装置に入った場合、コンドームのホイルを切断する。それから、コンドームの上部、および下部を被覆したホイル片は、ユーザーにより引っ張り出されるか、半分を開梱する間に落ちるかのいずれかである。この装置を用いてコンドームを開梱するには、両手を正確に操作しなければならず、さらに、コンドームが刃で傷つく可能性がある。
【００２８】
異なる方法で開梱可能な、いくつかの外部包装もまた知られている。例えばＣＡ２１３０５３６（ＭｃＶｉｃａｒ他，１９９６）およびＵＳ５１１７８４１（ＭｃＢｅｔｈ，１９９２）を参照されたい。外部包装が開梱された際、内部包装は密封されたままである。
【００２９】
上記従来技術において、耐久性に優れ、小型かつ開梱が容易である、包装されたコンドームに用いることのできる装置を開示するものはないということを特筆すべきである。
【００３０】
ＧＢ２２５３３５２（Ｊｏｎｅｓ，１９９２）、ＵＳ５３１６０１９（Ｊｏｎｅｓ，１９９４）、ＵＳ５６３８９４９（Ｊｏｎｅｓ，１９９７）は、包装内部にあるホルダーとともにヒンジ留めのフタを備える箱の中に格納されたコンドームを開示する。箱を開けることにより、包装が開梱される。そののち、開梱された包装は広げられ、ホルダーを備えたコンドームが取り出される。これらの行動には集中力と、両手の使用が必要とされる。
【００３１】
ＵＳ４８７５４９１（Ｐａｒｒｏｎｅ，１９８９）、ＦＲ２７５１８６９（Ｌｏｙｅｒ，１９９８）、ＪＰ１１００４８４４（Ｋａｔａｙａｍａ、１９９９）、ＪＰ１１０１９１１０（Ｍｉｔｓｕｏｋａ他、１９９９）には、プルタブを備えた軽量のフタに上部および下部が覆われたホルダーが記載されている。この方法で包装されたコンドームは、プルタブを引いてフタを取り外すことにより開梱されうる。この場合、一方の手で包装を持つ間、もう一方の手でプルタブを探して引かなければならない。したがって、この場合も両手が使用される。
【００３２】
ＷＯ９００８５２２（Ｂａｃｋｍａｎ，１９９０）、ＧＢ２２２５７２１（Ｐｏｗｅｌｌ，１９９０）、ＥＰ１２３６４５２（Ｓｕｚｕｋｉ，２００１）には、包装を伸張させて裂くことにより、ホルダーを備えたコンドームを開梱するための方法が記載されている。ＷＯ０２０６９８６１（Ｖａｎ  Ｒｅｎｓｂｕｒｇ  Ｗ．２００２）は、弱くしたラインに沿って包装を裂くことによりコンドームを開梱するための方法を開示する。その場合、ホルダーの半分がユーザーの手の中にあり、その間にコンドームがあり、装着準備ができている。
【００３３】
ＵＳ４７３８３５７（Ｍａｒｔｉｎ他、１９８８）、ＵＳ６０８９２３１（Ｔｈｏｍｐｓｏｎ，２０００）には、片側からホルダーにより保持されたコンドームを覆う、保護ディスクの取り外しを行う装置が記載されている。もう片側上にあるもう一方の保護ディスクは、コンドームの装着の際に陰茎により取り外される。
【００３４】
ＵＳ５６５１３７４（Ｗｅｓｔｅｒ，１９９７）は、コンドームの両側を覆った２枚の保護シートを上方に折り曲げることにより、ホルダーにより保持されたコンドームを取り出すための装置を開示する。
【００３５】
上記全ての方法もまた、ユーザーの気を逸らし、集中や両手の使用を必要とする。
【００３６】
コンドーム装着のための円筒形装置も周知である。コンドームは、円筒内部に設置され、真空状態で円筒の壁まで牽引され、陰茎に装着される。最後に、円筒内部の圧力が解除され、円筒が除去されうる。この種の装置は、大型で複雑な構造を備えるため、非実用的である。
【００３７】
ＵＳ５４３７２８６（Ｓｔｒａｔｔｏｎ，１９９５）には、両方の保護シート（薄膜でできたもの）が、コンドームの装着の際に陰茎により裂けるという発明が記載されている。ユーザーは、片手のみを用いてこのコンドームを開梱および装着できるため、ＵＳ５４３７２８６に開示された装置を、使用準備の整った（ｒｅａｄｙ−ｔｏ−ｕｓｅ）タイプと呼ぶ。
【００３８】
しかし、陰茎により保護シートを裂く過程はユーザーには不快である。さらに、膜が陰茎により貫通しうるほど薄い場合、コンドームを実生活の状態で保存することはできず、容易に損傷されうる。したがって、コンドームは例えば紙封筒といった何か別の包装の中で保管されねばならないため、包装の問題は残ったままである。さらに、膜の底から潤滑油を差し、ユーザーが快適に感じるようにする必要がある。そのため、コンドームは潤滑油を保護するために他の包装の中に保管しなければならない。
【００３９】
ＪＰ２０００２３２９８８（Ｔａｎａｂｅ他、２０００）においては、ホルダーにより保持されたコンドームを覆う膜が、陰茎からの圧力によって裂ける。包装は最初に、包装内部の特殊な手段に挿入された指によって伸張される。
【００４０】
ＷＯ９８４６４９５（Ｆｌｏｃｋ，１９９８）には、本発明において請求される１つの方法に最も近いと考えられる、コンドームを開梱するための方法が記載されている。より具体的には、Ｆｌｏｃｋには、従来使用のコンドームを包含した包装を開梱するための方法が記載されている。包装は、包装の縁上に切り込みを終端とする弱くした中心線を備える。弱くしたラインと平行に、包装側面に袋を有する。この包装を開梱するために、ユーザーは包装を片手で持ち、上記袋の１つに曲げた親指を挿入する。それから、ユーザーは親指を動かして包装をまっすぐにする。結果として、包装が伸張し、弱くしたラインに沿って裂ける。裂けた上部はおそらくユーザーの親指に残り、そののち振り払われうる。一方で、コンドームに付いたその下部はユーザーの手の中に残る。したがって、包装が裂けたあと、コンドームから包装の下部を除去し、適切な方法でコンドームを保持する必要がある。上記手順は、ユーザーには便利ではなく、片手でその手順を行うにはある程度の技術が必要とされる。袋に置かれた親指で包装をやぶる間に、親指以外の指によって柔らかい包装を掌に押し付けて包装を保持することは、不快に思われる。包装をしっかりと保持する必要があり、さもなければ包装が滑落し、包装は裂けないままである。
【００４１】
弱くしたラインをコンドーム包装内部に内蔵することは、安全性に寄与しない。すなわち、ポケットの中で保管される間に、包装が裂ける可能性がある。したがって、そういった種類の包装は通常、例えばカードボードあるいはプラスチック箱といった付加の固定された箱の中に保管される。箱から包装を抜き出すことにより、コンドームを装着する手順がより複雑になり、実際、もう片方の手を用いる必要性が生じる。
【００４２】
また、ＷＯ９８４６４９５（Ｆｌｏｃｋ，１９９８）に記載されたコンドームは、ユーザーが片手でコンドームを装着できるようなホルダーを備えていないことに留意されたい。したがって、Ｆｌｏｃｋは容易にコンドームの装着することに対する問題を解決していない。
【００４３】
本発明において請求する装置に最も近似していると考えられる装置は、ホルダーにより保持されたコンドームを開梱するための装置を記載した、ＵＳ６，４２５，３９７（２００２年７月３０日）に記載されている。
【００４４】
ＵＳ６，４２５，３９７に記載された装置は、図６および７によると、箱型の基部、コンドームを保持するコンドームホルダー、および基部と接続された包装型の膜を含む。膜は、ホルダーとコンドームを内包し、内部において、ホルダーを基部に対して滑り案内変位に適用させる。上記ホルダーはばね仕掛けであり、引き抜き式ピンによりロックされる。ピンが除去されると、ばねがホルダーを箱の外へ押し出し、これにより箱に付随して定位置に残った包装が裂ける。ホルダーおよびコンドームが開梱され、箱の外へ押し出された場合、ユーザーはホルダーを握り、コンドームを装着しうる。
【００４５】
ユーザーは、片手でピンを取り外す間、もう一方の手で箱を持つ。ばねがホルダーを押し、コンドームが包装から出る。その後、ユーザーは片手でホルダーを握り、コンドームを装着する。
【００４６】
この装置に用いられたホルダーにより、コンドームは楽に装着されうる。しかし、開梱手順には集中力が必要とされる。ユーザーは、片手で箱を持ち、もう一方の手でピンを外し、片手で開梱されたホルダーを握る必要があるためである。さらに、上記装置は他の欠点を有する。包装の耐久性は、包装により異なる可能性がある。ばね力も恒常的なものではなく、時間とともに弱まる。包装の耐久性がより低く、ばねがより強い場合、ばねは包装の外にホルダーを押し出すだけでなく、ホルダーを急速に射出しうる。これは望ましくない結果をもたらしうる。一方、より耐久性の高い包装は弱まったねじでは裂けず、ユーザーは手動でホルダーおよびコンドームを引き出す必要がある。
【００４７】
本発明において請求する他の方法に最も近似すると考えられる方法は、ＷＯ９８０１０９５（Ｌｉｅｈｓ，１９９９）に記載された、コンドームを開梱するための方法、すなわち、ホルダーで保持されたコンドームを含む包装を開梱するための方法である。開梱装置は銃身を備えた銃（ｇｕｎ）であり、内部にコンドームを保持するホルダーを内包する包装が設置される。コンドームを開梱し、装着するために、ユーザーは手に銃（ｇｕｎ）持ち、陰茎を銃身に挿入する。ホルダーが包装から出るまでの、コンドームを保持するホルダーを含む装置の一部が銃身内部に変位する間、銃（ｇｕｎ）を片手で持つ。ホルダーが変位するため、装置を保持する手の指を装置に対して置き、引き金を引く。その後、加圧式ガスシリンダーにより稼動する伸縮式装置により、ホルダーが前進する。膜は切断素子により切断、除去され、コンドームが陰茎上に装着される。ホルダーは、コンドームにより定義された平面に対して横方向に変位し、ホルダーの変位方向と平行および逆方向に指で引き金を引く。したがって、上記装置を用いる場合、ユーザーは自分の体に狙いを定めて逆方向に引き金を引くために、手を回す必要がある。明らかに、この体勢でのこの動作はユーザーにとって不快であり、十分な器用さが求められる。さらに、そのような銃は、ポケットサイズよりもずっと大きいため、非実用的である。
【００４８】
本発明の目的は、コンドームを開梱するための方法、およびこの方法を実施するための小型で耐久性のある装置を提供することにある。この装置により、ユーザーの注意がほとんど性交から逸れることなく、簡便、迅速および確実な開梱を片手で行うことができる。
【００４９】
〔本発明の要約〕
上記問題はホルダーにより保持されたコンドームを開梱するための方法を提供することにより、解決される。上記方法は、開梱装置内部に水平に配置され、収容されたコンドームに用いることができる。上記方法は、下記の段階を含む：
−ユーザーの片手で開梱装置の一部を保持する段階；および
−上記保持可能部分に対して、コンドームの少なくとも一部が解放されるまで、開梱装置の他の部分を変位させ、上記変位が、上記保持可能部分を保持する手の指を用いて行われる段階。
【００５０】
この指および装置の変位可能部分は、この指を、変位と逆方向に装置に押し付けることにより、機械的に結合される。
【００５１】
上記指および上記装置における変位可能部分は、通常、この指を装置における変位可能部分に押し付けることにより機械的に結合される。
【００５２】
変位は、直線形であることが望ましい。
【００５３】
開梱装置における上記他の部分を変位する段階の間、変位可能部分は装置の内部、あるいは外部のいずれかを移動する。
【００５４】
装置における保持可能部分を親指以外の指で保持する間に、上記手の親指を用いて上記変位可能部分を変位させるのが、最も便利な方法である。
【００５５】
通常、親指によって掌から変位可能箇所を分離させる間に、親指以外の指によって保持可能部分は掌に押し付けられる。
【００５６】
いくつかの実施形態において、開梱装置における上記一部分を保持する段階は、手で装置を保持するように適合された装置基部を保持することを含む。また、開梱装置における上記他の部分を変位させる段階は、基部に対して内部にコンドームを保持するホルダーを変位させることを含み、ホルダーに接続されたキーに作用することにより、上記変位が行われる。
【００５７】
内部にコンドームを保持するホルダーを変位させる間に、ホルダーが少なくとも部分的に内包されている膜が裂け、膜は基部に接着される。
【００５８】
いくつかの他の実施形態において、開梱装置における上記一部分を保持する段階は、手で装置を保持するように適合された装置基部を保持することを含む。また、開梱装置における上記他の部分を変位させる段階は、内部にコンドームを保持するホルダーを覆う部分を変位させることを含む。
【００５９】
内部にコンドームを保持するホルダーを覆う上記部分を変位させることにより、膜は大抵裂ける。膜は当該部分に接続され、コンドームを内部に保持するホルダーが膜に少なくとも部分的に内包される。
【００６０】
伸縮性のある素材の層を通して押圧することにより上記変位が生じうる。
【００６１】
本実施形態において、上記指と装置における変位可能箇所との間の機械的結合は、装置における保持可能部分の範囲に指を押し付けることにより引き起こされる。当該範囲は、変位の方向とは逆に、側面から変位可能箇所上に隣接する。
【００６２】
上記変位の間に、キーに作用する上記指の力のベクトルは、コンドームにより規定された平面に対して横の平面内に残るか、コンドームにより規定された平面内に残るかのいずれかである。
【００６３】
コンドームを開梱するための装置を提供することにより、上記問題もまた解決される。装置は、手で装置を保持するように適合された基部、コンドームを内部に保持するコンドームホルダー、および基部に接続された、あるいは少なくとも部分的に基部で構成された膜からなる。その中で、コンドームは水平に配置され、コンドームホルダーはコンドームにより規定された平面内において、基部に対して滑り案内変位をするように適合される。また、膜が少なくとも部分的に、コンドームを内部に保持するホルダーを内包する。すなわち、当該装置は、キーに作用するこの指により基部を基準としたホルダーの変位が行われるように、コンドームホルダーと結合可能である、基部を保持する手の指により作用するように適合された、キーを備える。
【００６４】
したがって、親指のたった１つの動作によりコンドームを開梱するには、片手で十分である。これにより、容易に迅速に開梱ができる。指でホルダーを変位させるため、膜を開けるのに要する力は膜の丈夫さにより調整されうる。これにより、確実な開梱ができる。したがって、コンドームを開梱する間、ユーザーの気は性交から殆ど逸れない。コンドームにより規定された平面内部のキーを変位させることから、包装はきわめて小型で、ポケットに保管しうる。
【００６５】
基部は、案内面として用いられる溝を備えた箱を含む。本実施形態において、膜は箱の内部に収容および接着され、ホルダーは、溝内部に変位して収容された部分を用いて、キーと結合される。キーは、箱の外に設置されている。箱を基部として用いる利点は、包装されたコンドームを外的要因から保護する、包装が突発的に汚染されるのを防ぐための容器としても箱が使用されるという点にある。
【００６６】
箱は開口端を備えうる。ホルダーは当該開口端を通って突き出る。
【００６７】
また、箱は片端上にフラップを備えうる。
【００６８】
組み立てを容易にするため、箱は、石鹸箱の部品のように互いに接続された２つの部品から構成されていてもよい。
【００６９】
箱は、間に溝が形成された、２つの部品から構成されうる。
【００７０】
基部は、膜が接続された、格子枠で構成されうる。
【００７１】
基部は、膜の縁に設置されたＵ型あるいはＯ型枠のどちらかを含みうる。そのような枠は、通常膜に接着されており、コンドームに規定された平面と平行に設置されている。
【００７２】
ある実施形態において、基部は膜の縁に沿って伸びたＵ型部材を含み、Ｕ型部材の内部はホルダーに対向する。
【００７３】
上記Ｕ型部材は、一般的に膜の縁に接着されており、キーはＵ型部材の向かいの膜における側面に位置し、ホルダーキーはＵ型部材の内部に対向し、ホルダーはＵ型部材により可能になった方向へスライドするよう適合される。
【００７４】
基部はＬ型枠を含みうる。Ｕ型部材がＬ型枠におけるヨークを構成し、膜がＬ型枠における別のヨークへ接着されうる。
【００７５】
基部は、コンドームに規定された平面の両側面上に２枚の板を備えうる。また、膜はこれらの板との間に設置される。
【００７６】
本実施形態において、上記板は膜に接着され、キーはその間に設置されうる。
【００７７】
上記Ｕ型部材は縁にそって上記板に接続しうる。
【００７８】
基部は、板からも構成されうる。本実施形態において、板はコンドームに規定された平面に対して平行に通常配置され、膜がこの板に接着され、キーが、当該板に対して装置の逆側面上に設置される。
【００７９】
基部は、装置における表面のうちの１表面上に設置された溝を有する管が形成されるように、両端がフランジされた三角シートを含みうる。本実施形態において、内包されたホルダー、およびその内部に保持されたコンドームを備えた膜が管の内部に収容される。
【００８０】
膜は、少なくとも１枚のシートでできた包装でありうる。この包装は縁で互いに接続された２枚のシートでできたものでありうる。さらに、接続された縁を備えた折り畳みシートでできたものでありうる。
【００８１】
薄膜のシートは上記板の縁に接着され、板とシートとの間にコンドームが内部に保持されたホルダーが設置されうる。
【００８２】
基部は、コンドームに規定された平面の両側上に配置され、かつ、接続部によって接続された、２枚の板によって構成されうる。本実施形態において、通常、板の間の間隙は伸縮性のある素材でできたシートで覆われ、当該板の間にコンドームを内部に保持するホルダーが収容される。
【００８３】
基部はまた、フランジを備えた３面上に規定された板状の底部を備えたトレイとして形成されうる。１枚の薄膜のシートは、トレイの縁に沿って接着され、内部にコンドームを保持するホルダーは、シート下のトレイ内部に収容される。
【００８４】
キーは、膜で規定された空間の外へ少なくとも部分的に設置され、膜を貫通する部分により、ホルダーと接続されうる。
【００８５】
キーとホルダーとの接続部は、シート素材における２層の間で伸張されうる。
【００８６】
本実施形態において、膜の出口において、キーとホルダーとの接続部は、互いに対向した２つの鋭角断面を通常備える。
【００８７】
キーとホルダーとの接続部は、膜のシート内部における開口部を貫通しうる。当該開口部に近接したシート範囲は、通常、キーとホルダーとの間で固定される。
【００８８】
キーは、膜に規定された空間内に配置されうる。
【００８９】
膜は、弱くしたラインを備えうる。
【００９０】
膜は、少なくとも２層を含むシート素材からできうる。１層は薄く、丈夫で、貫通できないものであり、もう１層はより強度が高く、弱くしたラインを備える。
【００９１】
弱くしたラインは、変位の際に、キーおよびホルダーにより生成された経路にそって伸張しうる。
【００９２】
弱くしたラインは、開梱の際にホルダーが膜から突出する、膜の片端に配置されうる。
【００９３】
キーは、膜に規定された空間の外へ少なくとも部分的に配置されうる。キーとホルダーとの接続部に近接した膜の範囲は、この部分に接着され、また、弱くしたラインによって、基部に接続された膜範囲から分離される。
【００９４】
膜は、膜の片端に配置された弱くしたラインを備えうる。片端において、開梱の際にホルダーが膜から突出する。
【００９５】
ホルダーとキーとの間の接続は、固定されうる。
【００９６】
膜は、密封されうる。
【００９７】
上記変位により、コンドームの表面（少なくとも表面下部）がコンドームの装着に十分な程度露出する。
【００９８】
装置は、ホルダーの突発的な変位を防止または阻止するための構造を備えうる。
【００９９】
基部は、ホルダーの案内面として用いられる溝を備えた板を備えうる。本実施形態において、ホルダーは突出部を通常備える。突出部は、この溝内に可動式に収容され、突出部が溝から分離することのないように、ホルダーに対して板の逆側面上に突起を備える。
【０１００】
装置における少なくとも片面は、コンドームに規定された平面に対して平行に、あるいは−４５度から＋４５度との間の角度で傾斜されうる。本実施形態において、キーは装置の側面に配置されてもよい。
【０１０１】
装置における少なくとも片面は、コンドームに規定された平面に対して垂直に、あるいは１３５度から＋４５度に傾斜されうる。この場合、キーは上記装置側面に配置されてもよい。
【０１０２】
ホルダーは、内径に沿って伸張された成形溝を備えた開口中空リングからなりうる。当該ホルダーにおいて、コンドームは溝内部に収容される。
【０１０３】
装置は、ケースに収容されうる。
【０１０４】
キーは、コンドームに規定された平面においてホルダーに対して転換されうる。
【０１０５】
装置は、ホルダーがキーよりも長い距離を移動するような構造を備えうる。
【０１０６】
キーと結合されたクロスバーを通過するケーブルは、ホルダーと基部とを接続させうる。
【０１０７】
キーは、基部に対向して置かれたシートを備えうる。
【０１０８】
基部は、膜内部に収容されうる。
【０１０９】
本実施形態において、膜は包装からなり、基部は、コンドームに規定された平面に対して平行に包装内部に収容された、板からなる。
【０１１０】
ホルダーはホルダーにより保持されたコンドームの外側を少なくとも部分的に覆う、フタを備えうる。フタは、キーとして用いられる。
【０１１１】
フタは、通常膜と接続され、あるいは、当該膜の一部を構成する。
【０１１２】
フタはホルダーの枢軸上に設置されうる。
【０１１３】
キーは、ホルダーから分離され、押圧部を備え、押圧部およびホルダーが結合しうるように設置されうる。
【０１１４】
キーはホルダーから分離され、ホルダーに結合するよう適合された押圧部を備えうる。
【０１１５】
基部は、案内面として使用される溝を備えた箱から構成されうる。膜は、この箱に収容および接着されうる。キーは、上記溝内部に可動式に収容されうる。キーの少なくとも一部が箱の外側にあり、上記溝の幅がキーの幅以上でありうる。
【０１１６】
基部は、ホルダーを備えた箱、およびその内部に収容された案内面から構成されうる。上記案内面は、１つの箱における壁の内部に配置された溝、およびこの壁に沿って、かつ箱の他の２面に沿って互いに対向し、溝の両側上を連続的に通過する、２つの切り込みを含みうる。ホルダーは、縁を有する伸縮性のあるストリップによりキーに接続されうる。縁は、ストリップが切り込みに沿って変位されるように切り込み内部に収容される。キーは、箱の外側上に配置され、溝内部に可動式に収容された部分によって、ストリップに接続される。
【０１１７】
基部は内部に形成された２つの溝を備えた板を含み、溝は案内面として作用しうる。さらに、ホルダーは拡張可能であり、上記溝に可動式に収容されたピンを含みうる。
【０１１８】
ホルダーは伸縮性のある横木を備えうる。
【０１１９】
ホルダーの拡張性は、開口リングとしてホルダーを成形することにより、提供されうる。その場合、溝が１つの側面において互いに収束する。
【０１２０】
基部は、溝が形成される箱、および上記板が収容される箱を含みうる。箱内部に形成される溝は、板内部に形成される溝よりも長い。
【０１２１】
基部は、フランジにより３側面上で規定された、案内面として作用する中心溝を備えた、板状の底部を有するトレイから構成されうる。ホルダーは、拡張可能な開口リングが上記溝内部に収容され、ケーブルによってフランジの２つの逆側面に接続されることにより形成されうる。
【０１２２】
ホルダーは、コンドームの縁を握るのに使用されるグリップを含み、上記グリップとの間に接続部を含みうる。接続部は少なくとも部分的に伸縮性を備える。そこで、ホルダーはコンドームが配置されうる空間を少なくとも部分的に画成し、２つの形態との間の上記接続の変形に適合される。上記第１の形態において、上記空間が収縮し、上記第２の形態において、上記空間が拡張する。さらに、上記第１の形態において、上記接続部の少なくとも一部にひずみが生じ、第２の形態に変形しうる。そして第２の形態において、上記ひずみが少なくとも部分的に除去される。
【０１２３】
装置は、第１の形態において、ホルダーを保持するための保持手段を備えうる。
【０１２４】
第１の形態において、ホルダー固定手段は、１つの開口端を有し、および内部に格納されたホルダーを有する箱として実施される。
【０１２５】
箱は溝を含み、ホルダーは、上記溝内部に収容された部分によって、ホルダーと可動式に接続されたキーを備えうる。上記キーは、箱の外に設置される。
【０１２６】
装置は、第２の形態におけるホルダーを保持するための保持手段を備えうる。
【０１２７】
装置は、第１の形態におけるホルダーを保持するための保持手段を備え、かつ、第２の形態におけるホルダーを保持するための保持手段をも備えうる。
【０１２８】
第１の形態において、ホルダーを保持するための保持手段は、溝を備えた箱として実施されうる。第２の形態において、ホルダーを保持するための保持手段は、ホルダーを内包し、上記箱に可動式に接続されたリングとして実施されうる。ホルダーは、溝内部に可動式に収容された部分により、ホルダーと接続されたキーを備えうる。その場合キーは、箱の外にある。
【０１２９】
装置は、２つの対向する弾性要素を備えうる。それぞれの弾性要素の片端はホルダーに接続され、要素の先端は基部に接続される。
【０１３０】
基部は、コンドームに規定された平面に対して平行に配置された板を含みうる。ここで、膜は、上記板および板に対して装置の逆側面上にあるキーとに接着されうる。
【０１３１】
基部は、案内面として使用される溝を備えた箱を含み、膜は上記箱内部に収容あるいは上記箱に接着されうる。ホルダーは溝内部に可動式に収容された部分によりキーに接続され、キーは箱の外にありうる。
【０１３２】
装置は、コンドームを内部に保持したコンドームホルダーが配置されたトレイを備えうる。トレイは、基部に対してコンドームに規定された平面内において滑り案内変位に適合されている。ここで、装置は、コンドームホルダーに接続されたキーもまた備え、基部に対するトレイの変位が、キーに作用する指により実施されるような方法で、手の指で作用するように適合される。
【０１３３】
基部は、１つの開口端を備えた箱から構成されており、案内面として使用される溝を備え、箱に収容されたトレイを備えうる。箱を基部として用いる利点は、箱は包装されたコンドームを外的要因から保護し、突発的に包装が汚染されるのを防止するための容器としても用いられることにある。
【０１３４】
トレイは上記溝内部に可動式に収容された部分によりキーに接続されてもよく、キーは箱の外側にある。
【０１３５】
ホルダーは上記溝内部に可動式に収容された部分でキーに接続されてもよく、キーは箱の外側にある。
【０１３６】
溝は、１枚の柔軟素材のシートにより被覆されうる。
【０１３７】
トレイは、フランジを備えた３面に沿って規定された板状底部を備えてもよい。
【０１３８】
トレイは、フランジを備えた４面全てに沿って規定された板状底部を備えてもよい。
【０１３９】
１枚の薄膜シートは、上記トレイの縁に接着され、コンドームを内部に保持したホルダーは上記シート下のトレイに配置されうる。
【０１４０】
容易に組み立てられるよう、箱は石鹸箱の部品のように互いに接着した２部品から構成されてもよい。
【０１４１】
コンドームを備えたホルダーが少なくとも部分的に収容された膜は、トレイに接着されてもよい。
【０１４２】
コンドームを備えたホルダーが少なくとも部分的に収容された膜は、トレイにより部分的に形成されてもよい。
【０１４３】
膜は、少なくとも１枚のシートでできた包装でありうる。包装は、両端で互いに接続された２枚のシート、あるいは接続された両端を備えた１枚の折畳みシートからなりうる。
【０１４４】
膜は、弱くしたラインを備えうる。
【０１４５】
膜は、少なくとも２層を含むシート素材からできうる。これらの層の１つは薄く、丈夫で、貫通できない。また、もう１つの層は、より強度が高く、弱くしたラインを備える。
【０１４６】
ホルダーは、開口中空リングから構成されうる。中空リングは、リングの内径に沿って伸びた成形溝を備える。ここで、コンドームは、上記溝内部に収容される。
【０１４７】
ホルダーは、コンドームを保持するための、内向きつかみ具を備えた平らな開口リングでありうる。
【０１４８】
ホルダーは、リングが拡張可能なように形成されてもよい。リングはロッド、当該ロッドの両端に接続されたＣ型枠組みにより形成されうる。さらに、ホルダーはレバーを備える。レバーのより大きいアームは上記枠組みにより形成される、軸は上記ロッドの両端上に配置され、上記レバーを変位することにより拡張が生じうる。
【０１４９】
ホルダーはＵ型であり、内側部は、保持されたコンドームに面し、コンドームを内包している。
【０１５０】
ホルダーは、それぞれ一端がホルダーに接続され、もう一端がコンドームの外表に沿って伸びた少なくとも２本のひもを備えうる。それらのひもは、コンドームとともに巻かれる。
【０１５１】
ホルダーは、膜を貫通しケースに接着する部分を備えていてもよい。
【０１５２】
さらに、問題は、ホルダーにより保持されたコンドームを開梱するための装置を発明することにより解決される。当該装置は、基部、内部にコンドームが水平に配置され保持されたホルダー、基部に接続されホルダーと内部に保持されたコンドームとを少なくとも部分的に内包する膜からなる。ホルダーは、コンドームに規定された平面部において基部に対して案内変位のために可動式に設置されており、装置はさらに基部に軸を有する少なくとも１つのレバーを備える。レバーが少なくとも片手の１本の指で作用して、上記指でレバーに作用することにより、基部に対するホルダーの上記変位が実施されるように、レバーをホルダーに接続する。
【０１５３】
コンドームを開梱する際、ユーザーは手の指で装置の基部およびレバーを持ち、レバーを保持する指により変位が実施される。
【０１５４】
したがって、片手の指の簡単な動作で、コンドームを片手のみで開梱できる。それにより、簡便で快適な開梱が実現される。結果として、コンドームの開梱作業中にユーザーの気が性交から逸れることを最小限に抑える。変位がコンドームに規定された平面において実施されるため、包装はきわめて軽量でポケットに保管するのに便利である。
【０１５５】
基部は、開口を通ったレバーが指で作用する少なくとも１つの当該開口を備えた箱、箱に固定されホルダーの案内面として使用される溝を備えた板、およびレバーを配置するための取っ手から構成されてもよい。基部において、膜が箱内部に配置されており、板に接着され、ホルダーは膜から伸びたピンを含む。膜は、溝内部に可動式に収容され、すなわちピンが溝から外れないように、ホルダーの逆側面の板に拡張部分を備える。
【０１５６】
箱を基部として用いる利点は、箱が容器の役割を果たし、外的要因から包装されたコンドームを保護し、突発的な包装の破損を防止する。
【０１５７】
伸縮性のある横木は、開口における逆側の両壁との間を通過する。箱は開口部に配置された切り込みを備えてもよい。上記横木は、手の指で作用されるように設計されたリブ支持部から構成され、上記指と横木との間により強い摩擦を生じさせうる。
【０１５８】
箱は、１つの開口端を備え、当該開口端からホルダーが突き出る。
【０１５９】
レバーとホルダーとの接続は可撓性がありうる。
【０１６０】
レバーは少なくとも部分的に可撓性がありうる。
【０１６１】
膜は、少なくとも１枚のシートでできた包装からなりうる。
【０１６２】
膜は弱くしたラインを備えうる。
【０１６３】
膜は少なくとも２層のシート素材からできうる。上記層のうち１層は、薄く、頑丈で、貫通できず、もう一方の層はより強く、弱くしたラインを備える。
【０１６４】
装置は、他のレバーを備えうる。この場合、コンドームを開梱する際、ユーザーは手の指で装置のレバー部分を持ち、同じ指で（指同士をくっつけて）上記レバーに作用することにより変位を起こす。
【０１６５】
したがって、片手の指の簡単な動作でコンドームを片手のみで開梱できる。それにより、簡便で快適な開梱が実現される。
【０１６６】
さらに、上記問題は、ホルダーにより保持されたコンドームを開梱するための装置を発明することにより解決されうる。装置は、内部にコンドームが水平に配置され保持されたホルダー、かつ内部に保持されたコンドームを備えたホルダーを内包する膜からなる。ホルダーの円周の少なくとも一部は、膜に対する滑り部に適合された表面が手の指で膜に押し付けられる場合、当該表面を先細にすることにより輪郭を定められる。
【０１６７】
この場合、ユーザーはコンドームを開梱する際に装置の膜部分を片手の指で持ち、コンドームを内部に保持したホルダーを膜から押し出すことにより変位が生じる。上記押し出しの間、指はくっついた状態である。
【０１６８】
本装置のこの設計により、片手の指の簡単な動作でコンドームを片手のみで開梱できる。それにより、簡便で快適な開梱が実現される。
【０１６９】
上記表面は、枠により成形されうる。枠はホルダーの周囲にそってホルダーを少なくとも部分的に包囲し、膜内部に収容される。
【０１７０】
装置は膜に接続され、あるいは部分的に膜を形成する、楔状のキーを含みうる。キーは、上記表面に対して膜に上記キーを押し付けることにより変位に適合される。
【０１７１】
装置は、膜内部に収容されたＶ型ブラケットから構成されうる。当該ブラケットはＵ型横断面を備え、外側からホルダーを包囲する。
【０１７２】
さらに、上記問題は、ホルダーにより保持され、水平に配置され、開梱装置内部に収容された、コンドームを開梱するための方法を実施することにより解決される。この方法によると、ユーザーの手中に装置を持ち、コンドームの少なくとも一部が剥離するまで、装置の残った部分に対して装置の一部を変位させる。この方法において、上記変位は、装置を保持する手の指により実行され、上記指と装置の変位可能箇所との間の機械的相互作用は、上記指を、変位可能箇所の上記変位の方向に対して垂直方向に、装置に押し付けることにより生じる。
【０１７３】
したがって、コンドームを開梱する際に、ユーザーは装置を楽な姿勢で保持することができ、指が変位する方向はユーザーにとって自然で便利である。
【０１７４】
ある実施形態において、ユーザーの手中に装置を保持する段階は、ユーザーの指で装置の基部およびレバーを保持することを含み、上記変位の段階は、レバーを保持する指でレバーを作用させることを含む。当該段階において、レバーの軸はベース上に配置されている。
【０１７５】
他の実施形態において、ユーザーの指の中にある装置を保持する段階は、基部と軸方向に接続され、回転する間に手の指に保持されるよう適合されたレバーを含む。さらに、上記変位の段階は、同じ指をくっつけた状態で上記レバーを作用させる段階を含む。当該段階において、レバーの回転軸は基部上に配置される。
【０１７６】
さらなる他の実施形態において、ユーザーの手中に装置を保持する段階は、手の指に保持されるよう適合された膜を保持することを含む。さらに、上記変位の段階は、上記指をくっつけた状態にして、コンドームを内部に保持したホルダーを膜の外に押し出すことを含む。
【０１７７】
〔図面の簡単な説明〕
下記は、図面の説明を含む、好ましい実施形態の詳細な説明である。
【０１７８】
図１は、ユーザーの手中に把持された従来のコンドームの斜視図である。
【０１７９】
図２は、図１に記載のコンドームが包装された場合の斜視図である。
【０１８０】
図３は、コンドームを装着する前の状況を示す。
【０１８１】
図４は、ユーザーの手中に把持された従来のホルダー内部に、コンドームが保持されていることを示す斜視図である。
【０１８２】
図５は、両手で把持された２つの部品からなる従来のホルダー内部に、コンドームが保持されていることを示す斜視図である。
【０１８３】
図６は、従来の帯板型ホルダー内部に、コンドームが保持されていることを示す斜視図である。
【０１８４】
図７は、互いに接続された帯板を備えた従来の帯板型ホルダー内部に、コンドームが保持されていることを示す斜視図である。
【０１８５】
図８は、Ｕ型基部に接着された帯板を備えた従来の帯板型ホルダー内部に、コンドームが保持されていることを示す斜視図である。
【０１８６】
図９は、図８に記載のコンドームの平面図である。
【０１８７】
図１０は、ホルダーによって保持されたコンドームの開梱方法としてコンドーム包装を伸張することを示す。
【０１８８】
図１１は、本発明に係るコンドーム開梱装置における１つの実施形態を示す側断面図である。
【０１８９】
図１２は、図１１に記載のコンドームの斜視図である。
【０１９０】
図１３は、図１１に記載の実施形態に係る、キー台座および装置におけるキーを備えている、包装内における分解されたホルダーを示す斜視図である。
【０１９１】
図１４は、図１１に記載の実施形態に係る包装されていないホルダーの斜視図である。
【０１９２】
図１５は、図１１に記載の実施形態に係るホルダーの横木を示す。
【０１９３】
図１６は、図１１に記載の実施形態に係る包装されたコンドームホルダー部品の斜視図であり、キー台座が記述上の理由により除去されることを示す。
【０１９４】
図１７〜２１は、図１１に記載の実施形態に係る装置の組み立て段階を示す斜視図である。
【０１９５】
図２２は、図１１に記載の実施形態に係る、コンドームが開梱された場合の装置の斜視図である。
【０１９６】
図２３は、図１１に記載の実施形態に係る、ユーザーが装置に作用させる力を概略的に示す。
【０１９７】
図２４は、ユーザーが装置に作用させる力を概略的に示し、キー表面がキーの変位方向に対して垂直であることを示す。
【０１９８】
図２５は、本発明に係るコンドーム開梱装置の他の実施形態を示す斜視図である。
【０１９９】
図２６は、図２３に記載のトレイの平面図である。
【０２００】
図２７は、図２３に記載のトレイの平面図を示し、コンドームがホルダーにより保持され、当該トレイ内部に設置されることを示す。
【０２０１】
図２８は、図２３に記載の実施形態におけるコンドームの開梱装置を示す斜視図である。
【０２０２】
図２９は、コンドーム開梱装置の他の実施形態を示す斜視図である。
【０２０３】
図３０は、コンドーム開梱段階における図２７に記載のコンドーム開梱装置を示す斜視図である。
【０２０４】
図３１は、本発明に係るコンドーム開梱装置の他の実施形態を示す斜視図である。
【０２０５】
図３２は、図２９に記載のコンドーム開梱装置の斜視図であり、装置はコンドーム開梱準備ができていることを示す。
【０２０６】
図３３は、図２９に記載の装置を示す部分断面図である。
【０２０７】
図３３は、図３０に記載の装置を示す部分断面図である。
【０２０８】
図３５〜３７は、装置の容器の異なる実施形態を示す。
【０２０９】
図３８は、本発明に係るコンドーム開梱装置の他の実施形態を示す分解斜視図である。
【０２１０】
図３９は、図３６に記載の組み立てられた装置を示す平面図である。
【０２１１】
図４０は、図３６に記載の装置を示す側断面図である。
【０２１２】
図４１は、本発明に係るコンドーム開梱装置の他の実施形態を示す側断面図である。
【０２１３】
図４２は、本発明に係るコンドーム開梱装置の他の実施形態を示す斜視図であり、基部が付加案内面手段を備え、記述上の理由から図示されない包装を備えることを示す。
【０２１４】
図４３は、図４０の拡大図である。
【０２１５】
図４４は、図４０に記載の装置を示す斜視図であり、コンドームが開梱されていることを示す。
【０２１６】
図４５〜４７は、本発明に係るコンドーム開梱装置の他の実施形態における組み立て段階を示す斜視図である。
【０２１７】
図４８〜５１は、本発明に係るコンドーム開梱装置の他の実施形態における組み立て手順を示す斜視図である。
【０２１８】
図５２は、図４６〜４９に記載の実施形態における装置を示す側断面図である。
【０２１９】
図５３および５４は、本発明に係るコンドーム開梱装置の他の実施形態における組み立て段階を示す斜視図である。
【０２２０】
図５５および５６は、本発明に係るコンドーム開梱装置の他の実施形態における組み立て段階を示す斜視図である。
【０２２１】
図５７は、図５３および５４に記載の実施形態における装置を示す端面図である。
【０２２２】
図５８および５９は、本発明に係るコンドーム開梱装置の他の実施形態における組み立て段階を示す斜視図である。
【０２２３】
図６０は、本発明に係るコンドーム開梱装置の他の実施形態を示す斜視図である。
【０２２４】
図６１は、図５８に記載の実施形態における装置の斜視図であり、コンドームが開梱されていることを示す。
【０２２５】
図６２は、本発明に係るコンドーム開梱装置のホルダーの他の実施形態を示す斜視図である。
【０２２６】
図６３は、図６２に記載の実施形態におけるホルダーを備えた装置を示す斜視図である。
【０２２７】
図６４〜６６は、図６３に記載の装置に内包されたコンドームを開梱する段階を示す斜視図である。
【０２２８】
図６７は、図６３に記載の実施形態における装置を示す側断面図である。
【０２２９】
図６８は、図６３に記載の実施形態においてユーザーが装置に作用させる力を概略的に示す。
【０２３０】
図６９および７０は、本発明に係るコンドーム開梱装置の他の実施形態における組み立て段階を示す斜視図である。
【０２３１】
図７１は、図６９および７０に記載の実施形態における装置を示す斜視図である。
【０２３２】
図７２および７３は、本発明に係るコンドーム開梱装置の他の実施形態における組み立て段階を示す斜視図である。
【０２３３】
図７４は、図７２および７３に記載の実施形態における装置を示す斜視図である。
【０２３４】
図７５〜７８は、本発明に係るコンドーム開梱装置の他の実施形態における組み立て段階を示す斜視図である。
【０２３５】
図７９は、図７５〜７８に記載の実施形態における装置を示す斜視図である。
【０２３６】
図８０は、ホルダーの他の実施形態を示す斜視図である。
【０２３７】
図８１は、図８０に記載の実施形態におけるホルダーを備えた装置を示す斜視図である。
【０２３８】
図８２は、本発明に係るコンドーム開梱装置の他の実施形態を示す斜視図である。
【０２３９】
図８３および８４は、本発明に係るコンドーム開梱装置の他の実施形態における組み立て段階を示す斜視図である。
【０２４０】
図８５は、図８３および８４に記載の実施形態における装置を示す斜視図である。
【０２４１】
図８６は、図８３〜８５に記載の実施形態における装置を示す斜視図であり、コンドームが開梱されていることを示す。
【０２４２】
図８７は、本発明に係るコンドーム開梱装置の他の実施形態を示す平断面図である。
【０２４３】
図８８は、図８７に記載の装置のホルダーを示す平面図である。
【０２４４】
図８９は、図８７に記載のホルダーの平面図であり、コンドームが包装されていることを示す。
【０２４５】
図９０は、コンドーム開梱装置の他の実施形態を示す斜視分解図である。
【０２４６】
図９１は、図９０および９１に記載の組み立てられた装置を示す斜視図である。
【０２４７】
図９２は、図９０および９１に記載の実施形態における装置の斜視図であり、コンドームが開梱されていることを示す。
【０２４８】
図９３は、本発明に係るコンドーム開梱装置の他の実施形態を示す斜視図であり、コンドームが開梱されていることを示す。
【０２４９】
図９４および９５は、本発明に係るコンドーム開梱装置の他の実施形態における組み立て段階を示す斜視図である。
【０２５０】
図９６は、図９４および９５に記載の実施形態における装置を示す斜視図である。
【０２５１】
図９７は、図９４〜９６に記載の実施形態における装置の斜視図であり、コンドームが開梱されていることを示す。
【０２５２】
図９８は、図９４〜９６に記載の実施形態における装置の斜視図であり、コンドームが、開梱されておりホルダーによって保持されており装置から分離されていることを示す。
【０２５３】
図９９は、本発明に係るコンドーム開梱装置の他の実施形態を示す斜視分解図である。
【０２５４】
図１００は、図９９に記載の実施形態における装置を示す斜視図である。
【０２５５】
図１０１は、本発明に係るコンドーム開梱装置の他の実施形態を示す斜視分解図である。
【０２５６】
図１０２は、図１０１に記載の実施形態における装置を示す斜視図である。
【０２５７】
図１０３は、本発明に係るコンドーム開梱装置の他の実施形態を示す斜視分解図である。
【０２５８】
図１０４は、図１０３に記載の実施形態における装置を示す斜視図である。
【０２５９】
図１０５は、図１０３および１０４に記載の実施形態における装置の斜視図であり、コンドームが開梱されることを示す。
【０２６０】
図１０６は、本発明に係るコンドーム開梱装置の他の実施形態を示す斜視分解図である。
【０２６１】
図１０７は、図１０６に記載の装置を示す斜視図である。
【０２６２】
図１０８は、図１０６および１０７に記載の装置の斜視図であり、コンドームが開梱されることを示す。
【０２６３】
図１０９は、図１０６および１０７に記載のキーを示す断面図である。
【０２６４】
図１１０〜１１２は、本発明に係るコンドーム開梱装置の他の実施形態における組み立て段階を示す斜視図である。
【０２６５】
図１１３は、図１１０〜１１２に記載の実施形態における装置を示す斜視図である。
【０２６６】
図１１４は、図１１０〜１１２に記載の実施形態における装置の斜視図であり、コンドームが開梱されることを示す。
【０２６７】
図１１５は、他の実施形態において、上記のコンドーム開梱装置のホルダーを示す斜視図である。
【０２６８】
図１１６は、図１１５に記載の実施形態におけるホルダーを備えた装置を示す斜視分解図である。
【０２６９】
図１１７は、図１１５および１１６に記載の実施形態における装置を示す斜視図である。
【０２７０】
図１１８は、図１１５〜１１７に記載の実施形態における装置を示す斜視図である。
【０２７１】
図１１９は、本発明に係るコンドーム開梱装置の他の実施形態を示す斜視図である。
【０２７２】
図１２０は、図１１９に記載の実施形態における装置の斜視図であり、コンドームが開梱されることを示す。
【０２７３】
図１２１および１２２は、本発明に係るコンドーム開梱装置の他の実施形態における組み立て段階を示す斜視図である。
【０２７４】
図１２３は、図１２１および１２２に記載の実施形態における装置を示す斜視図である。
【０２７５】
図１２４は、図１２１〜１２３に記載の実施形態における装置の斜視図であり、コンドームが開梱されることを示す。
【０２７６】
図１２５〜１２７は、実施形態の１つにおいて外部容器から上記装置を分離することを示す斜視図である。
【０２７７】
図１２８は、他の装置実施形態における上記コンドーム開梱装置の部品を示す斜視分解図である。
【０２７８】
図１２９は、図１２８に記載の実施形態における装置を示す斜視図である。
【０２７９】
図１３０は、本発明に係るコンドーム開梱装置の他の実施形態を示す斜視分解図である。
【０２８０】
図１３１および１３２は、本発明に係るコンドーム開梱装置の他の実施形態における組み立て段階を示す斜視図である。
【０２８１】
図１３３は、基部における縁を示しており、当該基部は、縁に到達する溝を備えた箱によって構成されていることを示す拡大斜視図である。
【０２８２】
図１３４は、本発明に係るコンドーム開梱装置の他の実施形態を示す斜視分解図である。
【０２８３】
図１３５は、溝を備えた箱型の基部部分を拡大併置した斜視図であり、溝は狭窄部を備えることを示す。
【０２８４】
図１３６は、本発明に係るコンドーム開梱装置の他の実施形態を示す斜視分解図である。
【０２８５】
図１３７は、実施形態の１つにおける上記コンドーム開梱装置を示す側断面図である。
【０２８６】
図１３８は、図１３７に記載の装置を示す側断面図であり、コンドームが開梱されることを示す。
【０２８７】
図１３９は、図１３７に記載の装置におけるキーの斜視図であり、留め具を備えることを示す。
【０２８８】
図１４０は、図１３７に記載の装置におけるキーの留め具を示す斜視図である。
【０２８９】
図１４０は、図１３７に記載の装置の斜視図であり、フタが分離されることを示す。
【０２９０】
図１４２〜１４４は、他の装置実施形態におけるコンドーム開梱段階を示す斜視図である。
【０２９１】
図４１５〜１４７は、本発明に係るコンドーム開梱装置の他の実施形態における組み立て段階を示す斜視図である。
【０２９２】
図１４８は、図１４５〜１４７に記載の上記装置を示す斜視図である。
【０２９３】
図１４９および１５０は、図１４５〜１４８に記載の装置の開梱段階を示す斜視図である。
【０２９４】
図１５１は、他の実施形態における、上記コンドーム開梱装置のホルダーを示す斜視図である。
【０２９５】
図１５２〜１５４は、図１５１に記載の実施形態における上記装置組み立て段階を示す斜視図であり、装置がホルダーを備えていることを示す。
【０２９６】
図１５５は、図１５２〜１５４に記載の上記装置を示す斜視図である。
【０２９７】
図１５６は、図１５２〜１５５に記載の装置の斜視図であり、コンドームが開梱されることを示す。
【０２９８】
図１５７および１５８は、本発明に係るコンドーム開梱装置の他の実施形態における組み立て段階を示す斜視図である。
【０２９９】
図１５９は、図１５７および１５８に記載の装置の開梱を示す斜視図である。
【０３００】
図１６０は、本発明に係るコンドーム開梱装置の他の実施形態を示す斜視分解図である。
【０３０１】
図１６１は、図１６０に記載の上記装置を示す斜視図である。
【０３０２】
図１６２は、上記装置内で使用されうる代替ホルダーを示す斜視図である。
【０３０３】
図１６３は、図１６２に記載のホルダーの斜視図であり、分離されたリング部分を備えることを示す。
【０３０４】
図１６４は、図１６２に記載のホルダーの斜視図であり、コンドームが設置されることを示す。
【０３０５】
図１６５は、図１６２に記載のホルダーを示す断面図である。
【０３０６】
図１６６は、さらに他の実施形態における装置の斜視図であり、フタが分離されることを示す。
【０３０７】
図１６７は、図１６６に記載の装置におけるキーと押圧部との間の結合を示す側断面図である。
【０３０８】
図１６８は、さらなる他の実施形態における上記コンドーム開梱装置を示す斜視図である。
【０３０９】
図１６９は、図１６８に記載の装置に使用されるホルダーを示す斜視図である。
【０３１０】
図１７０は、図１６８に記載の実施形態における装置部品を示す斜視分解図である。
【０３１１】
図１７１は、図１６８に記載の上記装置の斜視図であり、コンドームが開梱されることを示す。
【０３１２】
図１７２は、さらなる他の実施形態における上記コンドーム開梱装置を示す側断面図である。
【０３１３】
図１７３は、図１７２に記載の上記装置を示す斜視図である。
【０３１４】
図１７４および１７５は、図１７２に記載の実施形態における上記装置の組み立て段階を示す斜視図である。
【０３１５】
図１７６は、図１７３に記載の装置を示す破断面図である。
【０３１６】
図１７７は、図１７２〜１７５に記載の実施形態における装置の斜視図であり、コンドームが開梱されることを示す。
【０３１７】
図１７８は、他の実施形態における未包装のホルダーを示す斜視図である。
【０３１８】
図１７９〜１８１は、図１７８に記載のホルダーからなる実施形態における装置の組み立て段階を示す。
【０３１９】
図１８２は、図１７９〜１８１に記載の実施形態における装置を示す斜視図であり、コンドームが開梱されることを示す。
【０３２０】
図１８３は、さらなる他の実施形態における未包装のホルダーを示す斜視図であり、ホルダーの拡大部が強調されている。
【０３２１】
図１８４および１８５は、図１８３に記載のホルダーからなる実施形態における装置の組み立て段階を示す。
【０３２２】
図１８６は、図１８４〜１８５に記載の上記装置を示す斜視図である。
【０３２３】
図１８７および１８８は、図１８４〜１８５に記載の装置実施形態におけるコンドーム開梱手順を示す斜視図である。
【０３２４】
図１８９および１９０は、他の実施形態における未包装のホルダーを示す斜視図である。
【０３２５】
図１９１〜１９４は、図１８９〜１９０に記載のホルダーからなる実施形態における装置の組み立て段階を示す。
【０３２６】
図１９５は、図１９１〜１９４に記載の装置を示す斜視図であり、フタが分離されコンドームが開梱されていることを示す。
【０３２７】
図１９６は、他の実施形態における未包装のホルダーを示す斜視図である。
【０３２８】
図１９７は、図１９６に記載のホルダーを備えた装置を示す斜視図である。
【０３２９】
図１９８および１９９は、図１９７に記載の装置実施形態におけるコンドーム開梱手順を示す斜視図である。
【０３３０】
図２００は、他の実施形態における装置を示す斜視図である。
【０３３１】
図２０１は、図２００に記載の実施形態における装置部分毎に区分化された斜視図である。
【０３３２】
図２０２および２０３は、図２００に記載された装置の開梱段階を示す斜視図である。
【０３３３】
図２０４および２０５は、図２０２〜２０３に記載の装置を示す部分断面図である。
【０３３４】
図２０６は、他の実施形態における装置を示す斜視図である。
【０３３５】
図２０７および２０８は、図２０６に記載された装置の開梱段階を示す斜視図である。
【０３３６】
図２０９は、他の実施形態における装置の平面図であり、フタが分離された状態を示す。
【０３３７】
図２１０は、図２０９に記載された装置の平面図であり、コンドームが開梱された状態を示す。
【０３３８】
図２１１は、他の実施形態における装置を示す斜視図である。
【０３３９】
図２１２は、図２１１に記載の実施形態における装置部品毎に区分化された斜視図である。
【０３４０】
図２１３および２１４は、図２１１に記載された装置の略平面図であり、コンドーム開梱段階を示す。
【０３４１】
図２１５は、他の実施形態における装置の斜視図である。
【０３４２】
図２１６は、図２１５に記載の実施形態における装置部品毎に区分化された斜視図である。
【０３４３】
図２１７は、図２１６に記載の実施形態における装置の斜視図であり、コンドームが開梱された状態を示す。
【０３４４】
図２１８は、実施形態の１つにおけるコンドーム開梱のための上記装置を示す側断面図である。
【０３４５】
図２１９は、図２１８に記載の装置を示す斜視図である。
【０３４６】
図２２０〜２２２は、図２１８に記載された装置の組み立て段階を示す斜視図である。
【０３４７】
図２２３および２２４は、図２１８に記載された装置の開梱段階を示す斜視図である。
【０３４８】
図２２５は、他の実施形態におけるコンドームを開梱するための上記装置を示す側断面図である。
【０３４９】
図２２６は、図２１８に記載された装置の斜視図である。
【０３５０】
図２２７および２２８は、図２２５に記載の実施形態における装置の組み立て段階を示す斜視図である。
【０３５１】
図２２９および２３０は、図２２５に記載された装置の開梱段階を示す斜視図である。
【０３５２】
図２３１は、他の実施形態におけるコンドームを開梱するための上記装置を示す斜視図である。
【０３５３】
図２３２および２３３は、図２３１に記載の実施形態における装置の組み立て段階を示す斜視図である。
【０３５４】
図２３４および２３５は、図２３１に記載された装置の開梱段階を示す斜視図である。
【０３５５】
図２３６〜２４０は、他の実施形態においてコンドームを開梱するための上記装置を示す斜視図である。
【０３５６】
図２４１および２４２は、図２３６に記載の装置の開梱段階を示す斜視図である。
【０３５７】
図２４３〜２４５は、上記装置内で使用されうる代替ホルダーの斜視図である。
【０３５８】
図２４６は、他の実施形態における装置の斜視図である。
【０３５９】
図２４７は、図２４６に記載の実施形態における未包装のホルダーを示す斜視図である。
【０３６０】
図２４８〜２５０は、図２４６に記載の実施形態における組み立て段階を示す斜視図である。
【０３６１】
図２５１は、図２４６に記載の実施形態における装置の斜視図であり、コンドームが開梱された状態を示す。
【０３６２】
図２５２は、他の実施形態における装置を示す斜視図である。
【０３６３】
図２５３は、図２５２に記載の実施形態における未包装のホルダーを示す斜視図である。
【０３６４】
図２５４および２５５は、図２５２に記載の実施形態における上記装置の組み立て段階を示す斜視図である。
【０３６５】
図２５６は、図２５２に記載の実施形態における装置を示す斜視図であり、コンドームが開梱された状態を示す。
【０３６６】
図２５７は、他の実施形態における装置の斜視図である。
【０３６７】
図２５８は、図２５７に記載の実施形態における未包装のホルダーを示す斜視図である。
【０３６８】
図２５９〜２６２は、図２５７に記載の実施形態における上記装置の組み立て段階を示す斜視図である。
【０３６９】
図２６３は、ボタンと箱との間の接続を示す側断面図である。
【０３７０】
図２６４は、図２５８に記載の実施形態における装置を示す上部断面図であり、コンドームが開梱されることを示す。
【０３７１】
図２６５は、他の実施形態における装置を示す斜視図である。
【０３７２】
図２６６は、図２６５に記載の実施形態における未包装のホルダーを示す斜視図である。
【０３７３】
図２６７〜２６９は、図２６５に記載の実施形態における上記装置の組み立て段階を示す斜視図である。
【０３７４】
図２７０は、図２６５に記載の実施形態における装置を示す上部断面図であり、コンドームが開梱されることを示す。
【０３７５】
図２７１は、他の実施形態における装置の斜視図である。
【０３７６】
図２７２は、図２７１に記載の実施形態における未包装のホルダーを示す平面図である。
【０３７７】
図２７３は、図２７１に記載の実施形態におけるホルダーの斜視図であり、ホルダー内部に保持されたコンドームが未包装の枠に設置されていることを示す。
【０３７８】
図２７４は、図２７１に記載の実施形態における上記装置部品毎に区分化された斜視図である。
【０３７９】
図２７５は、図２７１に記載の実施形態における装置の斜視図であり、コンドームが開梱された状態を示す。
【０３８０】
図２７６は、図２７１に記載の実施形態においてユーザーが装置に作用させる力を概略的に示したものである。
【０３８１】
図２７７は、他の実施形態における未包装のホルダーを示す斜視図である。
【０３８２】
図２７８は、図２７７に記載されたホルダーの斜視図であり、枠に設置されていることを示す。
【０３８３】
図２７９は、図２７７に記載の実施形態における装置の斜視図であり、コンドームが開梱された状態を示す。
【０３８４】
図２８０は、他の実施形態における装置の斜視図である。
【０３８５】
図２８１は、図２８０に記載の実施形態における装置の斜視図であり、コンドームが開梱された状態を示す。
【０３８６】
図２８２は、図２７８に記載のホルダーからなる装置を示す斜視図である。
【０３８７】
図２８３は、図２８２に記載の実施形態における装置の斜視図であり、コンドームが開梱された状態を示す。
【０３８８】
〔好ましい実施形態の詳細な説明〕
図１１〜２２は、平らな箱３で構成された基部からなるコンドーム開梱装置の実施形態の一つを表す。箱３は１つの開口端４を備える。箱３は２つの部品すなわちトレイ５およびフタ６からなり、部品は石鹸箱の部品のように互いに接続されている。箱のフタ６は、箱の一端からもう一端に伸びた溝６１が通る中央部を備える。トレイ５とフタ６接続部との間の接続は、接着剤あるいは取り外し可能な機械継手で固定されうる。箱３は、中身を保護し、手に持つことができるのに十分な強度を備えた、いかなる種類の素材からも作成されうる。箱は、例えばプラスチックからできうる。言い換えると、箱３は容器である。
【０３８９】
図１１、１２および１４によると、箱３の内部には、中空リング８からなるホルダー７が配置され、中空リング８は、当該リングの内径にそって伸びた成形チャンネルを備える。例えば上記従来使用されたコンドーム１は、チャンネル９内に収容される。リング８の開口と繋がったコンドームの端部を除いて、コンドーム１の大部分がリング内部に巻き込まれ、リング８の成形チャンネル９内に収容される。コンドームが巻かれたリングにおける均分円（ｅｑｕａｔｏｒ）を貫通した平面を、さらにコンドームに規定された平面とする。
【０３９０】
キー１１の台座１０は、ホルダー７の外側上でリング８と接続される。シート１０は、トレイ５に面した２つの支持部１３および１４を備えた板１２からなる。シート１０は、リング８に規定された平面上で、Ｌ型輪郭を有する横木１５によりリング８と接続され、板１２をフタ６直下にある箱３に確実に収容させる。本実施形態において、ホルダー７におけるリング８は、横木１５に対向する間隙１５４により接続されない。
【０３９１】
キー１１は、指で操作するのに適した大きさおよび形状を備え、下側面に２つのピン１６および１７を備える。キー１１は、ピン１６および１７により箱３外部に設置される。ピン１６および１７は溝６１を通過し、板１２における開口部２２および２３を通過する。ピン１６および１７は、斜め表面１８および１９を備え、開口部２２および２３の縁に結合された段部２０および２１を備える。したがって、キー１１が台座１０に保持されるように、ピン１６および１７はこれらの開口部においてロックされる。この場合、間隙２６は、板１２の上面２４とキー１１の下面２５との間に形成され、間隙２６の幅は、箱３の壁の厚さよりもやや広い。板１２の上面から突出し、かつ、キー１１の下側面を支える突起２７および２８によって、間隙が形成される。さらに、間隙は、ピン１６と１７との間にあるキー１１における下側面上の突起２９により形成される。突起２９は、開口部２２と２３との間にある台座１０における表面２４上に設置され、突起２７および２８と同じ高さである。突出部２７は、ホルダーに対向する鋭角を備える。
【０３９２】
ホルダー７におけるリング８、横木１５、台座１０およびキー１１は、一体化して形成されるか、互いに強固に接続した部品で構成されるかのいずれかである。ホルダー７におけるリング８は、コンドーム１とともに、包装２で構成される膜に包装される。包装２は、コンドーム包装に従来使用された包装の形状と同様の形状である。すなわち、包装は、図１１に示したように、縁において互いに接続された２枚のシート５１および５２を備える。好ましくは、包装２のシートはポリマー薄膜でできている。横木１５がリングから突出し、そのため包装２から突出している範囲において、包装２における縁は接続されておらず、横木１５を内包している。図１５に示したように、この範囲に近接した横木１５は、平らで鋭角の縁３０および３１を備える。そのため、包装２のシート５１および５２がしっかりと横木１５に内包され、包装が密封されうる。包装を確実に密封するために、包装２と横木１５との間の接続は接着剤またはシール（不図示）で密封されうる。
【０３９３】
包装２は、裂くのを容易にするために、弱くしたラインから構成されうる。これらのラインは、例えば包装が２層フィルムからできている場合に備えられうる。この薄膜の１つの層は、薄く、丈夫で、貫通できないものであり、もう１つの層はより強度が高く、２つの層の包装を裂いて開梱できるように弱くしたラインを備える。
【０３９４】
これらのラインの好ましい配置を図１６に示す。１本の弱くしたラインは、横木１５の突出部の逆側における包装２の縁に沿って伸びている。さらに、弱くしたライン３３および３４は、横木１５の突出部を囲んで包装の縁を通過する。ライン３３および３４の終端は、弱くしたライン３５に接続される。ライン３６は、溝６１と平行にライン３２からライン３５を通過する。
【０３９５】
包装２は、例えば箱３のトレイ５に接着される。箱の中の包装を機械的に保管することは可能である。例えば、包装内の少なくとも１つの縁開口部は、箱の内側で、それぞれの突起（不図示）と結合されうる。図１６に示したように、包装２がトレイ５に保管されている部分３７および３８は、好ましくは包装の縁にある横木の両側上にある。縁において、包装から横木１５が突出する。しかしながら、包装のより広い範囲は、包装を保管するのに使用されうる。例えば、包装は、その縁に沿って、またはトレイ５に隣接したシート５１の範囲、あるいはこの範囲の一部において、保管される。同様に、包装はフタ６にも接着されうる。
【０３９６】
図１７〜２２は、装置の組み立て手順を示す。第１に、台座１０が突出する包装２の中に包装されたホルダー７は、箱３におけるトレイ５内に設置される（図１７）。箱３の開口端４の逆側面上に台座１０を配置する。その後、フタ６（図１８参照）がトレイ５に接着される。フタは、必要な場合、基部に対して固定されうる。その後、溝６１を通してピン１６および１７を開口部２２および２３へ押し込み、板１２においてピン１６および１７を開口部２２および２３に留めることにより、キー１１が溝６１端部にあるフタ６の外側に設置される（図１９参照）。この場合、支持部１３および１４がトレイ５を支えるため、台座１０はキーから作用する力に耐える。組み立て後の装置を、図２０および２１に示す。
【０３９７】
装置は、下記のように作動する。ユーザーは手に装置を持ち、箱３における開口端４が前向きに、ユーザーとは逆方向を向くようにする。そして、親指をキー１１上に置く。同時に、ユーザーは他の指で装置を握る。
【０３９８】
それからユーザーは、親指がキーから滑らないようにその間に必要な摩擦を備えたキーを押す。そしてユーザーは、親指でキーを押したまま、コンドームに規定された板内の溝６１に沿ってキーが変位するように、キーにいくらかの力を加える。
【０３９９】
図２３に示すように、キー上に作用する力ベクトルは、２つの要素を備える。力の要素１０１は、キー変位ラインにそって向けられ、要素２０１はキー変位ラインに対して垂直方向に向けられる。力要素１０１はキーを動かし、力要素２０１は親指とキーとの間の機械的結合を提供し、摩擦力によって、親指がキーから箱表面に滑り落ちないようにする。
【０４００】
キーに作用する親指による力の方向は、キーの形によって決まることに留意されたい。加力表面がキー変位方向と垂直である場合（図２４参照）、親指の力ベクトルはキー変位の方向でキーに作用し、キー変位方向に対して垂直の力要素は存在しない。
【０４０１】
理論上は、キー変位の方向と要素２０１との両方に垂直な要素が存在するようにキーが作用されうる。例えば、ユーザーによる、キーに対する加力ベクトルが、要素１０１および２０１と同じ平面上に必ずしも存在しない場合、またはキーが非対称である場合である。この垂直要素があまり大きくない場合、装置の動作に影響はない。
【０４０２】
ピン１６および１７、および突起部２７、２８および２９は、案内面として使用される溝６１内に変位する。一方で、板１２の上面２４およびキーの下面２５は、間隙２６により、対応するフタの上および下に移動する。箱３の両壁は、溝６１とともにホルダー７に対する案内面としても使用され、箱３の開口端４を通って外側へ向かう方向以外にホルダーが変位するのを防止する。
【０４０３】
キー１１およびホルダー７におけるリング８は一体型であり、包装２が上記のように箱３に接着されているため、包装２はキー１１の変位を妨げる。したがって、キー１１の変位が始まると、ホルダー７の先端は内側から包装２の先端に対して突出し、鋭角を備えた突起２７（図１３参照）は包装の逆端に対して突出する。キー１１のさらなる変位により、包装２は先端で裂け、コンドーム１を備えたホルダー７が前方向に滑動して包装２から出て、開口端４を通って箱３から出る。同時に、包装２は突出部２７によって逆端で裂ける。引き裂き動作は、弱くしたライン３２から３６によって容易にできる。図面に示したように、キー１１は、コンドームに規定された平面に対して平行方向に変位する。キー１１が溝６１の片端まで変位する場合、ホルダー７は包装３から完全に分離する（図２２参照）。したがって、コンドーム１は装着準備ができており、ユーザーは箱３を手に持ったまま容易にコンドームを装着できる。
【０４０４】
したがって、片手およびその親指の１つの簡単な動作により、コンドーム１が開梱できる。これにより、簡単で迅速な開梱が可能になる。ホルダー７は親指により手動で変位されるため、膜を開梱するのに必要な力（この場合、包装２を裂くのに必要な力）は、膜の強度により制御されうる。これにより、確実な開梱が可能になる。したがって、コンドーム１の開梱手順によりユーザーの気が性交から逸れることはほとんどない。
【０４０５】
記載および示された実施形態における部分の形状としては、親指で、上向き対向キー１１を変位させるのが最も簡便な方法である。しかしながら、キー１１を動かすために、ユーザーの裁量でどの指でも使用されうる。
【０４０６】
ここに記載された全ての実施形態によると、指（好ましくは親指）が外向きの動作、すなわち、親指が飛び出しナイフを開けるのに用いられるのと同様の動作を行う間、基部は手に保持されている。その種の動作はユーザにとって自然で容易である。理論上は、コンドームは内向きの動作により開梱されうるが、上記の装置はこの種の動作に適合しないため、そういった動作はユーザーにとっては不都合である。
【０４０７】
図２５から２８に記載のように、変形型トレイ５、台座１０およびホルダー７が使用されうる。
【０４０８】
図２８には、コンドーム１を備えたホルダー７が箱３とは別に図示されており、ホルダー７は、板１２からなる台座１０が接続されたリング８からなお構成される。しかしながら、この実施形態は、板１２が支持体１３および１４を備えていないことを特徴とする。代わりに、トレイの底に支持体３９を備え、当該支持体は支持体１３および１４と同じ高さである（図２５から２７参照）。板１２を固定するために、組み立て後の装置の板１２における両側に、より高い支持体４０が２つ、横方向に配置される。キー１１が台座１０上に設置されている場合、キーは支持体３９上にあるため、キーから台座１０にかかる力は抵抗を受ける。さらに、台座１０は付加的に支持体４０に固定され、台座の横変位を防止する。開梱手順は上記と同じである。
【０４０９】
先端４は、フラップ４１および４２によって、開梱されるのではなく閉鎖されうる。これらのフラップは図２９および３０に示すように、ホルダーが前進した場合に開梱される。
【０４１０】
図３１から３４に図示したように、コンドームを内部に保持したホルダーが包装から分離しないように、フラップ４１および４２はロックを備えうる。コンドームを開梱する前に、ロックは解除される。ロックは、例えばフタ６の枢軸上に設置され、かつ、先端４、具体的には図３１から３４に記載されたフラップ４１および４２を内包した、ロッキングフック４３でありうる。
【０４１１】
基部は、必ずしも図１７から２１または図２５から２７に記載の箱の形をしているとは限らないことに留意されたい。箱の重量を低減するために、箱は開口部を備えうる（図３５）。基部は、例えば図３６のように、針金枠でもありうる。基部は、図３７に図示したように、膜に溶解された合成樹脂繊維網でもありうる。これらの繊維は、ユーザーが手で装置を持ちかつ膜に配置されたホルダーリングに接続されたキーに作用させた場合でも、膜が変形しないような丈夫さを備えている。これにより、繊維がない箇所において膜の破損が生じ、ホルダーに保持されたコンドームが開梱される。
【０４１２】
図３８から４０に記載された他の実施形態は、板１０３からなる基部を特徴とする。シート１５２は好ましくはポリマー薄膜でできており、例えば板１０３の縁に接着される。板は、手で板を保持できるような丈夫さを備えたいかなる素材であってもよい。例えば、板はプラスチックでできうる。コンドーム１を備えたホルダー１０７は、シート１５２と板１０３との間に設置されうる。したがって、板１０３は基部としての役割を果たすだけでなく、シート１５２とともにコンドームホルダーおよびコンドームの膜を形成する。キー１１１における台座１１０は、ホルダー１０７におけるリング１０８に接着される。本実施形態において、台座１１０は直接リング１０８に接続され、横木１５は使用されない。台座１１０の形状は台座１０の形状とは異なるが、台座１１０もまた、板１１２、および支持体１１３，１１４から構成される。板１１２は、キーのピン１１６および１１７を設置するために、２つの開口部１２２および１２３を備える。キー１１１は、キーのピンがシート１５２における対応開口部を通過するように、シート１５２の外側に設置されている。キーを設置する過程で、ピンが開口部を切り離すという実施形態があってもよい。したがって、シート１５２は、下方から台座１１０の上面１２４と結合し、上方からキー１１１の下面１２５と結合する。シートにおける部分１５０は、これらの表面の間に固定される。表面１２４および／または１２５は、シート１５２の隣接部１５０に接着され、コンドーム包装を密封しうる。
【０４１３】
コンドームを開梱するために、ユーザーは、キー１１１が仰向けでユーザーに対向するように手に装置をもち、同じ手の親指をキー１１１上に置く。その後、ユーザーはキーに対して親指を押し付け、親指とキーとの間に必要な摩擦を与え、親指がキーから滑り落ちるのを防ぐ。そして、キーを親指で押したまま、ユーザーは、コンドームに規定された平面におけるキーを変位させるようにキーに力を加える。
【０４１４】
キー１１１およびホルダー１０７は一体型であり、板３に接着されたシート１５２はキー１１１の変位を防止する。したがって、キー１１１が変位する場合、ホルダー１０７の前端が内側からシート１５２の前縁に配置され、シート１５２の部分１５０がキー１１１と台座１１０との間に固定されているため、シートの後ろ縁は伸張される。キーがさらに変位した場合、シート１５２は裂けるか、板１０３から分離するかのいずれかとなり、コンドーム１を備えたホルダー１０７は、シート１５２および板１０３を超えて、前方向に滑動する。同時に、シート１５２は、部分１５０と、シート１５２が板１０３に接着された部分との間の箇所で切り離されるか、板１０３から分離されるかのいずれかとなる。前記の実施形態における包装２と同様に、シート１５２は弱くしたラインを備え、シートの切断を促進および制御しうる。
【０４１５】
ホルダー１０７は、１つの側面からの板１０３および残りの３つの側面からのシート１５２によって、縦方向にのみ変位され、他の方向には全く変位されない。ホルダーにおいて、シート１５２の外側縁はリング１０８の軌道に沿って板１０３に接着されたままである。したがって、板１０３およびシート１５２は、ホルダー１０７の変位のための案内面としての役割を果たす。キー１１１が板１０３の縁に到達した場合、ホルダー１０７はシート１５２および板１０３を超えて移動する。したがって、コンドーム１は装着準備ができた状態であり、ユーザーは容易にコンドームを装着できる。その時、ユーザーは親指をキー１１１の上においたままで、下からホルダー１０７を支えるために人差し指を移動させ、親指と人差し指との間にあるホルダー１０７を固定する。板１０３は、手に保持されたままか、放されるかのいずれかである。
【０４１６】
したがって、片手およびその親指の１つの簡単な動作により、コンドーム１が開梱できる。これにより、簡単で迅速な開梱が可能になる。ホルダー１０７は親指により手動で変位されるため、膜を開梱するのに必要な力（この場合、シート１５２を裂くのに必要な力、またはこのシートを板１０３から分離する力）は、膜の強度により制御されうる。これにより、確実な開梱が可能になる。したがって、コンドーム１の開梱手順によりユーザーの気が性交から逸れることはほとんどない。
【０４１７】
図４１において、本実施形態の変形例を示す。図４１は、基部を特徴とし、基部は、シート１５２が接続されるのではなく、包装１０２が接続された板１０３によってまた形成される。包装１０２は、包装２のように縁で互いに接続された２枚のシート１５１および１５２から構成される。キー１１１を設置してコンドーム１を開梱する手順は、前記の例と同様である。
【０４１８】
本実施形態において、図４２から４４に示すように、板１０３は付加的な案内手段を備えうることに留意されたい。図において、膜を形成するシートは明確には記載されていない。付加的な案内手段とは、板１０３において板の一方の縁からもう一方の縁に向かって伸びるが、当該片方の縁には到達しない、溝１６１を指す。本実施形態において、図２８に記載のホルダー７のように、ホルダー１０７はリング１０８からなり、リングには、板１１２からなる台座１１０が接着される。しかしながら、図２８に記載のホルダー７とは異なり、ホルダー１０７における板１１２は、溝１６１に収容されたピン７０を底面に備え、片端に、ピン７０が溝１６１から分離するのを防止するための拡張部７１を備える。
【０４１９】
コンドームの開梱は、板１０３に溝１６１がないという上記の実施形態に記載のように実施される。しかしながら、溝１６１は付加的な案内面としての役割を果たし、それによりホルダーの変位がよりスムーズに行える。他の利点は、ホルダー１０７は（基部が溝を備えた箱であるという実施形態におけるホルダー７と同様に）、開梱の最終段階において基部から分離されないということにある。
【０４２０】
さらに、基部の他の実施形態を図４５から４７に示す。本実施形態によると、基部は、トレイ１８６からなり、トレイ１８６は、曲線形の縁を備えた板として形成された底部１５５を有する。底部１５５は、外側に屈曲したフランジ１５７を備えた、フランジ１５６の３つの側面に接している。トレイ１８６における端部１０４は開口している。ピン１３９および１４０は、シート１４８が横方向に動かないように用いられる。ホルダー１０７およびコンドーム１は（図３８から４０に記載のものと同様に）、トレイ内に設置される。シート１９４は、コンドーム１を備えたホルダー１０７がシート１９４下のトレイ１８６内にあるように、トレイの端に接着される。したがって、シート１９４はトレイ１８６とともに、コンドーム１を備えたホルダー１０７が収容された膜を形成する。キー１１１を設置してコンドームを開梱する手順は、前記の例と同様である。トレイ１８６は曲線形の縁を備えるため、ポケットに保管しやすい。
【０４２１】
図４８から５２は、本発明に係る他の実施形態を示す。図において、基部は長方形のシート（例えば、ボール紙やプラスチック）からできている。シートの縁は管１８７を形成するように折曲されており、管１８７は開口面２０４および１６４を備え、上面に縦断溝を備える。この管において、コンドーム１を備えたホルダーが収容される。本実施形態において、ホルダー１０７は、板１５８からなるキー台座１４９と接続された、リング１０８からなる。板１５８から伸張しているのは、円錐台の形をしたピン２１６であり、ピンは端に円形開口部１６６を備える。図４９および５０に記載のように、ピン２１６は溝２６１を通って伸張する。この溝は、管の端２０４および１６４と同様に、例えば粘着テープといった接着膜で被覆される。キー１１１はピン２１６上に設置され、その下側面に円筒形の突起１６５を備える。突起１６５は、薄膜における開口部を通過する。この開口部は、突起を取り付ける間に引き裂かれうる。この例において、管１８７は、薄膜１９５とともに、コンドームの膜を構成する。
【０４２２】
コンドーム１を開梱する場合、ユーザーは、親指を用いてキー１１１を溝２６１に移動させる。したがって、端部２０４上の薄膜は、ホルダー１０７における前部の縁によって引き裂かれ、ホルダー１０７は管１８７から分離する。キー１１１を溝２６１の端まで変位させることにより、ホルダー１０７が管１８７から完全に分離する。したがって、コンドームは装着準備ができた状態であり、ユーザーは容易にコンドームを装着できる。その時、ユーザーは親指をキー１１１の上においたままで、下からホルダー１０７を支えるために人差し指を移動させ、親指と人差し指との間にあるホルダー１０７を固定する。管１８７は、手に保持されたままか、放されるかのいずれかである。
【０４２３】
明らかに、管１８７と類似の手段は、図４１に図示した上記記載の、包装され、かつ、コンドーム１を備えたホルダー１０７のための基部として使用されうる。この場合、包装１０２は管１８７に接着されるべきである。本実施形態は、図５３および５４に図示されている。この場合、コンドーム１は上記のように開梱される。一般に、基部は、その主な目的が達成される限りは、多くの異なる実施形態で実施されうる。目的とは、手で装置を確実に保持できるようにすること、基部を膜に確実に接続させること、および基部に対してコンドームを備えたホルダーを確実に変位させることである。上記の目的に加え、他のいくつかの構造は、前述の要件を満たす。例えば、包装の縁が接着されたＵ型構造（図５５から５７参照）や、包装の縁がまた接着された長方形の枠（図５８および５９参照）などである。もう１つの例は、包装が接続されたトレイ（図６０および６１参照）であり、当該包装は、図１８に記載の包装がトレイ５に接続されるように接続されている。図５８および５９に記載の実施形態において、下記のいくつかの実施形態と同様に、包装は２つに折り畳まれた１枚のシートからなり、両縁が接着される。
【０４２４】
図６２から６６には、ポリマー薄膜２５２が、板２０３で構成された基部における縁に接着される、もう１つの実施形態が記載されている。コンドーム１を備えたホルダー２０７は、シート２５２と板２０３との間に設置される。傾斜したスラスト表面２６０を有するキー２１１は、ホルダー２０７におけるリング２０８に直接接着される。したがって、キー２１１を備えたホルダー２０７は、板２０３およびシート２５２で形成された膜内に完全に内包される。
【０４２５】
コンドームを開梱するために、ユーザーは、キー２１１が仰向けに自分の方に向くように、手で装置を持つ。キー２１１は、シート２５２にしっかりと被覆された突起として認識できる。そして、同じ手の親指をキー２６０の上に置き、膜を通してキーを探り当てる。その後、手で板２０３を持ち、ユーザーは親指でいくらかの力をキー２１１に加え、ホルダー２０７を膜の外へ押し出す。押し出しは、１つの動作または複数の動作を含みうる。後者の場合、ユーザーは何度か親指を離し、再度位置決めをする必要がある。
【０４２６】
キーに作用する親指の力ベクトルは２つの要素を有する。キー変位ラインに沿って向けられた要素は、矢印として図６８に図示されている。一方、キー変位方向に対して垂直の要素は図示していない。しかしながら、図２３に記載の実施形態とは対照的に、親指とキーとの間の機械的結合を生成させて、摩擦力によって親指がキー上に滑り落ちないようにする必要はない。そのような結合が生成された場合、親指とキーとの間に固定された薄膜は、伸張して、キー変位を防止するからである。したがって、キーに作用する間、薄膜が親指とキーとの間を確実に滑動するように、親指を用いる必要がある。
【０４２７】
したがってユーザーは、親指の圧力が強すぎて親指が薄膜に沿って滑動しないように、または、圧力が弱すぎて親指が傾斜したキー表面の上を滑動しないことのないように、親指の圧力を調節する必要がある。
【０４２８】
シート２５２は板２０３に接着され、ホルダー２０７の変位を防止する。したがって、ホルダーが変位を始めると、ホルダー２０７の前縁は、シート２５２の前縁に対して内側から押出する。ホルダー２０７がさらに変位した場合、シート２５２の前縁は引き裂かれ（図６４参照）、または、板２０３から分離され、コンドーム１を備えたホルダー２０７はシート２５２および板２０３を超えて前方向に滑動する。前記の実施形態に記載された包装２および１５２に関して、シート２５２は、制御可能な方法で引き裂きを容易にする、弱くしたラインを備える。キー２１１が板２０３の縁まで変位した場合（図６５および６６参照）、ホルダー２０７はシート２５２および板２０３から完全に分離される。同時に、ユーザーは親指以外の指を移動させてホルダー２０７を保持し、板２０３を放す。このことにより、コンドーム１は装着準備完了の状態となり、ユーザーは容易にコンドームを装着できる。
【０４２９】
図６７は、本実施形態の変形例を示す。変形例において、基部は、包装２０２からなる膜に接続された板２０３から構成される。包装２０２は、互いに縁で接着されたシート２５１および２５２からなる。コンドーム１は、通常、前述の例に記載されたのと同様の方法で開梱される。
【０４３０】
本実施形態において、図４２から４４に記載されたものと同様の付加的案内手段を、板２０３が備えることに留意されたい。
【０４３１】
明らかに、包装の下に配置されている（図４１参照）か、または膜における下壁を形成している（図３９参照）かのどちらかである基部は、必ずしも長方形の板ではなく、様々な異なる方法で実施されうる。例えば、基部は、図４５から４７に記載されたものと同様のトレイでありうる。この例は図６９から７１に記載されている。キー９９を備えたホルダー３０７は、図６２に記載のホルダーと同様に設計されている。このホルダーは、トレイ型の基部１８８内に設置される。図４５から４７に記載の実施形態と同様に、コンドーム１を備えたホルダー３０７がシート１９４下のトレイ１８８内に設置されるように、シート１９４をトレイの縁に接着させる。本実施形態は、キー９９が外側ではなく、シート１９４下に設置される点において異なる。
【０４３２】
図７２から７４の示す実施形態において、装置は付加的な案内手段、すなわち板２０６を備え、この板に、溝３６１がある。溝は、板の一端からもう一端へ向かって通っており、かつ、一端には到達しない。本実施形態において、ホルダー３０７は、接着されたキー３１１によりリング３０８を保持する。図４２に記載の、ホルダー１０７における板１１２に関して、キー３１１は、下側面にピン１７０を備える。ピン１７０は溝３６１に収容され、かつ、ピン１７０が溝３６１から脱離しないように、拡張部１７１を先端に備える。隆起部７２は、板２０６と基部２５５との間に配置され、それらの間に間隙を作る。設置の間に、隆起部７２上に板２０６が設置される。この間隙は、拡張部１７１に嵌合させるために必要である。
【０４３３】
コンドームを開梱するとき、ユーザーは、キー３１１が仰向けに自分の方に向くように、手で装置を持つ。キー３１１は、シート１９４にしっかりと被覆された突起として認識できる。そして、同じ手の親指をキー２６０の上に置き、膜を通してキーを探り当てる。その後、手でトレイ１８９を持ったまま、ユーザーは親指でいくらかの力をキー３１１に加え、ホルダー３０７を膜の外へ押し出す。シート１９４の前縁は引き裂かれ、コンドーム１を備えたホルダー３０７が、シート１９４および板１８９を超えて前方向に滑動する。溝３６１は、付加的な案内面としての役割を果たし、ホルダー３０７の変位をよりスムースにする。キーが溝の端に到達した際、キーは溝と結合したままであり、開梱の最終段階においてホルダー３０７は基部（この場合、トレイ１８９）から分離されない。コンドーム１は装着準備完了の状態であり、ユーザーはコンドームを容易に装着できる。トレイ１８９が円形状の縁を備えるため、ポケットにトレイを保管し易い。
【０４３４】
トレイ型の基部および薄膜外にあるキーからなる実施形態（図４５から４７参照）において、同様の付加的案内手段が使用されうるのは明白である。この組合せは図７５から７９に図示されている。
【０４３５】
ホルダーの後端にキーを配置する必要はない。図８０は、リング型ホルダー７７を示す。ホルダー７７の上面に、キー１２０を備えた円形板５８が設置されている。図８１は、板状基部２０３とポリマー薄膜シート２５２との間の膜内に設置されたホルダーを示す。薄膜シート２５２は、その両端がホルダーに接着されている。キーが移動された場合、円形板５８がホルダーリングを押し出し、ホルダーによって薄膜２５２を引き裂く。それにより、コンドームが開梱できる。コンドームを装着している間に、板５８は陰茎により除去されうる。代わりに、ユーザーは板５８を手動でホルダーから除去することもできる。
【０４３６】
前述の例に見られるように、コンドームが装着準備のできた状態のとき、コンドームを内部に保持したホルダーの上面が取り外されている必要はない。例えば、コンドーム装着の際に軸となるフタが、上面を被覆しうる。表面を分離するためには、コンドームを内部に保持したホルダーの下面を露出しさえすればよい。
【０４３７】
板２０３上に設置され、成形された固定のフタ２０５（図８２参照）もまた使用されうる。この場合、フタ２０５で被覆されていない包装の上面部分だけを用いて、薄膜を通してホルダーを押圧する。
【０４３８】
前述例の全てにおいて、ホルダーリングおよびキーの構造が開示されている。実施例において、コンドームに規定された平面に対して垂直な平面内において、キーに作用する指の力ベクトルが存在する。キーは装置の上面に設置されるとしてもよい。しかしながら、いくつかの実施形態において、コンドームに規定された平面内にこのベクトルが存在する。これらの例において、キーは側面に沿って設置されるとしてもよい。この構造の実施形態は、図８３から８７に示す。基部は平らな箱３０３であり、箱は１つの開口端を備え、かつ、２部品トレイ３０５およびフタ３０６からなる。トレイ３０５およびフタ３０６は、石鹸箱の部品のように互いに接続されている。トレイとフタとの接続は、接着剤または取り外し可能な機械的結合で確保されうる。箱３０３における１側面上に、トレイ３０５における側面３７３、およびフタ３０６における側面３７４は、対応の切り込み３７５および３７６をそれぞれ備える。切り込みの間で溝３６２が形成され、溝は、部分３０５および３０６の両端に到達しない。
【０４３９】
中空リング１７８からなるホルダー１７７は、箱３０３内に収容される。本実施形態におけるリング１７８は間隙２５４を備えており、接続されていない。
【０４４０】
コンドーム１は、ホルダー１７７におけるリング１７８の環状チャンネル内に収容される。Ｌ型板２４８は、リング１７８により規定された平面内に配置され、さらに、リング１７８における外縁に接着される。Ｌ部分に対応する板２４８における部分３７９は、リング１７８から半径方向に通っている。一方で、他のＬ部分に対応する板２４８における部分３８０は、部分３７９から横断方向に延びている。板２４８は、図８７に最もよく示されている。板２４８における外側端上にあるリング円周に、キー３２１が接線方向に配置されている。箱における分離可能な部分の間に間隙が形成されるため、キーは分離可能な部品では必ずしもない。したがって、リング１７８、板２４８およびキー３２１は一体化して形成される。
【０４４１】
ホルダーリング１７８およびコンドーム１は膜内に包装される。この場合、膜は包装３０２から構成される。包装は、１枚のシートを折って２つにしており、さらに、縁が接着されている。膜３０２が形成されるシートは、好ましくはポリマー薄膜からできている。包装３０２の両縁は接続されないままで、部分３７９を内包する。これらの縁において、板２４８における部分３７９が包装３０２から延伸して出る。包装３０２は、その側面の縁によって、箱３０３における内側に接着される。包装３０２は、図８３において点線で示された弱くしたラインからなる。
【０４４２】
図８３から８５は装置の組み立て手順を示す。第１に、包装３０２の中に包装されたホルダー１７７が、箱３０３におけるトレイ３０５内に設置され（図８３）、箱３０３における端３０４の逆側に板２４８が設置される。そして、板２４８における部分３８０が切り込み３７５内に設置される。その後、フタ３０６（図８４参照）がトレイ３０５上に配置され、もし必要であればトレイ３０５に固定される。組み立て後の装置を図８５に示す。
【０４４３】
装置は下記のように使用される。箱３０３の端３０４が仰向けでユーザーの逆向きになるように、ユーザーは装置を把持し、親指をキー型の突起３２１上に置く。それから、ユーザーは親指でキーにいくらかの力を加える。板２４８における部分３８０が、案内面として用いられる溝３６２に移動し、一方で、キー型突起３２１が箱３０３の外に移動する。箱３０３の壁は、ホルダー１７７への付加的案内面として使用される。この壁により、ホルダーが箱３０３の開口端３０４を通って外側方向にのみ変位するようにする。
【０４４４】
キー型突起３２１およびホルダー１７７におけるリング１７８は一体型であるため、包装３０２はキー型突起３２１の変位を防止する。前述の通り、この包装は箱３０３に接着されているためである。したがって、突起３２１が変位を始めた場合、ホルダー１７７の前側の縁が、内側から包装３０２の前側の縁に対して押出する。さらに、包装の逆側において、板に接着された範囲と箱３０３に接着された範囲との間で、板２４８における部分３７９が包装の端を延伸させる。一方で、包装の縁に対して部分３８０が押出する。キー型突起３２１がさらに変位した場合、包装３０２は弱くしたラインに沿って裂け、コンドーム１を備えたホルダー１７７は前方向へ滑動し、箱の開口端３０４を通って包装３０２および箱３０３の外に出る。キー型突起３２１が溝３６２の端まで移動した場合、ホルダー１７７は包装３０３から完全に分離する（図８６参照）。したがって、コンドーム１は装着準備ができた状態であり、ユーザーは、箱３０３を手に持ったままで容易にコンドームを装着できる。
【０４４５】
したがって、片手およびその親指の１つの簡単な動作により、コンドーム１が開梱できる。これにより、簡単で迅速な開梱が可能になる。ホルダー１７７は親指により手動で変位されるため、膜を開梱するのに必要な力（この場合、包装３０２を裂くのに必要な力）は、膜の強度により制御されうる。このことにより、確実な開梱が可能になる。したがって、コンドーム１の開梱手順によりユーザーの気が性交から逸れることはほとんどない。
【０４４６】
装置の表面およびそれら表面上にあるキーは、コンドームに規定された平面に対して平行または垂直に設置されるとは限らないことに留意されたい。実際、コンドームは折り畳まれ、この場合、リングに巻き込まれて水平に設置されている。したがって、軽量でポケットに保管できるように、装置の形状は通常平らであり（すなわち、少なくとも装置の一面は比較的小さい）、上面、底面および側面は判別できる。しかしながら、表面（およびこれら表面にあるキー）は、コンドームに規定された平面に対して厳密に平行または垂直ではなく、通常、３０度から４５度傾斜しうる。
【０４４７】
キーが箱の側面上にある場合の実施形態においても同様のことが関連している。キーが上面にある実施形態と同様に、基部が前述の例のような箱形状である必要は必ずしもない。基部の主な目的を達成するために、多くの異なる基部設計が使用されうる。目的とは、手で装置を持てるようにすること、膜を基部に接着させること、さらに、基部に対して、コンドームが保持されたホルダーを変位させることである。これらの要件を満たす、最も簡素な設計は、Ｕ型部材を基部として用いたものだと考えられる。そのような基部を備えた装置が図８８から９２に図示されている。
【０４４８】
本実施形態におけるホルダーは図８８に図示されている。板２４９は外側において、ホルダー１７７におけるリング１７８に接着される。板は２つの部品からなる。すなわち、角状部１７９、およびリングから略半径方向に延伸した延伸部１８０からなる。角状部１７９における縁１８１は、リング１７８から半径方向に延伸する。延伸部１８０の端上にあるキー型突起３２４は、リングの円周に対して接線方向に配置される。リング１７８、板２４９および突起３２４は一体化して形成される。
【０４４９】
図８９に図示したように、コンドーム１を保持したホルダーにおけるリング１７８、および板２４９における部分１７９は、包装３９２からなる膜の中に包装される。さらに、包装３９２の縁は、板２４９の部分１８０がリングおよび包装３９２から突出している範囲とは接続されず、部分１８０を内包する。包装３９２は、その外側縁によって、側面２８６の内側に接続される。包装３９２は、図８９において点線で示された弱くしたラインからなる。
【０４５０】
装置は下記のように使用される。ユーザーは、手に装置を持ち、親指をキー型突起３２４上に親指を置き、他の指で側面２８６を把持する。そして、ユーザーの親指によって、いくらかの力をキーに加える。角状部１７９の縁を側面２８６まで押し付け、角状部１７９をホルダー１７７とともに、案内面として使用される側面２８６に沿って滑動させる。結果として、縁が側面２８６に接続された包装３９２は、伸張し、弱くしたラインに沿って裂ける。側面２８６の縁までの角状部１７９の変位、ホルダー１７７は包装３９２から完全に分離し、ホルダーの案内面、すなわち側面２８６、から脱離する。一方で、ユーザーは指を移動させてホルダー１７７を保持し、側面２８６を放す。結果として、コンドーム１は装着準備ができた状態となり、ユーザーはコンドームを容易に装着できる。図９３は変形例を示す。変形例において、側面２８６が延伸するため、ホルダー１７７が包装３９２から分離した場合でも、ユーザーは、角状部１７９を側面２８６に押圧し続けることができる。したがって、ホルダー１７７は側面２８６に接続されておらず、ユーザーは指を動かしてホルダーを把持する必要がない。
【０４５１】
図９４から９８に記載の装置は、同様の方法で使用される。すなわち、この装置の基部は、底面１０５および上面１０６といった２つの部分からなるＬ型保持構造である。当該２つの部分は、周知の技術で互いに接続されている。これらの部分の間に固定することによって、包装３０２の両端は留めつけられる。この設計により、基部を包装３０２の側面だけでなく後面にも接着することができ、ホルダーの変位の際に包装が破損するのを防ぐことができる。したがって、ユーザーは、包装を裂くための力を容易に制御できる。
【０４５２】
図９９、１００、１０１および１０２、ならびに１０３から１０５において、基部についての３つの他の変形を示す。それぞれ、底板を備える外形、本型、および開口側面かつ開口端を備えた箱、である。
【０４５３】
図１０６から１０９は、下記の実施形態を示す。基部は、コンドームを備えたホルダーを内包している膜（包装２４１）の両側に、２つの板２２０および２２１を備え、包装は、両板に接着されている。キー２４２が押圧されると、キー２４２は板２２０および２２１の円周から延伸し、板の縁に対して押出する。コンドームを開梱する際、ユーザーは板の縁２４３および２４４を押圧し、キー２４２を移動させる。ホルダーを包装２４５の逆の縁に対して押出する間に、キー２４２を板２２０および２２１に対して押出する。したがって、板２２０および２２１の縁、ならびに包装２４５の縁は、ホルダーのための案内面を形成する。図１１０から１１４には、基部が、１つの開口側面、および、薄膜３５２または接着テープにより密封された開口後端を備える箱である装置が記載されている。図４８から５２に記載されたように、管の表面および溝を同様に備える。本実施形態において、キーがホルダーと一体化していることは殆どない。したがって、図８８に記載のキー型突起の代わりに、キーに対する台座３１２が延伸部２８０の端に備えられ、台座は２つの開口３２２および３２３を備える。さらに、キー３２５は、これらの開口に収容されたピン３１６および３１７上の外側から接着され、薄膜における対応開口を通過する。薄膜は、キーを配置する際に引き裂かれうる。
【０４５４】
他の可能な実施形態において、コンドームを備えたホルダーおよびキーの両方が包装２０２内に完全に包装される。図６７に記載の実施形態と同様に、ホルダーを包装から押し出すことにより、コンドームを開梱する。側面にキーが配置されたこの実施形態は、図１１５から１１８に図示する。前述の２つの例について、基部は、１つの開口側面および１つの開口後面を備えた箱２８８である。コンドームを備えたホルダー２７７およびキー型突起は包装３９３内に完全に包装されている。包装を開梱する際、ユーザーは箱２８８を手に持ち、キー３２６を親指で移動させ、ホルダー２７７を膜の外に押し出す。
【０４５５】
いくつかの他の装置を下記に示す。
【０４５６】
図１１９および１２０は、装置を概略的に示したものである。装置において、基部は取手を備える。本実施形態において、コンドーム開梱の際にユーザーは親指を用いてキーを変位させ、一方で、他の指は基部の取手を把持する。したがって、本実施形態において、ユーザーは、把持可能部分の外側に配置された、装置の一部を変位させる。この例において、装置の上部に作用することによりコンドームは開梱されるが、装置の側面に作用することにより開梱できるよう、装置を容易に改良することができる。
【０４５７】
前述の実施形態において、ユーザーはキーに作用し、基部に対して、コンドームに規定された平面にあるホルダーを変位させる。一方で、膜は基部に対して固定されたままである。ホルダーおよびコンドームの表面を被覆する包装部分が変位する間、ホルダーが基部に対して固定されたままである場合の実施形態が可能である。
【０４５８】
図１２１から１２４は、把持可能範囲内に位置する部分を、ユーザーが変位させる場合の実施形態を示す。コンドームを内部に備えたホルダーは、基部として使用されるＵ型枠３２０に固定される。枠３２０は、上面、底面および前面から枠を被覆する薄膜シート３１９に接着される。シートは、枠３２０とともにコンドームの膜を形成する。枠はフタ３１８を備え、フタ３１８は、縁の１つに沿って接続部材３４０により互いに接続された、２つの板からなる。フタ３１８は、板がコンドームに規定された平面に対して両側にあるように、枠上に設置される。フタ３１８は、前進移動するように適合され、薄膜３１９に接続（例えば接着）される。組み立て後の装置を図１２３に示す。包装を開梱する際に、ユーザーはＵ型枠３２０における縁１６２および１６３を把持し、スラスト部３３０に親指を押し付け、フタ３１８を移動させる。したがって、図１２４に矢印で示された方向に、フタが、仰向けの接続部３４０とともに変位される。フタ３１８に接続された薄膜３１９の部分は、引き裂かれ、フタ３１８とともに変位し、結果としてコンドームを内部に保持したホルダーの表面を剥離させることになる。本実施例において、開梱手順の間、親指は装置の上面に作用するが、側面から開梱できるように、装置を容易に変更できうる。
【０４５９】
前述の実施形態におけるコンドーム開梱装置は、全て、外付けの箱およびケースに付加的に設置されうる。このことは図１２５から１２７に記載されている。図面から明らかなように、外付けの箱６２は１端をフラップ状のフタ６３で閉じられ、フタ６３は粘着部６７によって箱６２に接着される。装置の取り外しを容易にするために、箱６２におけるフタ６３の下に、半円状の切欠き６３を備える。フタ６３の端にプルタブ６９が設置されており、片手でフタを開けることができるようになっている。その後、装置は片手で箱から取り出され、上記の方法で開梱される。
【０４６０】
基部が、箱のフタにおいて溝型案内路を備えた箱３である場合の実施形態において、他の溝からなるもう１つの案内路が設置されうる。図１１から２２に示された実施形態において、弱くしたラインが溝の真下に延伸し、これによりこのラインに沿って突発的に膜が裂けることがあったのに対し、本実施形態の場合、図１２８から１３０に示した通り、案内溝２６２が膜の弱くしたラインの方向に変位する。とりわけ、案内路として２つの溝を用いることにより、開梱の際にキーを箱の上に安定して配置することができ、安定して変位することができる。
【０４６１】
図１１から２２に記載の実施形態とは対照的に、本実施形態は、１対のピン２１８および１対のピン２１９を備えたキー３２７からなり、ピン２１８および２１９は、キー台座３４８にある１対の開口部２２２および１対の開口部２２３にそれぞれ設置されている。
【０４６２】
図１３１および１３２は、トレイ３３５における１対の側面とフタ３３６との間の間隙が付加的な案内路として使用される場合の実施形態を示す。この場合、トレイ３３５およびフタ３３６は、それらの一致する側面において間隙をそなえ、間隙においてキー支持体２１３および２１４が収容される。
【０４６３】
溝３６３は、ホルダーを変位させる間に、案内路として使用され、溝はフタ３３６にまで達しうる。それにより、必要であれば、ホルダーからフタ３３６を分離させることができる。例えば、図１３３は、フタ３３６の縁まで達した溝３６３を示す。
【０４６４】
溝３６３は、前面に狭窄部７８を備えうる。それにより、コンドーム使用についての２つの実施形態が可能となる。開梱の際、コンドームを備えたホルダーは箱に接続されたままでありうる。したがって、ユーザーはコンドームを装着できる。ユーザーがキー３２８をさらに加力して押した場合、コンドームを備えたホルダーおよびキーは箱２８９から分離される。その後、ユーザーはキー３２８部分によってコンドームを把持しながら、コンドームを装着することができる。
【０４６５】
図１３４は、溝３６４が箱の後面まで達する場合の実施形態を示す。本実施形態は下記の場合に用いられる。ホルダーおよびキー３２８が取り外し不可であり、かつ、包装されたホルダーを、後端から箱２８９に挿入することにより、装置を組み立てる必要がある場合である。
【０４６６】
さらに、コンドーム開梱の際に、キーおよびホルダー変位は、引き裂き可能な膜により抵抗を受ける。しかしながら、前述の通り、膜を裂くのに必要な力は膜の厚さにより異なる。したがって、膜の厚さだけに抵抗力を起因させないことが望ましい。抵抗力を調整できる何らかの機械的装置を導入することが望ましい。この特徴により、コンドームおよびホルダーを備えた包装が突発的に裂ける可能性が低減されうる。
【０４６７】
これは、別の方法でも達成されうる。例えば図１３５は、溝１３５を備えた箱の上面を示し、溝１３５がキー変位を制限する狭窄部４４からなることを示す。図１３６は箱の下部にある突起４５を示し、この突起は、台座３４９の下の対応突起４６と結合し、ホルダー変位に対する防壁となる。
【０４６８】
図２９および３０は、折り畳まれていないフラップ４１および４２からなる箱の前張りを備える場合の実施形態を示す。これらのフラップは、ホルダー変位の間に容易に開梱されると考えられる。さらに、これらのフラップは、ホルダー変位に対する防壁として実施されうる。
【０４６９】
溝６１は、容易に裂くことのできる素材でも接着されうる。例えば、素材はラベルでありうる（図示せず）。このラベルは、キーが前方向に変位する際に裂け、この手順は、キー変位に対する付加的な抵抗力をも誘発する。ラベルの安全性は、包装の安全性を示唆しうる。
【０４７０】
図１３７から１４１は、ホルダーとキーとの間に滑車として働く伝動装置が内蔵され、キーの変位を短くすることによりホルダーの全運動を提供することを特徴とする、実施形態を示す。
【０４７１】
図１３７は、コンドーム１を備えたホルダー３７７を示し、コンドームは溝３６５を備えた箱２９０内に収容されることを示す。ホルダー３７７は膜３９４内に包装され、一方で、ホルダー３７７における板１１５が膜の外に部分的に配置される。他の例と同様に、膜３９４は箱２９０に接着される。キー２９０は、箱２９０の外で、溝３６５内に設置されたピン１００上に設置される。箱２９０の中で、ピン１００の端に留め具８１が設置される。ワイヤー８２が留め具を通る。図１３９はキー３２９に接続された留め具８１を示し、図１４０は留め具のみを示す。ワイヤー８２の一端８３が板１１５に接着されており、もう一方の端８４は、箱２９０のフタにおける内側の突起８５で固定されている。ワイヤーの端は、ワイヤーを固定するのに必要な従来手法により接続されうる。
【０４７２】
キー３２９の変位の際、留め具８１がワイヤーを引っ張り、ワイヤーが、板１１５およびホルダー３７７を前方および上方へ引っ張る。箱２９０が上方への変位を防止するため、ホルダー３７７はキー変位方向に向かって前進する。しかしながら、留め具を通過するワイヤーにより形成され、かつ、箱２９０のフタの内側における端８４で固定された滑車により、ホルダー３７７の変位距離は、キー３２９の変位距離よりも長い。
【０４７３】
本実施形態において、キー３２９はホルダー３７７にぴったりと固定されてはいない。そのため、ホルダーが前進した後、基部２９０に対してホルダー３７７を固定するには、箱の底面を、溝３６５を備えた板で補強する必要がある。一方で、ホルダーは、板３６５の溝を通過するピン２７０で補強され、かつ、変位可能性を備える必要がある。このピンは、図４２から４４に記載のものと同様に、拡張部２７１を備える。
【０４７４】
図１４２から１４４は、把持可能部分３４５および変位可能箇所３４６という２つの部品からなる箱２９１の実施形態を示す。コンドーム１を備えたホルダー３８７は把持可能部分３４５を備え、変位可能箇所３４６は膜３９５に接着されている。膜において、コンドーム１を保持するホルダー３８７が設置される。変位可能箇所３４６における上面は、スラスト部３６０を備えている。
【０４７５】
コンドームを開梱する際に、ユーザーは手で把持可能部分を把持し、親指を用いてスラスト部３６０に作用する。そして、把持可能部分３４５に対して、コンドームに規定された平面に変位可能部分３４５を変位させる。したがって、膜が一部分（３４６）に接着されるのに対し、ホルダー３８７は他の部分（３４５）に接着されているため、膜はホルダーによって裂ける。その後、変位可能箇所３４６は振り落とされ、ホルダー３８７はコンドーム１を離し、コンドーム１は楽に装着されうる。
【０４７６】
図１４５から１５０において、さらなる他の実施形態を示す。本実施形態によると、コンドーム開梱装置は、１つの開口面３１４を備えた平らな箱２９２として実施される基部からなり、箱２９２はトレイ３５５およびフタ３５６という２つの部品からなる。箱の側面において、箱のフタ３５６は突起９０および９１を備え、突起９０および９１は、トレイ３５５における、対応の溝９２および９３に設置される。これらの溝は、トレイ３５５に対してフタが移動できるように、案内路として使用される。フタは、切頂四面体角錐の形状であり、１つの側面にスラスト表面６０を備える。
【０４７７】
コンドーム１を備えたホルダー３９７は、箱２９２内に設置される。コンドーム１を備えたホルダー３９７は、フタ３５６に接着された包装３９６内に包装される。ホルダー３９７のリング３９８に、横木２１５が接着される。図１４５は、ヒンジ継手を備えた横木２１５に接続された、フタ３５６を示す。フタの底部において、横木２１５は、拡張部３７１を備えたピン３７０を有する。箱２９２におけるホルダー下に、板４７が設置され、この板は縦断溝３６６の通った中心部を特徴とし、溝３６６内にピン３７０が設置される。底部と板４７との間に拡張部３７１を設置する可能性を与えるために、トレイ３３５内の、底部からいくらかの距離において、板４７を固定する。包装３９６はフタ２９２に接続されるだけでなく、トレイ３５５または板４７、あるいはその両方に接続される。
【０４７８】
図１４５から１４８は、装置の組み立て手順を示す。第１に、包装３９６内に包装され、かつ、枢軸上に接続されたフタ３５６を備えたホルダー３９７が、ピン３７０を溝３６６に設置することにより、板４７に接着される。包装３９６は、フタと板の両方に接着される。その後、フタ３５６、ホルダー３９７および板４７からなる組み立て体は、トレイ３５５に設置される。組み立て後の装置は図１４８に示す。
【０４７９】
装置は、下記のように使用される。ユーザーは、箱２９２における開口端３１４が前を向くように保持し、スラスト表面６０に親指を置く。同時に、ユーザーは他の指で装置を保持する。その後、ユーザーは親指を用いてスラスト表面６０を押し、トレイ３５５に対して、案内面に沿ってフタ３５６を移動させる。ピン３７０は溝３６６内に変位し、包装３９６を裂く。すなわち、フタ３５６に接着された包装上部が、フタおよびホルダーに沿って移動される。フタ３５６は、図１４９に記載の位置まで移動し、包装３９６の上部とともに旋回し、コンドーム１を内部に備えたホルダー３９７が露出される（図１５０参照）。したがって、コンドーム１は装着準備ができた状態であり、ユーザーは、手で箱３０３を把持する間に、容易にコンドームを装着できる。
【０４８０】
したがって、上述の例と同様に、片手のみ、かつ、簡単な親指の一動作でコンドーム１を開梱できる。
【０４８１】
図１５１から１６１は、ホルダーから分離して実施されたキーの実施形態を示す。キーとホルダーとの機械的接続とは、それらが互いに結合することである。レッジ７２を備えた押圧部３４２は、キー３４１に配置される。押圧部はホルダー板３４４に結合され、ホルダー板は手で把持しうる状態で実施される。したがって、キーを移動させる間、これらの部分は、ホルダーが変位するために結合される。
【０４８２】
図１５２は組み立て手順を示す。この手順において、キー３４１は押圧部３４２とともに、箱の上部３５０における溝３４７内に挿入される。ホルダーおよびコンドームを備えた包装３５１は、箱３５４におけるトレイ３５３に接着される（図１５３）。その後、箱のフタはキーとともに、箱のトレイ内に挿入され（図１５４）、レッジ３４３を備えた押圧部３４２が、板３４４と結合する。キー３４１を変位させる場合、押圧部と板３４４のキーとの間の相互作用により、ホルダーが箱から押し出される（図１５６）。ホルダーが完全に押し出されたとき、ホルダーは箱から分離されるが、キーは溝内に残ったままである。その後、ユーザーは板３４４によりホルダーを取り、コンドームを装着する。
【０４８３】
前述の例において、膜は、包装ポリマー薄膜シートとして実施されており、シートは、縁によって接着される。膜は、または、膜に接続されたシートを備えた板を形成する。他の実施形態も可能であることに留意されたい。例えば、膜は、ホルダーにより作用された場合、遮断可能な丈夫な素材でできた、硬い箱として実施されうる。コンドームがホルダーとともに、接着剤で縁を密封された紙またはポリマーシートに折り畳まれる実施形態。このシートは、シートの縁が結合されていないホルダーにより作用された場合、引き裂かれず、開かれる。
【０４８４】
基部を膜に設置することにより、膜と基部との接続は実施されうる。図１５７から１５９において、包装型の膜に設置された板３５７として実施される基部を示す。コンドームを保持したホルダーは、基部に沿って包装内に設置される。図３８から４０に記載の手段により、キーは包装を通って（図１５８参照）ホルダーに接着される。コンドームを開梱する際に、ユーザーは手で板を持ち、包装の縁を押し、板に対して縁を固定する（図１５９）。上記の他のいくつかの基部も、膜内で使用されうる。図１６０および１６１は、２つの縁に沿って接続された、２つの平行板からなる基部を示す。図１０４および１０５に記載された装置において、同種の基部が使用されている。キーを備えたホルダーが包装内部に設置されうるが、包装の境界から離れないことに留意されたい。
【０４８５】
上述の例において、内径に沿って通った成形溝を備えた中空開口リングによって、ホルダーが構成されることを検討する。背景技術の項では、多くのコンドームホルダー設計が記述されている。コンドームホルダーは本願の本質ではないため、これらのコンドームホルダーの全てが、本発明に係るコンドーム開梱装置内で使用されうる。図１６２から１６５に記載されたホルダーは、本発明とともに実施されうる。
【０４８６】
図１６２および１６３は、ホルダーが、主にＣ型断面を備えた開口リング２００として実施されることを示す。開口リングは、２つの伸縮性のある横木９７および９８からなる（図１６５）。横木９７および９８は、コンドーム装着の際に、ホルダーを分離させるのに使用される。これを達成するために、ユーザーはホルダーを横方向に変位させ、リングの一部が横木９７および９８部分で開かれ、分離される（図１６３参照）。したがって、ホルダーが分離されうる。図１６４は、コンドーム１が設置されたホルダーを示す。
【０４８７】
図１６６から１６７に、支持体から分離したキーについての他の実施形態を示す。
【０４８８】
本実施形態において、手で把持するように適合された板１４４を備えたホルダーが、包装１４５内に収容されている。
【０４８９】
板１４４が包装に内包された箇所で包装１４５と隣接した押圧部１４７が、キー１４６に設置されている。
【０４９０】
キー１４６が引き出された場合、包装１４５を通った押圧部１４７と板１４４とが結合しているため、部分１４７を押圧することによりホルダーが箱から押し出される。したがって、包装は押圧部１４７と板１４４との間を滑動し、接触部において包装が裂けることはない。ホルダーは完全に押し出され、箱から分離するが、キーは溝内に残ったままである。ユーザーは板１４４のホルダーを取り、コンドームを装着することができる。
【０４９１】
図１６８から１７１に記載のさらなる他の実施形態において、装置は、平らな箱４００からなる基部を含みうる。箱は１つの開口端を備え、互いに接続された、パレット４０２およびフタ４０３という２つの部材からなる。
【０４９２】
パレット４０２は、板の２つの逆側においてフランジ４０５および４０６により規定された板４０４として形成された、底部を含むトレイとして形成される。上記フランジは図１７０に記載のように、１側面に円形の縁を備える。
【０４９３】
フタ４０３は、パレットに向かって屈曲した縁４０７を備えた板として形成される。上記板は溝４０８が通った中心部を備え、溝の始点は板の縁の１つであり、終点はもう１つの縁には到達しない。
【０４９４】
図１６８に記載の通り、コンドーム１を内部に保持したホルダー４０９は、箱４００内に設置される。キー４１１は、外縁においてホルダーに接着される。上記キーは傾斜したキー表面４１２を備える。コンドーム１を備えたホルダー４０９は、箱４００に接着された包装４１０内に収容される。
【０４９５】
ホルダー４０９が箱４００内に設置された場合、キー４１１は板４０４の上に押し出し、キー表面４１２が延伸して溝４０８から出る。ここで、溝４０８の幅はキー４１１の幅と同じであり、それにより、上記キーの横方向の変位を防止する。
【０４９６】
図１７２から１７７において、さらなる他の装置についての実施形態を示す。本実施形態において、１つの開口端２３７を備える箱２９６により形成された基部は、フタ２２９およびパレット２３０という２つの部材からなる。フタ２２９上に、溝２２４が通る中心部、および互いに対向する２つの切り込みが形成される。上記切り込みはフタ２２９の内側に設置され、フタ２２９はその二面上で溝２２４に沿って通っている（図１７５）。互いに対向する切り込み２２７および２２８はパレット２３０上に形成される。パレットは、切り込み２２５および２２６の反対にあり、部分２３１および２３２を含む。当該部分はフタ２２９に向かって屈曲し（図１７２、図１７４）、かつ、箱２９６における壁４４０にそって通っている。壁４４０は、図１７２に記載のように、パレット２３０の表面４３８、およびフタ２２９の表面４３９によって形成される。互いに接続されたパレット２３０およびフタ２２９とともに、部分２３１および２３２は、連続したＵ型案内路を形成する切り込み２２５および２２６に接続される。
【０４９７】
図１７３および１７５に記載の通り、ホルダー２３３は箱２９６内に設置される。切り込み２３９および２４６は、コンドームに規定された平面にある、ホルダー２３３の外側に形成される（図１７６）。上記切り込みの形状は、切り込み２２７および２２８の外形に対応する。
【０４９８】
ホルダー２２３は、伸縮性のある帯板２３５によって、キー２３４に接続される。上記帯板の端は、切り込み２２５，２２６および２２７，２２８にそれぞれ設置され、変位の可能性がある。帯板２３５の１端は、横木２３８によって切り込み２３９においてホルダー２３３に接続される。帯板２３５のもう１端は、溝２２４を通る部分２３６によって、キー２３４に接続される。図１７２に記載のとおり、ホルダー、板およびキーが全体を形成する。しかしながら、それらは別々に実施され、必要な耐久性を備えた従来手段により、互いに接続される。
【０４９９】
図１７５に示したように、帯板２３５は切り込み２２７，２２８および２２５，２２６内に設置され、部分２３１および２３２を内包する。ここで、切り込み２２７と２２８との間に横木が設置される。帯板２３５の幅が上記切り込みによって形成される溝２４０の幅を上回るという事実のため、上記溝を通って上記帯板が突出する可能性は除外される。
【０５００】
コンドームを開梱する際に、箱の開口端２９６が前向きで、ユーザーの反対を向くように、ユーザーは手で装置を把持し、キー２３４上に親指を置く。それから、ユーザーはキーに作用し、ユーザーの方向に向かってキーを変位させる。キーは帯板２３５によってホルダーに接続されているため、ユーザーがキーに加える力は、帯板を通ってホルダーに伝達される。これにより、ホルダー２２３がキー変位方向とは逆方向に変位し、ホルダーは箱２９６から出る。
【０５０１】
上述の装置において、開梱の際に、拡張可能ホルダーを使用してもよい。
【０５０２】
図１７８から１８２に記載の装置実施形態において、基部は、１開口端を備えた平らな箱２９５によって形成され、箱は、上述のようにパレット１９０およびフタ１９１という２つの部材からなる。フタ１９１は溝１９２の通った中心部を含み、始点は１つの側面に、終点はもう１つの側面にある。
【０５０３】
図１８０および１８１に図示したとおり、箱２９５は、伸縮性のある２本の横木１６８および１６９を備えた開口リング１６７からなるホルダーを含む。上記リングは略Ｃ型側面を備える（図１７８）。コンドーム開梱の際に、伸縮性のある横木１６８および１６９によってリング１６７の範囲が拡大する。
【０５０４】
横木１７２を通った外側において、キー１７４の支持体１７３がリング１６７と接着される。横木１７２の両側において、拡張部１８２および１８３を備えたピン１７５および１７６が、ホルダーリング１６７に接着される。横木１８４および１８５によって、ピン１７５および１７６がホルダーリングに接続される。したがって、伸縮性のある横木１６８および１６９は、横木１８４と１７２との間、さらに、１７２と１８５との間に、それぞれ設置される。
【０５０５】
図１７９に図示したとおり、コンドーム１を備えたホルダーリング１６７は、弱くしたラインを有する包装３８８内に収容される。
【０５０６】
溝１９６および１９７を備えた板１９３は、箱２９５におけるホルダーの下に設置され（図１７９から１８１）、図１７９に図示されたように、上記溝は収束しており、板の１１つの側面を通るがもう１つの側面には到達しない。ピン１７５および１７６は溝１９６および１９７に設置される。
【０５０７】
板１９３は、底部から離れた位置にあるパレット１９０に固定され、それにより、上記底部と板１９３との間に拡張部１８２および１８３を設置することができる。
【０５０８】
図１７９から１８１において、装置組み立て手順を示す。第１に、溝１９６および１９７にピン１７５および１７６を設置することにより、包装３８８に収容されたホルダー１６７が板１９３に接着されるため、包装が上記板に接着される。その後、ホルダーおよび板からなる組み立て体が、パレット１９０に設置され、フタ１９１が置かれ（図Ｂ４）、必要であれば、上記パレットに対して固定される。さらに、フタ１９１の外側にキー１７４が配置される。
【０５０９】
装置は下記のように動作する。箱の開口端２９５が前向きで、ユーザーの反対を向くように、ユーザーは手で装置を把持する。そして、ユーザーは親指でキー１７４に作用し、箱の開口端に対してキーを変位させる。したがって、ピン１７５および１７６は溝１９６および１９７に変位し、包装が裂けてコンドーム１を備えたホルダーが突出する。開梱の最終段階において、ピン１７５および１７６は溝１９６および１９７における収束部に沿って変位する。したがって、横木１６８および１６９が配置された部分が屈曲するため、リング１６７は拡張する（図１８２に記載）。結果として、ホルダーリングが箱から完全に出る。したがって、コンドームは伸張し、装着準備ができた状態になる。
【０５１０】
図１８３から１８８に図示したさらなる他の実施形態において、ホルダー２０９は、内径にそって通る成形溝２１１を備えた中空リング２１０を含む。さらに、コンドーム１が上記リングに設置される。リング２１０は伸縮性のある部分２５７、２５８および２５９を含むため、リングが包装内に収容された場合にはホルダーの大きさを低減できる。部分２５９において、キー２１２の支持体２６６が横木２６３を通ってリング２１０に接着される。横木２６３の両側において、拡張部３８１および３８２を備えたピン２６７および２６８が、横木２６４および２６５を通ってホルダーリングに接着される。横木２６４および２６５は伸縮性のある部分３８３および３８４を含む。
【０５１１】
コンドーム１を備えたホルダー２０９は、包装２７４内に収容され、箱２６９に設置される。箱はパレット３８５およびフタ２５０という２つの部材からなり、フタは中央溝２５３を含む。ホルダーが伸縮性のある部分を備えるため、ホルダーは折り畳まれ、包装内にコンパクトに設置されうる。さらに、ホルダー２０９のこの設計により、伸張しない形状でコンドームを保管することができる。
【０５１２】
箱２６９におけるホルダー２０９下に、平行溝２７２および２７３を備えた板２４７が設置されている（図１８４）。上記溝は板の縁を横断し、もう一方の縁には到達しない。ピン２６７および２６８は上記溝に設置され、変位可能性を備える。したがって、溝２７２および２７３は溝２５３よりも短い。
【０５１３】
コンドーム１を開梱する場合、ユーザーは片手で箱２６９を把持し、キー２１２を作用し、ホルダー２０９を変位させる。ピン２６７および２６８が溝２７２および２７３の端に到達した場合、キー２１２は動作し続ける（図１８７）。したがって、図１８８のように、横木２６４および２６５が屈曲し、ホルダー２０９が広がってコンドーム１を伸張させる。
【０５１４】
図１８９から１９５に記載の装置で使用された、ホルダー２７９は、図１８３から１８８に記載のホルダーと同様にピン２６７および２６８を含むが、キーの支持体を有していない。本実施形態において、装置はＸ型部材２７６を備え（図１９３）、部材２７６は、ホルダー２７９をピン２６７および２６８に接着するのに用いる伸長開口部２８１および２８２からなり、かつ、キー１９９を設置するための開口部２８３および２８４からなる。板２８５は、板１９３と類似している（図１８０）。
【０５１５】
図１９１から１９４に装置の組み立て手順を示す。第１に、溝２９８および２９９にピン２６７および２６８を設置することによって、包装２９７に収容されたホルダー２７９が板２８５に接着される。したがって、包装は上記板に接着される。さらに、ホルダーおよび板からなる組み立て体がパレット３８６に設置され、一方で、Ｘ型部材２７６がピン２６７および２６８上に設置される（図１９３）。その後、フタ１９８が置かれ（図１９４）、必要であれば、上記パレットに対して固定される。さらに、フタ１９８の外側にキー１９９が配置される。
【０５１６】
キー１９９が変位する場合、ピン２６７および２６８は、互いに平行な溝２９８および２９９に変位する。ピンは収束部を通り、互いに向かって変位し、開口部２８１および２８２に変位する（図１９５）。ピン２６７および２６８が溝２９８および２９９の端に到達した場合、ホルダーは箱から完全に突出して広がる。したがって、コンドーム１は装着準備ができた状態となり、ユーザーは箱をもったままでコンドーム１を容易に装着できる。
【０５１７】
図１９６から１９９に図示されたさらなる他の装置実施形態において、ホルダー３００は、グリップ３１０を備えた平らな開口リング、および、キー３１３によって形成される。キーはピン３７２を備え、リング３０１の外側に接着されている。ホルダーリング３０１は、取手３１３の両側にあるリング３０１の内側に設置された、伸縮性のある横木３３１および３３２を備える。上記リングは、基部との接続部に使用される溝３３３および３３４によっても提供される。
【０５１８】
図１９７に図示されたように、装置の基部は板３７８からなるトレイ３１５を含む。板３７８はフランジが３面を画成し、中央溝３３７を備える。開口端３５９に隣接したフランジ３５８の２つの逆側面に、伸縮性のあるひも３３８および３３９が接着される。上記ひもは部材３６８および３６９を備え、部材は、ホルダー３００における溝３３３および３３４にひもを固定するのに使用される。
【０５１９】
図１９８から１９９において、開梱段階を図示する（コンドームがホルダーに設置されていない状態である）。ユーザーは手でトレイ３１５を把持し、同じ手の親指でキー３１３に作用し、開口端３５９を通って、トレイからホルダーを変位させる。ひも３３８および３３９（ホルダー３００に固定されている）が伸張することによりホルダーが伸張する。キー３１３のさらなる変位により、ホルダーが完全に広がる。
【０５２０】
図２００から２０５に示されたさらなる他の実施形態が最も好ましいものと考えられる。本実施形態において、ホルダー４２２は、ヒンジ４４５によって接続されたアーク４４３および４４４を備える。ホルダー４４２はばね針金４４７を備え、ばね針金は、ヒンジ４４５の軸を内包する中間部分において屈曲部４４８を備える。針金４４７の端は、アーク４４３および４４４に形成された切り込み４４９および４５０内に固定される。
【０５２１】
図２００に示されたように、コンドーム１を内部に保持するホルダー４４２は、パレット４５２およびフタ４５３という２つの部材からなる箱４５１内に設置される。フタは、溝４５４を備える。ホルダーのアーク４４３および４４４は伸縮性のある横木４５５および４５６を備えており、この横木によって、ホルダーを変形させることができる。この変形により、ホルダーを箱の中にコンパクトに収容することができる。
【０５２２】
キー４５７は、ピン４５８（ピンは溝４５４に設置されている）上の箱４５１の外側に設置され、伸縮性のあるひも４５９によってホルダーに接続される。ひもの１端はピン４５８に接着され、もう１端は、ヒンジ結合４４５の軸４６１を備えた開口部４６０を有する。結合４４５は、開口部４６０に設置されている。ひもの両端は、十分な耐久性をもつあらゆる手段によって固定されてもよい。
【０５２３】
キー４５７が変位する場合、ひも４５９が伸張し、ホルダー４４２を前に引っ張る。
【０５２４】
ホルダーが溝の端まで変位することにより、ホルダーが完全に延伸するという上記実施形態とは対照的に、本実施形態では、キーが溝４５４の端まで変位することにより、ホルダーが定位置に変位する。これにより、ねじによる加力、および、ホルダーアークと、箱の開口端にある壁４６２および４６３との相互作用によって、ホルダーが箱から自動的に突出することができる。図２０４および２０５において、キーが溝の端に到達した場合（図２０４）、および、ホルダーが包装から分離した後（図２０５）の、キーおよびホルダーの相対的な位置を示す。ホルダーとキーとのこの種の接続により、ホルダーを箱からスムーズに出すことができる。
【０５２５】
図２００から２０５に記載の実施形態とは対照的に、図２０６から２０８に記載の実施形態においては、ひも４５９の代わりにブラケット４６４が設置され、ブラケット４６４はピン４５８に接着され、かつ、伸長開口４６５を含む。変位可能性を備えた上記開口に、ヒンジ結合４４５における軸４６１が設置される。
【０５２６】
図２０７および２０８に記載の開梱手順は、図２０２および２０３と類似している。キー４５７が端部に到達した場合、ホルダー４４２は自動的に変位し、ヒンジ結合の軸８６が開口４６５に変位する。図３９および４０において、キーが溝の端に到達した場合（図３９）、および、ホルダーが包装から分離した後（図４０）の、キーおよびホルダーの相対的な位置を示す。
【０５２７】
他の実施形態において、ホルダー４６６は平らな開口リング４６７からなる。横木４６９によって、取手４６８がリング４６７の外縁に接着される。軸４７０は、横木４６９上に設置される。ホルダーは、ねじりばねからなる旋回部４７２を中央部に備えた、ねじ針金４７１を有する。上記ねじにより、ホルダーにより規定された空間が拡張した時の状態で、ホルダーが保持される。旋回部４７２が軸４７０を内包し、針金４７１の端４７３および４７４は、横木４６９の両側にある溝４７５内に固定される。
【０５２８】
図２０９および２１０に記載のように、開口端４７７に向けて広がった箱４７６内に、ホルダー４６６が設置されている。
【０５２９】
箱の本設計により（図２００から２０８に記載の上記２つの実施例と同様に）、ばね４７２の伸縮力、および、開口端４７７における、ホルダー４６６と箱の壁４７８および４７９との相互作用によって、ホルダー４６６が箱４７６からスムーズに変位できる。
【０５３０】
図２００から２０５に記載の装置に使用されたホルダー４４２は、図１７８から１９９に記載の実施形態においては、開梱装置内にも収容されうる。この場合、コンドーム開梱の際にねじの剛性を低くする必要がある。キーを変位させることによって、ホルダーおよびコンドームを伸張させるのに必要な力の一部が加えられるからである。
【０５３１】
図２１１から２１２に記載の実施形態において、基部は包装４１４を備えた板４１３からなる。包装４１４は、板４１３に接着された、ホルダーおよび内包のコンドームを備える。
【０５３２】
装置は、伸縮部材４１５および４１６を備え、伸縮部材の端にそれぞれ接着されたＬ型部材４１８および４１９からなる。上記Ｌ型部材は、図２１２に記載のように、板４１３上にある対向した切り込み４３６および４３７内に固定される。部材４１５および４１６のもう１端は、横木４２０によって互いに接続される。
【０５３３】
ホルダーはキー４２１の支持体４１２を備え、支持体４１２は、横木４２０を内部に固定した横断溝４２２を備える。支持体４２１は溝４２２から両側に設置された開口部４２３および４２４からも構成され、上記開口内に収容されたキー４２１を備える。
【０５３４】
装置は、下記の通り動作される。ユーザーは、キー４２１がユーザーの方を向くように装置を手にもつ。ユーザーはキー４２１にさらに作用し、キーをコンドームに規定された平面に変位させ、ユーザーから遠ざける。したがって、図２１３に記載のように、部材４１５および４１６が屈曲する。中間点を通過する際に、部材４１５および４１６は、屈曲段階の間、上記部材において生成された伸縮力によって伸長し、上記部材によってホルダーが変位する（図２１４）。したがって、ユーザーは支持体に作用する必要がないか、支持体に少しだけ力を加える必要があるかのいずれかである。
【０５３５】
図２１５から２１７において本実施形態の変形例を示す。この実施形態によると、基部は開口側面４３５を備えた平らな箱４２５からなる。箱４２５は２つの部材、パレット４２６およびフタ４２７からなり（図２１６）、上記２部材の側面にそれぞれ形成された、切り込み４２８、４２９、４３０および４３１を備える。上記切り込みを通って、部材４１８および４１９が箱４２５から突出する。上記パレット上に突起４３２および４３３が形成される。上記２つの突起は、切り込み４２９および４３０（不図示）から両側に設置され、２つの突起内に上記部材４１８および４１９が固定される。
【０５３６】
装置は、図２１１から２１４と類似の方法で動作する。
【０５３７】
図２１８から２２４は、本発明に係る実施形態の１つを示す。本実施形態によると、コンドーム開梱のための上記装置は、平らな箱２９３からなる基部で構成される。箱２９３は、パレット４９およびフタ５０という２つの部材からなる１つの開口端４８を備える。２つの部材は石鹸箱のように側面で接続されている。箱のフタ５０は溝３６７が通った中央部をそなえ、溝は一方の縁から始まり、もう片方の縁に終端がある。パレット４９とフタ５０とは、接着剤または取り外し可能な機械的接続によって接続されうる。箱２９３は、例えばプラスチックといった、箱の中身の安全性を確保し、かつ、手で装置を把持できるような耐久性を備えた、いかなる素材でも作られうる。言い換えれば、箱２９３は容器である。
【０５３８】
図２１８、２２２および２２３に示されたように、箱２９３はトレイ５３を含み、トレイ５３は、フランジにより４面を規定された底部を備える。フランジは、トレイの１つの側面において厚くなっており、表面５４を形成する。表面５４上に、指で作用するのに適した形状およびサイズのキー５５を設置する。キー５５は、溝３６７を通った横木５６によって表面５４に接続されるため、キー５５は箱のフタ５０の上方にある。トレイ５３の表面５４、横木５６およびキー５５は、一体化して形成されうるか、または、互いに堅く接続された複数の部材から構成されうる。表面５４は、横木５６の高さに対応する突起５７をも備える。突起５７は、フタ５０の下部に固定され、フタをキー５５の下部に押し付けるため、箱２９３の上部とキー５５の下部との摩擦を生み出し、トレイ５３に対して箱２９３が突発的に変位する可能性を除外する。
【０５３９】
トレイ５３に設置されたホルダー５９は、成形溝６５を備えた中空リング６４を含む。溝６５は、コンドーム１（例えば、上述の従来のコンドーム）を配置したトレイの内径に沿って通っている。コンドーム１におけるより大きい部分はリングに巻き込まれ、リング６４の開口部を被覆するコンドーム１の端以外は、リング６４におけるポケットに設置される。コンドームを巻き込んだリングの均分円（ｅｑｕａｔｏｒ）を通る平面を、コンドームに規定された平面と称する。平面に接着された取手７３を備えた横木６６は、ホルダー５９におけるリング６４の外縁で接着される。本実施形態において、ホルダー５９におけるリング６４は、横木６６の逆側に間隙７４を備えているため、開口している。
【０５４０】
本実施形態において、コンドーム１を備えたホルダー５９は、ホルダーの取手７３がキー５５に対向するようにトレイ５３内に設置される。ただし、トレイ内部のホルダーおよび取手について、別の配置も可能である。図２２２に記載のように、トレイ５３の縁上にシート７５が接着されるため、シート７５の下にあるトレイ５３内に、コンドームを備えたホルダー５９が設置される。したがって、トレイ５３を備えたシート７５が、コンドーム１を収容したホルダー５９の膜を形成する。
【０５４１】
シート７５は弱くしたラインを備えてもよく、ラインに沿ってシートは容易に裂けうる。図２２１から２２２に示したように、１つの弱くしたライン７６がシートの全周を通り、一方で、もう１つのライン７９がシートに沿って溝３６７と平行に通り、薄膜の逆縁でライン７６と接続する。
【０５４２】
シート１７は、フタ６の下部に接着、例えば糊付けされる。
【０５４３】
図２２０から２２２は、装置組み立て手順を示す。第１に、箱２９３におけるトレイ５３にホルダー５９が設置され（図２２０）、キー５５が設置された箱２９３の側面に、ホルダーの取手７３が設置される。さらに、トレイ５３は薄膜７５に接着される（図２２２）。さらに、トレイ５３は、フタ５０にさらに被覆されたパレット４９内に設置され（図２２２）、溝３６７内に横木５６が設置される。フタ５０は、必要であれば、パレットに対して固定される。組み立て後の装置を図２１９に示す。
【０５４４】
装置は、下記のように動作する。ユーザーは、箱２９３の開口端４８が前向き、つまり、ユーザーの反対方向を向くように手で把持し、指をキー５５上に置く。ユーザーは、他の指で装置の基部を把持する。それから、ユーザーは親指でキーを押し、指とキーとの間に必要な摩擦力を与え、指がキーから滑り落ちないようにする。さらに、ユーザーは、箱２９３の上部とキー５５の下部との間に形成された摩擦力を十分に超える程度の力をキーに加え、親指でキーを押したまま、コンドームに規定された平面にある溝３６７に沿ってキーを変位させる。
【０５４５】
案内路として使用される溝３６７内に、横木５６が変位する。トレイ５３の表面５４、およびキーの下部は、フタ５０の上面および下面にそれぞれ変位する。
【０５４６】
キー５５が溝３６７の端まで変位すると、トレイ５３が箱２９３から完全に突出する（図２２３）。したがって、シート７５は弱くしたラインに沿って裂け、シートのより大きい部分はトレイ５３から分離する（図２２３参照）。トレイ５３は水平面に設置され（不図示）、同じ手で箱の取手７３を把持したまま、ホルダー５９がトレイ５３から分離する。したがって、コンドーム１は装着準備ができた状態である。
【０５４７】
したがって、片手の親指の簡単な動作でコンドーム１が開梱できる。これにより、簡便で迅速な開梱が可能になる。ホルダーは、片手で保持するように適合されるため、コンドームに関する全ての動作を片手で行うことができる。トレイ５９は指によって手動で変位されるので、膜を開梱するのに必要な力（この場合、シート７５を裂くのに必要な力）は、膜の強度によって調整されうる。これにより、確実な開梱が可能となる。したがって、コンドーム１の開梱作業によって、ユーザーの気が性交から逸れることはほとんどない。上記の実施形態および面に示した部材の形状は、ユーザーが親指でキー５５の表面の変位に使用するのに最適に作られる。必要であれば、ユーザーは親指の代わりに他の指でキー５５を変位させてもよい。
【０５４８】
図２２５から２３０に記載の他の実施形態において、コンドーム１を備えたホルダー５９におけるリング６４は、図２２７に記載のように、従来のコンドームに使用された包装と類似した包装８０内に収容される。包装８０は好ましくはポリマー薄膜でできている。リングおよび包装８０から横木５６が突出している部分において、包装８０の縁は接着されておらず、横木５６を包含する。
【０５４９】
本実施形態において、トレイ８６は、４面が全てフランジで規定された底部を備えるが、図２１８から２２４の実施形態とは対照的に、キー８７を配置するための面を備えていない。
【０５５０】
キー８７は、ホルダー５９におけるリング６４に直接接続されている。この目的で、横木５６の端にキー支持体８８が設置されている。支持体はピン８９を通ってキー８７に接続された板であり、板は、箱のフタ５０の上にキー８７の配置を備える。
【０５５１】
ホルダー５９におけるリング６４、横木５６、支持体８８、ピン８９、およびキー８７は、一体化して形成されうるか、互いに堅く接続された複数の部材から作成されうる。
【０５５２】
包装８０は弱くしたラインを備えてもよく、ラインに沿って容易に裂けうる。上記ラインは、２層の薄膜でできた包装により実施されうる。これらのうちの１層は薄く、頑丈で、貫通できないものであり、もう１層はより強度が高く、弱くしたラインを備える。ラインに沿って包装が裂ける。
【０５５３】
図１７１に、弱くしたラインの好ましい配置を示す。１つの弱くしたライン９４が包装の全周に沿って通り、一方で、もう１本のライン９５が包装に沿って溝３６７と平行に通り、包装の逆縁でライン９４と接続する。
【０５５４】
包装８０は、１側面においてトレイ８６に例えば接着され、もう１側面において箱２９３のフタ５０に接着される。
【０５５５】
図２２７から２２８は、装置の組み立て段階を示す。第１に、包装８０に包装されたホルダー５９がトレイ８６内に設置され、トレイの底に包装が接着される。さらに、包装８０を備えたトレイ８６がパレット４９に設置されており、トレイ８６は、溝３６７内にピン８９を設置したフタ５０にさらに被覆される（図２２８）。その後、包装８０はフタの下部に接着される。フタ５０は、必要であれば、パレットに対してさらに固定される。組み立て後の装置を図２２６に示す。
【０５５６】
装置は、下記のように動作する。ユーザーは、箱２９３の開口端４８が前向き、すなわちユーザーとは反対方向を向くように装置を手に持ち、親指をキー８７上に置く。ユーザーは、他の指で装置の基部を保持する。そして、ユーザーはキー８７にいくらかの力を加え、箱２９３に対してトレイ８６を変位させる。したがって、横木５６が溝３６７に変位し、包装８０が裂ける。さらにトレイ８６に接着された包装下部がトレイおよびホルダーに沿って変位し、包装上部はフタ５０の下部に残ったままである。トレイ８６は、図２２９に記載の位置に変位し、さらに、水平面に設置される。箱２９３を保持するのと同じ手で装置の取手部分７３を保持することにより（図２２９）、ホルダーが分離する。したがって、コンドーム１は装着準備ができた状態であり、ユーザーは、装置の取手７３を保持したままでコンドーム１を容易に装着することができる。
【０５５７】
図２３１から２３５に記載の実施形態において、取手７３を備えたホルダー５９が包装８０に完全に内包される。包装８０はトレイ８６に設置され、１つの側面においてトレイに接着される。包装のもう１つの側面は、フタ５０に接着される。トレイ８６および箱２９３は、図２１８から２２４に記載の実施形態と同様の方法で実施される。
【０５５８】
図２３４から２３５は、図２２９および２３０と同様のコンドーム開梱手順を示す。
【０５５９】
したがって、前述の例において、片手の親指を用いた簡単な動作でコンドームを開梱することができる。それゆえ、片手で装置を保持できるようにホルダーも適合され、コンドームに関する全ての動作を片手で行うことができる。
【０５６０】
図２３６から２４２に記載されたさらなる他の実施形態において、平らな箱２９４によっても基部が形成されうる。箱２９４はパレット１１８およびフタ１１９という２つの部材からなり、２つ部材は石鹸箱の部品のように側面で接着されている。箱のフタ１１９は溝１２１が通った中心部を備え、溝の始点は１方の縁にあり、終点はもう１方にある。
【０５６１】
図２３７から２３９に記載の通り、コンドーム１を備えたホルダー５９は、箱２９４の中にあるトレイ１２６に設置される。トレイ１２６は、フランジによって３面を規定された底部を含む。開口側面の逆側にあるトレイの側面上において、フランジがより厚いため、表面１２７が形成される。表面１２７に、長方形の突起であるキー支持体１２８が設置される。突起は溝１２１と同じ幅である。
【０５６２】
図２３９に示されたように、支持体１２８は溝１２１を通って延伸する。上記溝および箱の端１０９は、例えばセロハンテープ（登録商標）などで、薄膜１２９に接着される。キー１３０は、薄膜の上方にある突起１２８に、接着、例えば糊付けされる。
【０５６３】
本実施形態において、薄膜１２９を備えた箱２９４がコンドームの膜を形成する。
【０５６４】
コンドーム１を開梱する場合（図２４１および２４２に記載のように）、ユーザーは親指でキー１３０を溝１２１に変位させる。端１０９にある薄膜は、トレイ１２６における開口端によって裂け、トレイ１２６が箱２９４から出る。コンドーム１を備えたホルダー５９にあるハンドル７３部分を把持することにより、ホルダー５９はトレイ１２６からさらに分離する。したがって、コンドーム１は装着準備ができた状態となり、ユーザーは、ホルダー５９にあるハンドル７３部分を把持したままで、コンドーム１を容易に装着できる。
【０５６５】
上記例において、リングの内径に沿って延伸する成形溝を備えた開口中空リングからなる、コンドームホルダーについて概説した。しかしながら、本発明は、例えば図２４３から２４５に記載のホルダーといった、他のコンドームホルダーから構成されてもよい。
【０５６６】
図２４３に示したとおり、ホルダーは、ロッド１３１、および、Ｃ型枠１３２および１３３からなる平らな開口リングでありうる。Ｃ型枠は、コンドーム保持に使用される内向きの把持部１３４を備える。
【０５６７】
図２４４に記載のホルダーは、レバーをさらにそなえ、レバーのより大きいアームが枠１３２および１３３を形成する。一方で、上記レバーの軸１３５および１３６がロッド１３１の端に設置される。
【０５６８】
枠１３２の端と１３３の端との間に、間隙１３７が形成される。レバーにおけるより小さいアーム１３８および１４１を押す間に間隙１３７が拡張するため、コンドームが伸張し、ホルダーリングの内側が拡張する。これにより、コンドーム装着の際にホルダーと敏感な肌との間の摩擦が低減され、コンドーム装着の手順をより楽に行うことができる。さらに、コンドームの内側を拡張することにより、手探りの低照度の状況下でもコンドームを容易に装着できる。
【０５６９】
図２４５に示したような他の実施形態において、ホルダー１４２はＵ型でもありうる。さらに、ひも１４３によってホルダーにコンドームが接着され、ひもの１端がホルダーに接着され、もう１端がコンドームに巻き込まれる。
【０５７０】
さらに、従来の方向とは逆、または他の方法で巻き込まれたコンドーム、あるいは収縮したコンドーム（マイクロコンドーム）およびそのホルダーが使用されうる。
【０５７１】
コンドームは、巻かれている間は通常平らであるため、少なくとも１方向に沿った線形サイズは、この方向に対して垂直方向に沿った線形サイズよりもずっと小さい。巻かれたコンドームは有限厚を備え、その形状は完全に平らではないことに留意されたい。コンドームに規定された平面を測定するために、コンドームの線形サイズが最小である方向を見つける必要があり、コンドームに規定された平面は、この方向に垂直な平面である。
【０５７２】
上述の実施形態の他に、請求項の範囲内で本発明に係る多くの異なる実施形態が存在するのは明らかである。
【０５７３】
図２４６から２５１において、本発明の実施形態の１つを示す。本実施形態において、上記コンドーム開梱装置は平らな箱４８０からなる基部で構成される。箱４８０は１つの開口端４８１、さらに、開口部４８２および４８３を備える。図２５０に記載のとおり、箱はパレット４８４およびフタ４８５という２部材からなり、２部材は石鹸箱の部材のように箱の側面において接続されている。パレット４８４とフタ４８５との接続は、接着剤によって、または例えば取り外し可能な機械的接続によって、固定されうる。箱自体は、中身の安全性を確保し、かつ、手で保持するのに十分な強度を備えた、いかなる素材でも作られうる。言い換えれば、箱１は容器である。
【０５７４】
図２４６、および２４８から２５１に示したとおり、箱４８０は、パレット４８４の形状をした板４８６、および、板上に設置され、かつ、包装４８８に収容されたホルダー４８７を備える。板は縦断溝４８９、および、溝４８９の対称にある板の縁上に設置されたアイエンド４９０および４９１を備える。ホルダー４８７は成形溝４９３を備えた中空リング４９２を含み、溝はリングの内径に沿って通っている。上記溝に、コンドーム１（例えば、従来のコンドーム）が設置される（図２４７参照）。コンドーム１の大部分がリングに巻き込まれ、リング４９２におけるリングポケットに設置される。リングに巻かれたコンドームの均分円（ｅｑｕａｔｏｒ）を通った平面を、ここでコンドームに規定された平面とする。
【０５７５】
レバー４９５および４９６の支持体４９４は、リングの外縁に接着される。上記支持体は、横木４９７によってリング４９２に接続される。支持体は、変位可能な溝４８９内に設置されたクロススライド４９８をも有する。
【０５７６】
図２４７および２４８に記載の通り、レバー４９５および４９６はＬ型である。レバー４９５のアーム４９９、およびレバー４９６のアーム５００は、支持体４９４に接着された伸縮性のある横木５０１および５０２を備える。一方で、アーム５０３および５０４はボタン５０５および５０６を備え、ボタンはリブ付き構造を備えた支持部を有する。この構造は、指とボタン５０５および５０６との摩擦を改善する。開口部（不図示）は軸（不図示）によって、板４８６におけるアイエンド４９０および４９１と接続され、開口部はＬ型レバーにおける鋭角部に設置された軸５０７および５０８に設置される。
【０５７７】
コンドーム１を備えたホルダー４８７におけるリング４９２は、従来のコンドームの包装と同様の包装４８８からなる膜に収容される。包装は、図２４８に示した通り、縁で接続された１枚のシート５０９からなる。シート５０９は、好ましくはポリマー薄膜からなる。横木４９７がリング４９２および包装４８８から突出している部分において、シートの端は接続されず、横木４９７を内包する。強度を与えるため、包装４８８と横木４９７との接続は接着剤またはシール（図示せず）によって密封されうる。
【０５７８】
包装４８８は、接着剤によって板４８６に接着、たとえば糊付けされうる。包装４８８が板４８６に接着される接続部（不図示）は、横木４９７が突出する、包装４８８における縁に、すなわち横木の両側に、好ましくは設置される。しかしながら、包装はより長い部分、例えば、この縁の全長に沿って、接着されうる。同様に、包装４８８は箱４８０におけるフタ４８５にも接着されうる。
【０５７９】
図２４８から２５０において、装置組み立て手順を示す。第１に、包装４８８に収容されたホルダー８が板４８６に接続され、溝４８９におけるクロススライド４９８を備える（図２４８）。上記軸をアイエンド４９０および４９１に挿入することにより、レバー４９５および４９６が板４８６に接続され、開口部（不図示）が軸５０７および５０８に設置される。その後、接着された包装４８８を有する板４８６がパレット４８４内に設置される。フタ４８６は図２４９から２５０に示したように配置され、必要であれば、上記パレットに対して固定される。したがって、ボタン５０５および５０６は、開口部４８２および４８３における箱４８０の外に設置される。
【０５８０】
装置は下記のように動作する。ユーザーは装置を手に取り、２本の指で装置のボタン５０５および５０６を保持する。そして、ユーザーはボタン５０５および５０６に作用し、レバー４９５および４９６を動かす。レバーが、箱４８０における開口端４８１に対してホルダーを変位させる。
【０５８１】
クロススライド４９８およびホルダーリング４９２が一体化して形成されるため、板４８６に接着された包装４８８（上述のように）がクロススライドの変位を防止する。したがって、レバー４９５および４９６によって作用されたクロススライド４９８が変位を開始すると、ホルダー４８７における前縁が、包装４８８における前縁に対して押出する。クロススライド４９８がさらに変位した場合、包装４８８は前縁において裂け、コンドーム１３を備えたホルダー８は、箱４８１の開口端を通って包装４８８および箱４８０から突出する。支持体４９４によって作用されたもう１方の縁において、包装が裂ける。アーム４９９および５００の全長、および横木５０１および５０２の全長が箱４８０の幅より大きいため、さらに、横木５０１および５０２が伸縮性を備えるため、レバーが中間点を通ったあとでホルダーはさらに加速する。
【０５８２】
クロススライド４９８が溝４８９の端に変位する場合、ホルダー４８７が箱４８０から完全に出る（図２５１参照）。したがって、コンドームは装着準備ができた状態であり、ユーザーは、２本の指で装置のボタン５０５および５０６を保持したままで、コンドーム１を容易に装着することができる。
【０５８３】
したがって、片手の２本の指による簡単な１つの動作（ともに動かす動作）によって、コンドーム１を開梱できる。これにより、簡便で容易な開梱が可能となり、ユーザーの注意が性交から逸れる事は殆どない。
【０５８４】
図２５２から２５６に示した他の実施形態において、伸縮性のある横木５１０および５１１によって、開口部４８２および４８３が閉鎖される。横木５１０および５１１は支持部５１２および５１３を備え、支持部は、指と支持部との摩擦を改善するためのリブ付き構造を備える。レバー４９５の表面５１４およびレバー４９６の表面５１５は、支持部５１２および５１３の下に直接設置される。
【０５８５】
箱１における表面５１６および５１７は、切り込み５１８，５１９、および５２０，５２１を備え、切り込みは開口部４８２および４８３の部分に設置されている。切り込みの形状およびサイズについては、図２５６に記載のように、支持部を押圧することによって、ある位置、すなわちコンドーム開梱行うための位置までレバーを動かすことができるようなものを選択する。
【０５８６】
装置は下記のように動作する。ユーザーは片手で装置を取り、２本の指で装置の横木５１０および５１１部分を保持する。そして、ユーザーは支持部５１２および５１３に作用し、横木５１０および５１１を変形させることによって、横木を互いの方向に向かって変位させる。これにより、レバー４９５および４９６が作動し、箱４８０の開口端４８１にホルダーを変位させる。そのため、横木５１０および５１１が切り込み５１８、５１９および５２０、５２１の形状になる。
【０５８７】
図２５７から２６４において、さらなる他の装置実施形態を示す。
【０５８８】
図２５８、２６１および２６２に示したとおり、レバー４９５および４９６は取り外し可能である。レバー４９５のアーム５２２、およびレバー４９６のアーム５２３は支持体４９４に接続される。支持体は、その一端において変位可能であり、もう一端において、上記アームが、丸型ノブ５２４および５２５を備える（不図示）。丸型ノブは、軸によってアイエンド４９０および４９１に枢動可能に接着されている。
【０５８９】
レバー４９５のアーム５２６、およびレバー４９６のアーム５２７は、伸縮性のある素材でできたひもからなり（図２６１参照）、その一端にボタン５２８および５２９を備え、もう一端にアーム５２２および５２３との接続に使用される拡張部５３０および５３１を備える。アーム５２２および５２３は、ノブ５２４および５２３とアーム５２２および５２３との接続部に設置された、溝５３２および５３３を備える。上記溝は、溝内に拡張部５３０および５３１を固定できるような形状およびサイズを有する。
【０５９０】
本実施形態において、図２５７に示したように、開口部４８２および４８３は端５３４に隣接した箱４８０の角に形成される。開口部４８２および４８３において、パレット４８４の側面５３５、およびフタ４８５の側面５３６が四角形の切り込み５３７，５３８、および５３９，５４０によってそれぞれ実施される（図２６０、図２６２）。
【０５９１】
上記切り込み内の箱４８０の外側に、ボタン５２８および５２９が設置され、ボタンは溝５４１、５４２、および５４３、５４４をそれぞれ備える。溝は突起５４５，５４６および５４７，５４８とそれぞれ機械的に結合し、図２６２および２６３に記載のように、上記突起が開口部４８２および４８３の縁に形成される。突起５４５，５４６、および５４７，５４８は、ボタン５２８および５２９に対する案内面として働く。
【０５９２】
箱４８０におけるパレット４８４は、Ｌ型突起５４９および５５０を備え（図２６１）、Ｌ型突起は開口部４８２および４８３に近接した箱の内側に設置される。レバー４９５のアーム５２６およびレバー４９６のアーム５２７は上記突起内に設置され、変位可能性を備える。
【０５９３】
本実施形態において、箱４８０は溝５５１および５５２を備え、ノブ５２４および５２５は溝から部分的に突出する。溝５５１および５５２によって、箱の幅は低減される。
【０５９４】
図２５９から２６２に示した装置の組み立て手順は、図２４８から２５０に示した組み立て手順と同様である。
【０５９５】
装置は下記のように動作する。ユーザーは装置を手に取り、装置のボタン５２８および５２９を保持する。そして、ユーザーはボタンに作用し、ボタンを互いに向けて変位させる。したがって、レバーのアーム５２７および５２７が変位し、それによってノブ５２４および５２５が回転する。そこで、アーム５２２および５２３が屈曲し、箱４８０における開口端に向かってホルダーが変位する。開梱されたコンドームを図２６４に示す。
【０５９６】
図２６５から２７０に示したように、コンドーム開梱装置は１本のレバーで実施されうる。
【０５９７】
図２４６から２５１に記載の実施形態とは対照的に、本実施形態においては、図２４６に記載の開口部４８２と類似した、開口端５５４および開口部５５５によって箱５５３が実施される。
【０５９８】
ホルダーが設置された箱５５３に収容されている板５５６は、アイエンド１つのみを備え（図２６７）、アイエンドは図２４８に記載のアイエンド４９０と類似する。
【０５９９】
図２６６に示したように、コンドーム１を備えたホルダー４８７が箱４８０から分離し、１本のレバー５５８（Ｌ型でもある）のみが支持体４９４に接着される。
【０６００】
図２６７から２６９に記載の装置組み立て手順は、図２４８〜２５０に記載の組み立て手順と同様である。
【０６０１】
本実施形態において、コンドームを開梱する場合、ユーザーは片手で箱４８０を保持し、同じ手の１本の指でレバーに作用する。したがって、２本のレバーに関する実施形態と同様に、ユーザーには片手でレバーを押すという１つの動作のみが必要とされる。したがって、本実施形態において、簡便で容易な開梱がまた可能であり、ユーザーの注意が性交から逸れることは殆どない。
【０６０２】
図２７１から２７６に示した装置は膜５５９および枠５６１からなる。当該膜は、三角形の板として形成されたホルダー５６０を有し、当該枠は、周囲にホルダー５６０における板を堅く内包されている。ホルダーおよび枠は、膜内に収容される。
【０６０３】
ホルダー５６０の中央部に開口部５６２が形成され（図２７２参照）、開口部の縁は屈曲してＣ型輪郭を備えたリング５６３を形成する。ホルダーは伸縮性のある横木５６４および５６５を備える（図１８８参照）。ホルダー６１が間隙５６６を含むため、ホルダーは開口している。ホルダー５６０が開口しており、横木５６４および５６５も存在するため、ホルダーはコンドーム装着後には横断方向に除去されうる。
【０６０４】
図２７４に示したとおり、枠５６１は部分的にＵ型であり、間隙５６７および伸縮性のある横木５６８および５６９を備える。
【０６０５】
図２７４に示したとおり、ホルダー５６０を枠５６１に設置する間に、ホルダー５６０における板はその縁によって枠表面５７０に対して押し出し、摩擦力によって付加的に枠表面５７１である。枠の横木５６８および５６９は、ホルダーの横木５６４および５６５の逆にある。ホルダーを内部に備えた枠５６１を図２７３に示す。
【０６０６】
図２７１に記載の通り、膜５５９は弱くしたライン２７２を備え、ラインは、開梱の際にホルダー５６０が包装から突出する部分に配置されている。
【０６０７】
装置は下記のように動作する。ユーザーは片手の２本の指で装置を取り、包装５５９を通して枠５６１の２側面を押圧する。枠の外側が滑らかであるため、枠は包装５５９に対して移動して包装を裂き、図２７５に記載のように突出する。
【０６０８】
図２７６に示したように、支持体に作用する指の力ベクトルは２つの要素を備える。上記ベクトルの要素５７３は枠５６１の変位方向に向かい、一方で、要素５７４は枠の変位方向に対して垂直に向かう。要素５７３によって、枠の変位が起こる。また、要素５７４によって、膜と枠との間に機械的相互作用が生成される。それにより、膜に対して枠が移動する。
【０６０９】
上記の組み立て後の装置において、図２７７から２７９に示したとおり、やや形状の異なるホルダー５６０および枠５６１が実施されうる。本実施形態において、枠５６１の周辺部５７５のみが楔状である。
【０６１０】
図２７１から２７６に記載の実施形態において、装置は枠５６１に接続されたキー５７６および５７７を備えてもよく、図２８０および２８１に記載のように、枠に対して変位可能である。
【０６１１】
図２８１に記載のように、コンドームを開梱する際に、ユーザーは膜５５９を通してキー５７６および５７７に作用する。指によって加える力は、キーが枠５６１に対して移動するように向かい、膜５５９に対して枠を変位させる。結果として、膜が裂け、コンドーム１を備えたホルダー５６０が突出する。キー５７６および５７７が膜５５９に接続されうるか、または、別々に実施されうる。
【０６１２】
図２８２および２８３に記載の通り、装置はＶ型ブラケット５７８を備えうる。ブラケット５７８はＵ型横断面を備え、かつ、リブ付き構造を有する支持部５７９および５８０を備える。コンドームを開梱するために、ユーザーは膜５５９を通してブラケットにおける支持部５７９および５８０に作用する。したがって、ブラケット５７８は枠５６１に対して変位し、枠は膜５５９を裂いて膜から突出する。
【０６１３】
ホルダーはばね付きの状態で保管されてもよく、膜から押し出された際に広がる（図示せず）。いいかえれば、保管状態において、膜はホルダーを小型に保つ。
【０６１４】
さらに、上記の実施形態において、成形溝を備える中空開口リングとして構成されたコンドームホルダーについて述べた。背景技術の項から明らかなように、既存のコンドームには様々な変形例が存在する。上記ホルダーのそれぞれが、本発明に係るコンドーム開梱装置に使用されうる。本発明の範囲内で、従来技術に示されていない新しいホルダーを使用することができる。コンドームホルダー自体は本発明の範囲ではない。
【０６１５】
さらに、例えば図２４３に記載のコンドームホルダーが本発明に使用されうる。ホルダーは、ロッド１３１および半円形の枠１３２および１３３を含む、平らな開口リングとして形成される。枠はグリップ１３４を備え、グリップはリング内に延伸し、コンドームを保持するのに使用される。
【０６１６】
コンドームは、コンドームを巻くための従来の方向とは逆で巻かれるか、または、マイクロコンドームとして知られる短縮コンドームのように、他の方法で折り畳まれる。巻かれたコンドームの縁を保持するために、他の手段も用いられうる。例えば、コンドームリングが１対のローラーで保持されうる。マイクロコンドームの場合、巻かれたコンドームの縁は、接着剤によってホルダーに接着される。
【０６１７】
コンドームは折り畳まれている間は通常平らであるため、少なくとも１方向に沿った線形サイズは、この方向に対して垂直な方向に沿った線形サイズよりもずっと小さい。折り畳まれたコンドームは有限厚を備え、その形状は完全には平らでないことに留意されたい。コンドームに規定された平面を決定するために、コンドームの線形サイズが最小である方向を見つける必要がある。この方向に対して垂直な平面が、コンドームに規定された平面である。
【０６１８】
本発明は、請求項の範囲内において、ここに記載された実施形態以外の多くの実施形態で実施されうる。
【図面の簡単な説明】
【０６１９】
【図１】ユーザーの手中に把持された従来のコンドームの斜視図である。
【図２】図１に記載のコンドームが包装された場合の斜視図である。
【図３】コンドームを装着する前の状況を示す。
【図４】ユーザーの手中に把持された従来のホルダー内部に、コンドームが保持されていることを示す斜視図である。
【図５】両手で把持された２つの部品からなる従来のホルダー内部に、コンドームが保持されていることを示す斜視図である。
【図６】従来の帯板型ホルダー内部に、コンドームが保持されていることを示す斜視図である。
【図７】互いに接続された帯板を備えた従来の帯板型ホルダー内部に、コンドームが保持されていることを示す斜視図である。
【図８】Ｕ型基部に接着された帯板を備えた従来の帯板型ホルダー内部に、コンドームが保持されていることを示す斜視図である。
【図９】図８に記載のコンドームの平面図である。
【図１０】ホルダーに保持されたコンドームの開梱方法としてコンドーム包装を伸張することを示す。
【図１１】本発明に係るコンドーム開梱装置における１つの実施形態を示す側断面図である。
【図１２】図１１に記載のコンドームの斜視図である。
【図１３】図１１に記載の実施形態に係る、キー台座および装置におけるキーを備えている、包装内における分解されたホルダーを示す斜視図である。
【図１４】図１１に記載の実施形態に係る包装されていないホルダーの斜視図である。
【図１５】図１１に記載の実施形態に係るホルダーの横木を示す。
【図１６】図１１に記載の実施形態に係る包装されたコンドームホルダー部品の斜視図であり、キー台座が記述上の理由により除去されることを示す。
【図１７】図１１に記載の実施形態に係る装置の組み立て段階を示す斜視図である。
【図１８】図１１に記載の実施形態に係る装置の組み立て段階を示す斜視図である。
【図１９】図１１に記載の実施形態に係る装置の組み立て段階を示す斜視図である。
【図２０】図１１に記載の実施形態に係る装置の組み立て段階を示す斜視図である。
【図２１】図１１に記載の実施形態に係る装置の組み立て段階を示す斜視図である。
【図２２】図１１に記載の実施形態に係る、コンドームが開梱された場合の装置の斜視図である。
【図２３】図１１に記載の実施形態に係る、ユーザーが装置に作用させる力を概略的に示す。
【図２４】ユーザーが装置に作用させる力を概略的に示し、キー表面がキーの変位方向に対して垂直であることを示す。
【図２５】本発明に係るコンドーム開梱装置の他の実施形態を示す斜視図である。
【図２６】図２３に記載のトレイの平面図である。
【図２７】図２３に記載のトレイの平面図を示し、コンドームがホルダーにより保持され、当該トレイ内部に設置されることを示す。
【図２８】図２３に記載の実施形態におけるコンドームの開梱装置を示す斜視図である。
【図２９】コンドーム開梱装置の他の実施形態を示す斜視図である。
【図３０】コンドーム開梱段階における図２７に記載のコンドーム開梱装置を示す斜視図である。
【図３１】、本発明に係るコンドーム開梱装置の他の実施形態を示す斜視図である。
【図３２】図２９に記載のコンドーム開梱装置の斜視図であり、装置はコンドーム開梱準備ができていることを示す。
【図３３】図２９に記載の装置を示す部分断面図である。
【図３４】図３０に記載の装置を示す部分断面図である。
【図３５】装置の容器の異なる実施形態を示す。
【図３６】装置の容器の異なる実施形態を示す。
【図３７】装置の容器の異なる実施形態を示す。
【図３８】本発明に係るコンドーム開梱装置の他の実施形態を示す分解斜視図である。
【図３９】図３６に記載の組み立てられた装置を示す平面図である。
【図４０】図３６に記載の装置を示す側断面図である。
【図４１】本発明に係るコンドーム開梱装置の他の実施形態を示す側断面図である。
【図４２】本発明に係るコンドーム開梱装置の他の実施形態を示す斜視図であり、基部が付加案内面手段を備え、記述上の理由から図示されない包装を備えることを示す。
【図４３】図４０の拡大図である。
【図４４】図４０に記載の装置を示す斜視図であり、コンドームが開梱されていることを示す。
【図４５】本発明に係るコンドーム開梱装置の他の実施形態における組み立て段階を示す斜視図である。
【図４６】本発明に係るコンドーム開梱装置の他の実施形態における組み立て段階を示す斜視図である。
【図４７】本発明に係るコンドーム開梱装置の他の実施形態における組み立て段階を示す斜視図である。
【図４８】本発明に係るコンドーム開梱装置の他の実施形態における組み立て手順を示す斜視図である。
【図４９】本発明に係るコンドーム開梱装置の他の実施形態における組み立て手順を示す斜視図である。
【図５０】本発明に係るコンドーム開梱装置の他の実施形態における組み立て手順を示す斜視図である。
【図５１】本発明に係るコンドーム開梱装置の他の実施形態における組み立て手順を示す斜視図である。
【図５２】図４６〜４９に記載の実施形態における装置を示す側断面図である。
【図５３】本発明に係るコンドーム開梱装置の他の実施形態における組み立て段階を示す斜視図である。
【図５４】本発明に係るコンドーム開梱装置の他の実施形態における組み立て段階を示す斜視図である。
【図５５】本発明に係るコンドーム開梱装置の他の実施形態における組み立て段階を示す斜視図である。
【図５６】本発明に係るコンドーム開梱装置の他の実施形態における組み立て段階を示す斜視図である。
【図５７】図５３および５４に記載の実施形態における装置を示す端面図である。
【図５８】本発明に係るコンドーム開梱装置の他の実施形態における組み立て段階を示す斜視図である。
【図５９】本発明に係るコンドーム開梱装置の他の実施形態における組み立て段階を示す斜視図である。
【図６０】本発明に係るコンドーム開梱装置の他の実施形態を示す斜視図である。
【図６１】図５８に記載の実施形態における装置の斜視図であり、コンドームが開梱されていることを示す。
【図６２】本発明に係るコンドーム開梱装置のホルダーの他の実施形態を示す斜視図である。
【図６３】図６２に記載の実施形態におけるホルダーを備えた装置を示す斜視図である。
【図６４】図６３に記載の装置に内包されたコンドームを開梱する段階を示す斜視図である。
【図６５】図６３に記載の装置に内包されたコンドームを開梱する段階を示す斜視図である。
【図６６】図６３に記載の装置に内包されたコンドームを開梱する段階を示す斜視図である。
【図６７】図６３に記載の実施形態における装置を示す側断面図である。
【図６８】図６３に記載の実施形態においてユーザーが装置に作用させる力を概略的に示す。
【図６９】本発明に係るコンドーム開梱装置の他の実施形態における組み立て段階を示す斜視図である。
【図７０】本発明に係るコンドーム開梱装置の他の実施形態における組み立て段階を示す斜視図である。
【図７１】図６９および７０に記載の実施形態における装置を示す斜視図である。
【図７２】本発明に係るコンドーム開梱装置の他の実施形態における組み立て段階を示す斜視図である。
【図７３】本発明に係るコンドーム開梱装置の他の実施形態における組み立て段階を示す斜視図である。
【図７４】図７２および７３に記載の実施形態における装置を示す斜視図である。
【図７５】本発明に係るコンドーム開梱装置の他の実施形態における組み立て段階を示す斜視図である。
【図７６】本発明に係るコンドーム開梱装置の他の実施形態における組み立て段階を示す斜視図である。
【図７７】本発明に係るコンドーム開梱装置の他の実施形態における組み立て段階を示す斜視図である。
【図７８】本発明に係るコンドーム開梱装置の他の実施形態における組み立て段階を示す斜視図である。
【図７９】図７５〜７８に記載の実施形態における装置を示す斜視図である。
【図８０】ホルダーの他の実施形態を示す斜視図である。
【図８１】図８０に記載の実施形態におけるホルダーを備えた装置を示す斜視図である。
【図８２】本発明に係るコンドーム開梱装置の他の実施形態を示す斜視図である。
【図８３】本発明に係るコンドーム開梱装置の他の実施形態における組み立て段階を示す斜視図である。
【図８４】本発明に係るコンドーム開梱装置の他の実施形態における組み立て段階を示す斜視図である。
【図８５】図８３および８４に記載の実施形態における装置を示す斜視図である。
【図８６】図８３〜８５に記載の実施形態における装置を示す斜視図であり、コンドームが開封されていることを示す。
【図８７】本発明に係るコンドーム開梱装置の他の実施形態を示す平断面図である。
【図８８】図８７に記載の装置のホルダーを示す平面図である。
【図８９】図８７に記載のホルダーの平面図であり、コンドームが包装されていることを示す。
【図９０】コンドーム開梱装置の他の実施形態を示す斜視分解図である。
【図９１】図９０および９１に記載の組み立てられた装置を示す斜視図である。
【図９２】図９０および９１に記載の実施形態における装置の斜視図であり、コンドームが開梱されていることを示す。
【図９３】本発明に係るコンドーム開梱装置の他の実施形態を示す斜視図であり、コンドームが開梱されていることを示す。
【図９４】本発明に係るコンドーム開梱装置の他の実施形態における組み立て段階を示す斜視図である。
【図９５】本発明に係るコンドーム開梱装置の他の実施形態における組み立て段階を示す斜視図である。
【図９６】図９４および９５に記載の実施形態における装置を示す斜視図である。
【図９７】図９４〜９６に記載の実施形態における装置の斜視図であり、コンドームが開梱されることを示す。
【図９８】図９４〜９６に記載の実施形態における装置の斜視図であり、コンドームが開梱され、ホルダーに保持され、装置から分離されていることを示す。
【図９９】本発明に係るコンドーム開梱装置の他の実施形態を示す斜視分解図である。
【図１００】図９９に記載の実施形態における装置を示す斜視図である。
【図１０１】本発明に係るコンドーム開梱装置の他の実施形態を示す斜視分解図である。
【図１０２】図１０１に記載の実施形態における装置を示す斜視図である。
【図１０３】本発明に係るコンドーム開梱装置の他の実施形態を示す斜視分解図である。
【図１０４】図１０３に記載の実施形態における装置を示す斜視図である。
【図１０５】図１０３および１０４に記載の実施形態における装置の斜視図であり、コンドームが開梱されることを示す。
【図１０６】本発明に係るコンドーム開梱装置の他の実施形態を示す斜視分解図である。
【図１０７】図１０６に記載の装置を示す斜視図である。
【図１０８】図１０６および１０７に記載の装置の斜視図であり、コンドームが開梱されることを示す。
【図１０９】図１０６および１０７に記載のキーを示す断面図である。
【図１１０】本発明に係るコンドーム開梱装置の他の実施形態における組み立て段階を示す斜視図である。
【図１１１】本発明に係るコンドーム開梱装置の他の実施形態における組み立て段階を示す斜視図である。
【図１１２】本発明に係るコンドーム開梱装置の他の実施形態における組み立て段階を示す斜視図である。
【図１１３】図１１０〜１１２に記載の実施形態における装置を示す斜視図である。
【図１１４】図１１０〜１１２に記載の実施形態における装置の斜視図であり、コンドームが開梱されることを示す。
【図１１５】他の実施形態において、上記のコンドーム開梱装置のホルダーを示す斜視図である。
【図１１６】図１１５に記載の実施形態におけるホルダーを備えた装置を示す斜視分解図である。
【図１１７】図１１５および１１６に記載の実施形態における装置を示す斜視図である。
【図１１８】図１１５〜１１７に記載の実施形態における装置を示す斜視図である。
【図１１９】本発明に係るコンドーム開梱装置の他の実施形態を示す斜視図である。
【図１２０】図１１９に記載の実施形態における装置の斜視図であり、コンドームが開梱されることを示す。
【図１２１】本発明に係るコンドーム開梱装置の他の実施形態における組み立て段階を示す斜視図である。
【図１２２】本発明に係るコンドーム開梱装置の他の実施形態における組み立て段階を示す斜視図である。
【図１２３】図１２１および１２２に記載の実施形態における装置を示す斜視図である。
【図１２４】図１２１〜１２３に記載の実施形態における装置の斜視図であり、コンドームが開梱されることを示す。
【図１２５】実施形態の１つにおいて外部容器から上記装置を分離することを示す斜視図である。
【図１２６】実施形態の１つにおいて外部容器から上記装置を分離することを示す斜視図である。
【図１２７】実施形態の１つにおいて外部容器から上記装置を分離することを示す斜視図である。
【図１２８】、他の装置実施形態における上記コンドーム開梱装置の部品を示す斜視分解図である。
【図１２９】図１２８に記載の実施形態における装置を示す斜視図である。
【図１３０】本発明に係るコンドーム開梱装置の他の実施形態を示す斜視分解図である。
【図１３１】本発明に係るコンドーム開梱装置の他の実施形態における組み立て段階を示す斜視図である。
【図１３２】本発明に係るコンドーム開梱装置の他の実施形態における組み立て段階を示す斜視図である。
【図１３３】基部における縁を示しており、当該基部は、縁に到達する溝を備えた箱によって構成されていることを示す拡大斜視図である。
【図１３４】本発明に係るコンドーム開梱装置の他の実施形態を示す斜視分解図である。
【図１３５】溝を備えた箱型の基部部分を拡大併置した斜視図であり、溝は狭窄部を備えることを示す。
【図１３６】本発明に係るコンドーム開梱装置の他の実施形態を示す斜視分解図である。
【図１３７】実施形態の１つにおける上記コンドーム開梱装置を示す側断面図である。
【図１３８】図１３７に記載の装置を示す側断面図であり、コンドームが開梱されることを示す。
【図１３９】図１３７に記載の装置におけるキーの斜視図であり、留め具を備えることを示す。
【図１４０】図１３７に記載の装置におけるキーの留め具を示す斜視図である。
【図１４１】図１３７に記載の装置の斜視図であり、フタが分離されることを示す。
【図１４２】他の装置実施形態におけるコンドーム開梱段階を示す斜視図である。
【図１４３】他の装置実施形態におけるコンドーム開梱段階を示す斜視図である。
【図１４４】他の装置実施形態におけるコンドーム開梱段階を示す斜視図である。
【図４１５】本発明に係るコンドーム開梱装置の他の実施形態における組み立て段階を示す斜視図である。
【図１４６】本発明に係るコンドーム開梱装置の他の実施形態における組み立て段階を示す斜視図である。
【図１４７】本発明に係るコンドーム開梱装置の他の実施形態における組み立て段階を示す斜視図である。
【図１４８】図１４５〜１４７に記載の上記装置を示す斜視図である。
【図１４９】図１４５〜１４８に記載の装置の開梱段階を示す斜視図である。
【図１５０】図１４５〜１４８に記載の装置の開梱段階を示す斜視図である。
【図１５１】他の実施形態における、上記コンドーム開梱装置のホルダーを示す斜視図である。
【図１５２】図１５１に記載の実施形態における上記装置組み立て段階を示す斜視図であり、装置がホルダーを備えていることを示す。
【図１５３】図１５１に記載の実施形態における上記装置組み立て段階を示す斜視図であり、装置がホルダーを備えていることを示す。
【図１５４】図１５１に記載の実施形態における上記装置組み立て段階を示す斜視図であり、装置がホルダーを備えていることを示す。
【図１５５】図１５２〜１５４に記載の上記装置を示す斜視図である。
【図１５６】図１５２〜１５５に記載の装置の斜視図であり、コンドームが開梱されることを示す。
【図１５７】本発明に係るコンドーム開梱装置の他の実施形態における組み立て段階を示す斜視図である。
【図１５８】本発明に係るコンドーム開梱装置の他の実施形態における組み立て段階を示す斜視図である。
【図１５９】図１５７および１５８に記載の装置の開梱を示す斜視図である。
【図１６０】本発明に係るコンドーム開梱装置の他の実施形態を示す斜視分解図である。
【図１６１】図１６０に記載の上記装置を示す斜視図である。
【図１６２】上記装置内で使用されうる代替ホルダーを示す斜視図である。
【図１６３】図１６２に記載のホルダーの斜視図であり、分離されたリング部分を備えることを示す。
【図１６４】図１６２に記載のホルダーの斜視図であり、コンドームが設置されることを示す。
【図１６５】図１６２に記載のホルダーを示す断面図である。
【図１６６】さらに他の実施形態における装置の斜視図であり、フタが分離されることを示す。
【図１６７】図１６６に記載の装置におけるキーと押圧部との間の結合を示す側断面図である。
【図１６８】さらなる他の実施形態における上記コンドーム開梱装置を示す斜視図である。
【図１６９】図１６８に記載の装置に使用されるホルダーを示す斜視図である。
【図１７０】図１６８に記載の実施形態における装置部品を示す斜視分解図である。
【図１７１】図１６８に記載の上記装置の斜視図であり、コンドームが開梱されることを示す。
【図１７２】さらなる他の実施形態における上記コンドーム開梱装置を示す側断面図である。
【図１７３】図１７２に記載の上記装置を示す斜視図である。
【図１７４】図１７２に記載の実施形態における上記装置の組み立て段階を示す斜視図である。
【図１７５】図１７２に記載の実施形態における上記装置の組み立て段階を示す斜視図である。
【図１７６】図１７３に記載の装置を示す破断面図である。
【図１７７】図１７２〜１７５に記載の実施形態における装置の斜視図であり、コンドームが開梱されることを示す。
【図１７８】他の実施形態における未包装のホルダーを示す斜視図である。
【図１７９】図１７８に記載のホルダーからなる実施形態における装置の組み立て段階を示す。
【図１８０】図１７８に記載のホルダーからなる実施形態における装置の組み立て段階を示す。
【図１８１】図１７８に記載のホルダーからなる実施形態における装置の組み立て段階を示す。
【図１８２】図１７９〜１８１に記載の実施形態における装置を示す斜視図であり、コンドームが開梱されていることを示す。
【図１８３】さらなる他の実施形態における未包装のホルダーを示す斜視図であり、ホルダーの拡大部が強調されている。
【図１８４】図１８３に記載のホルダーからなる実施形態における装置の組み立て段階を示す。
【図１８５】図１８３に記載のホルダーからなる実施形態における装置の組み立て段階を示す。
【図１８６】図１８４〜１８５に記載の上記装置を示す斜視図である。
【図１８７】図１８４〜１８５に記載の装置実施形態におけるコンドーム開梱手順を示す斜視図である。
【図１８８】図１８４〜１８５に記載の装置実施形態におけるコンドーム開梱手順を示す斜視図である。
【図１８９】他の実施形態における未包装のホルダーを示す斜視図である。
【図１９０】他の実施形態における未包装のホルダーを示す斜視図である。
【図１９１】図１８９〜１９０に記載のホルダーからなる実施形態における装置の組み立て段階を示す。
【図１９２】図１８９〜１９０に記載のホルダーからなる実施形態における装置の組み立て段階を示す。
【図１９３】図１８９〜１９０に記載のホルダーからなる実施形態における装置の組み立て段階を示す。
【図１９４】図１８９〜１９０に記載のホルダーからなる実施形態における装置の組み立て段階を示す。
【図１９５】図１９１〜１９４に記載の装置を示す斜視図であり、フタが分離されコンドームが開梱されていることを示す。
【図１９６】他の実施形態における未包装のホルダーを示す斜視図である。
【図１９７】図１９７は、図１９６に記載のホルダーを備えた装置を示す斜視図である。
【図１９８】図１９７に記載の装置実施形態におけるコンドーム開梱手順を示す斜視図である。
【図１９９】図１９７に記載の装置実施形態におけるコンドーム開梱手順を示す斜視図である。
【図２００】他の実施形態における装置を示す斜視図である。
【図２０１】図２００に記載の実施形態における装置部分毎に区分化された斜視図である。
【図２０２】図２００に記載された装置の開梱段階を示す斜視図である。
【図２０３】図２０３は、図２００に記載された装置の開梱段階を示す斜視図である。
【図２０４】図２０２〜２０３に記載の装置を示す部分断面図である。
【図２０５】図２０２〜２０３に記載の装置を示す部分断面図である。
【図２０６】他の実施形態における装置を示す斜視図である。
【図２０７】図２０６に記載された装置の開梱段階を示す斜視図である。
【図２０８】図２０６に記載された装置の開梱段階を示す斜視図である。
【図２０９】他の実施形態における装置の平面図であり、フタが分離された状態を示す。
【図２１０】図２０９に記載された装置の平面図であり、コンドームが開梱された状態を示す。
【図２１１】他の実施形態における装置を示す斜視図である。
【図２１２】図２１１に記載の実施形態における装置部品毎に区分化された斜視図である。
【図２１３】図２１１に記載された装置の略平面図であり、コンドーム開梱段階を示す。
【図２１４】図２１１に記載された装置の略平面図であり、コンドーム開梱段階を示す。
【図２１５】他の実施形態における装置の斜視図である。
【図２１６】図２１５に記載の実施形態における装置部品毎に区分化された斜視図である。
【図２１７】図２１６に記載の実施形態における装置の斜視図であり、コンドームが開梱された状態を示す。
【図２１８】実施形態の１つにおけるコンドーム開梱のための上記装置を示す側断面図である。
【図２１９】図２１８に記載の装置を示す斜視図である。
【図２２０】図２１８に記載された装置の組み立て段階を示す斜視図である。
【図２２１】図２１８に記載された装置の組み立て段階を示す斜視図である。
【図２２２】図２１８に記載された装置の組み立て段階を示す斜視図である。
【図２２３】図２１８に記載された装置の開梱段階を示す斜視図である。
【図２２４】図２１８に記載された装置の開梱段階を示す斜視図である。
【図２２５】他の実施形態におけるコンドームを開梱するための上記装置を示す側断面図である。
【図２２６】図２１８に記載された装置の斜視図である。
【図２２７】図２２５に記載の実施形態における装置の組み立て段階を示す斜視図である。
【図２２８】図２２５に記載の実施形態における装置の組み立て段階を示す斜視図である。
【図２２９】図２２５に記載された装置の開梱段階を示す斜視図である。
【図２３０】図２２５に記載された装置の開梱段階を示す斜視図である。
【図２３１】他の実施形態におけるコンドームを開梱するための上記装置を示す斜視図である。
【図２３２】図２３１に記載の実施形態における装置の組み立て段階を示す斜視図である。
【図２３３】図２３１に記載の実施形態における装置の組み立て段階を示す斜視図である。
【図２３４】図２３１に記載された装置の開梱段階を示す斜視図である。
【図２３５】図２３１に記載された装置の開梱段階を示す斜視図である。
【図２３６】他の実施形態においてコンドームを開梱するための上記装置を示す斜視図である。
【図２３７】図２３６に記載の実施形態における装置の組み立て段階を示す斜視図である。
【図２３８】図２３６に記載の実施形態における装置の組み立て段階を示す斜視図である。
【図２３９】図２３６に記載の実施形態における装置の組み立て段階を示す斜視図である。
【図２４０】図２３６に記載の実施形態における装置の組み立て段階を示す斜視図である。
【図２４１】図２３６に記載の装置の開梱段階を示す斜視図である。
【図２４２】図２３６に記載の装置の開梱段階を示す斜視図である。
【図２４３】上記装置内で使用されうる代替ホルダーの斜視図である。
【図２４４】上記装置内で使用されうる代替ホルダーの斜視図である。
【図２４５】上記装置内で使用されうる代替ホルダーの斜視図である。
【図２４６】他の実施形態における装置の斜視図である。
【図２４７】図２４６に記載の実施形態における未包装のホルダーを示す斜視図である。
【図２４８】図２４６に記載の実施形態における組み立て段階を示す斜視図である。
【図２４９】図２４６に記載の実施形態における組み立て段階を示す斜視図である。
【図２５０】図２４６に記載の実施形態における組み立て段階を示す斜視図である。
【図２５１】図２４６に記載の実施形態における装置の斜視図であり、コンドームが開梱された状態を示す。
【図２５２】他の実施形態における装置を示す斜視図である。
【図２５３】図２５２に記載の実施形態における未包装のホルダーを示す斜視図である。
【図２５４】図２５２に記載の実施形態における上記装置の組み立て段階を示す斜視図である。
【図２５５】図２５５は、図２５２に記載の実施形態における上記装置の組み立て段階を示す斜視図である。
【図２５６】図２５２に記載の実施形態における装置を示す斜視図であり、コンドームが開梱された状態を示す。
【図２５７】他の実施形態における装置の斜視図である。
【図２５８】図２５７に記載の実施形態における未包装のホルダーを示す斜視図である。
【図２５９】図２５７に記載の実施形態における上記装置の組み立て段階を示す斜視図である。
【図２６０】図２５７に記載の実施形態における上記装置の組み立て段階を示す斜視図である。
【図２６１】図２５７に記載の実施形態における上記装置の組み立て段階を示す斜視図である。
【図２６２】図２５７に記載の実施形態における上記装置の組み立て段階を示す斜視図である。
【図２６３】ボタンと箱との間の接続を示す側断面図である。
【図２６４】図２５８に記載の実施形態における装置を示す上部断面図であり、コンドームが開梱されることを示す。
【図２６５】他の実施形態における装置を示す斜視図である。
【図２６６】図２６５に記載の実施形態における未包装のホルダーを示す斜視図である。
【図２６７】図２６５に記載の実施形態における上記装置の組み立て段階を示す斜視図である。
【図２６８】図２６５に記載の実施形態における上記装置の組み立て段階を示す斜視図である。
【図２６９】図２６５に記載の実施形態における上記装置の組み立て段階を示す斜視図である。
【図２７０】図２６５に記載の実施形態における装置を示す上部断面図であり、コンドームが開梱されることを示す。
【図２７１】他の実施形態における装置の斜視図である。
【図２７２】図２７１に記載の実施形態における未包装のホルダーを示す平面図である。
【図２７３】図２７１に記載の実施形態におけるホルダーの斜視図であり、ホルダー内部に保持されたコンドームが未包装の枠に設置されていることを示す。
【図２７４】図２７１に記載の実施形態における上記装置部品毎に区分化された斜視図である。
【図２７５】図２７１に記載の実施形態における装置の斜視図であり、コンドームが開梱された状態を示す。
【図２７６】図２７１に記載の実施形態においてユーザーが装置に作用させる力を概略的に示したものである。
【図２７７】他の実施形態における未包装のホルダーを示す斜視図である。
【図２７８】図２７７に記載されたホルダーの斜視図であり、枠に設置されていることを示す。
【図２７９】図２７７に記載の実施形態における装置の斜視図であり、コンドームが開梱された状態を示す。
【図２８０】他の実施形態における装置の斜視図である。
【図２８１】図２８０に記載の実施形態における装置の斜視図であり、コンドームが開梱された状態を示す。
【図２８２】図２７８に記載のホルダーからなる装置を示す斜視図である。
【図２８３】図２８２に記載の実施形態における装置の斜視図であり、コンドームが開梱された状態を示す。
【図１】
2009519804.tif 000003
【図２】
2009519804.tif 000004
【図３】
2009519804.tif 000005
【図４】
2009519804.tif 000006
【図５】
2009519804.tif 000007
【図６】
2009519804.tif 000008
【図７】
2009519804.tif 000009
【図８】
2009519804.tif 000010
【図９】
2009519804.tif 000011
【図１０】
2009519804.tif 000012
【図１１】
2009519804.tif 000013
【図１２】
2009519804.tif 000014
【図１３】
2009519804.tif 000015
【図１４】
2009519804.tif 000016
【図１５】
2009519804.tif 000017
【図１６】
2009519804.tif 000018
【図１７】
2009519804.tif 000019
【図１８】
2009519804.tif 000020
【図１９】
2009519804.tif 000021
【図２０】
2009519804.tif 000022
【図２１】
2009519804.tif 000023
【図２２】
2009519804.tif 000024
【図２３】
2009519804.tif 000025
【図２４】
2009519804.tif 000026
【図２５】
2009519804.tif 000027
【図２６】
2009519804.tif 000028
【図２７】
2009519804.tif 000029
【図２８】
2009519804.tif 000030
【図２９】
2009519804.tif 000031
【図３０】
2009519804.tif 000032
【図３１】
2009519804.tif 000033
【図３２】
2009519804.tif 000034
【図３３】
2009519804.tif 000035
【図３４】
2009519804.tif 000036
【図３５】
2009519804.tif 000037
【図３６】
2009519804.tif 000038
【図３７】
2009519804.tif 000039
【図３８】
2009519804.tif 000040
【図３９】
2009519804.tif 000041
【図４０】
2009519804.tif 000042
【図４１】
2009519804.tif 000043
【図４２】
2009519804.tif 000044
【図４３】
2009519804.tif 000045
【図４４】
2009519804.tif 000046
【図４５】
2009519804.tif 000047
【図４６】
2009519804.tif 000048
【図４７】
2009519804.tif 000049
【図４８】
2009519804.tif 000050
【図４９】
2009519804.tif 000051
【図５０】
2009519804.tif 000052
【図５１】
2009519804.tif 000053
【図５２】
2009519804.tif 000054
【図５３】
2009519804.tif 000055
【図５４】
2009519804.tif 000056
【図５５】
2009519804.tif 000057
【図５６】
2009519804.tif 000058
【図５７】
2009519804.tif 000059
【図５８】
2009519804.tif 000060
【図５９】
2009519804.tif 000061
【図６０】
2009519804.tif 000062
【図６１】
2009519804.tif 000063
【図６２】
2009519804.tif 000064
【図６３】
2009519804.tif 000065
【図６４】
2009519804.tif 000066
【図６５】
2009519804.tif 000067
【図６６】
2009519804.tif 000068
【図６７】
2009519804.tif 000069
【図６８】
2009519804.tif 000070
【図６９】
2009519804.tif 000071
【図７０】
2009519804.tif 000072
【図７１】
2009519804.tif 000073
【図７２】
2009519804.tif 000074
【図７３】
2009519804.tif 000075
【図７４】
2009519804.tif 000076
【図７５】
2009519804.tif 000077
【図７６】
2009519804.tif 000078
【図７７】
2009519804.tif 000079
【図７８】
2009519804.tif 000080
【図７９】
2009519804.tif 000081
【図８０】
2009519804.tif 000082
【図８１】
2009519804.tif 000083
【図８２】
2009519804.tif 000084
【図８３】
2009519804.tif 000085
【図８４】
2009519804.tif 000086
【図８５】
2009519804.tif 000087
【図８６】
2009519804.tif 000088
【図８７】
2009519804.tif 000089
【図８８】
2009519804.tif 000090
【図８９】
2009519804.tif 000091
【図９０】
2009519804.tif 000092
【図９１】
2009519804.tif 000093
【図９２】
2009519804.tif 000094
【図９３】
2009519804.tif 000095
【図９４】
2009519804.tif 000096
【図９５】
2009519804.tif 000097
【図９６】
2009519804.tif 000098
【図９７】
2009519804.tif 000099
【図９８】
2009519804.tif 000100
【図９９】
2009519804.tif 000101
【図１００】
2009519804.tif 000102
【図１０１】
2009519804.tif 000103
【図１０２】
2009519804.tif 000104
【図１０３】
2009519804.tif 000105
【図１０４】
2009519804.tif 000106
【図１０５】
2009519804.tif 000107
【図１０６】
2009519804.tif 000108
【図１０７】
2009519804.tif 000109
【図１０８】
2009519804.tif 000110
【図１０９】
2009519804.tif 000111
【図１１０】
2009519804.tif 000112
【図１１１】
2009519804.tif 000113
【図１１２】
2009519804.tif 000114
【図１１３】
2009519804.tif 000115
【図１１４】
2009519804.tif 000116
【図１１５】
2009519804.tif 000117
【図１１６】
2009519804.tif 000118
【図１１７】
2009519804.tif 000119
【図１１８】
2009519804.tif 000120
【図１１９】
2009519804.tif 000121
【図１２０】
2009519804.tif 000122
【図１２１】
2009519804.tif 000123
【図１２２】
2009519804.tif 000124
【図１２３】
2009519804.tif 000125
【図１２４】
2009519804.tif 000126
【図１２５】
2009519804.tif 000127
【図１２６】
2009519804.tif 000128
【図１２７】
2009519804.tif 000129
【図１２８】
2009519804.tif 000130
【図１２９】
2009519804.tif 000131
【図１３０】
2009519804.tif 000132
【図１３１】
2009519804.tif 000133
【図１３２】
2009519804.tif 000134
【図１３３】
2009519804.tif 000135
【図１３４】
2009519804.tif 000136
【図１３５】
2009519804.tif 000137
【図１３６】
2009519804.tif 000138
【図１３７】
2009519804.tif 000139
【図１３８】
2009519804.tif 000140
【図１３９】
2009519804.tif 000141
【図１４０】
2009519804.tif 000142
【図１４１】
2009519804.tif 000143
【図１４２】
2009519804.tif 000144
【図１４３】
2009519804.tif 000145
【図１４４】
2009519804.tif 000146
【図１４５】
2009519804.tif 000147
【図１４６】
2009519804.tif 000148
【図１４７】
2009519804.tif 000149
【図１４８】
2009519804.tif 000150
【図１４９】
2009519804.tif 000151
【図１５０】
2009519804.tif 000152
【図１５１】
2009519804.tif 000153
【図１５２】
2009519804.tif 000154
【図１５３】
2009519804.tif 000155
【図１５４】
2009519804.tif 000156
【図１５５】
2009519804.tif 000157
【図１５６】
2009519804.tif 000158
【図１５７】
2009519804.tif 000159
【図１５８】
2009519804.tif 000160
【図１５９】
2009519804.tif 000161
【図１６０】
2009519804.tif 000162
【図１６１】
2009519804.tif 000163
【図１６２】
2009519804.tif 000164
【図１６３】
2009519804.tif 000165
【図１６４】
2009519804.tif 000166
【図１６５】
2009519804.tif 000167
【図１６６】
2009519804.tif 000168
【図１６７】
2009519804.tif 000169
【図１６８】
2009519804.tif 000170
【図１６９】
2009519804.tif 000171
【図１７０】
2009519804.tif 000172
【図１７１】
2009519804.tif 000173
【図１７２】
2009519804.tif 000174
【図１７３】
2009519804.tif 000175
【図１７４】
2009519804.tif 000176
【図１７５】
2009519804.tif 000177
【図１７６】
2009519804.tif 000178
【図１７７】
2009519804.tif 000179
【図１７８】
2009519804.tif 000180
【図１７９】
2009519804.tif 000181
【図１８０】
2009519804.tif 000182
【図１８１】
2009519804.tif 000183
【図１８２】
2009519804.tif 000184
【図１８３】
2009519804.tif 000185
【図１８４】
2009519804.tif 000186
【図１８５】
2009519804.tif 000187
【図１８６】
2009519804.tif 000188
【図１８７】
2009519804.tif 000189
【図１８８】
2009519804.tif 000190
【図１８９】
2009519804.tif 000191
【図１９０】
2009519804.tif 000192
【図１９１】
2009519804.tif 000193
【図１９２】
2009519804.tif 000194
【図１９３】
2009519804.tif 000195
【図１９４】
2009519804.tif 000196
【図１９５】
2009519804.tif 000197
【図１９６】
2009519804.tif 000198
【図１９７】
2009519804.tif 000199
【図１９８】
2009519804.tif 000200
【図１９９】
2009519804.tif 000201
【図２００】
2009519804.tif 000202
【図２０１】
2009519804.tif 000203
【図２０２】
2009519804.tif 000204
【図２０３】
2009519804.tif 000205
【図２０４】
2009519804.tif 000206
【図２０５】
2009519804.tif 000207
【図２０６】
2009519804.tif 000208
【図２０７】
2009519804.tif 000209
【図２０８】
2009519804.tif 000210
【図２０９】
2009519804.tif 000211
【図２１０】
2009519804.tif 000212
【図２１１】
2009519804.tif 000213
【図２１２】
2009519804.tif 000214
【図２１３】
2009519804.tif 000215
【図２１４】
2009519804.tif 000216
【図２１５】
2009519804.tif 000217
【図２１６】
2009519804.tif 000218
【図２１７】
2009519804.tif 000219
【図２１８】
2009519804.tif 000220
【図２１９】
2009519804.tif 000221
【図２２０】
2009519804.tif 000222
【図２２１】
2009519804.tif 000223
【図２２２】
2009519804.tif 000224
【図２２３】
2009519804.tif 000225
【図２２４】
2009519804.tif 000226
【図２２５】
2009519804.tif 000227
【図２２６】
2009519804.tif 000228
【図２２７】
2009519804.tif 000229
【図２２８】
2009519804.tif 000230
【図２２９】
2009519804.tif 000231
【図２３０】
2009519804.tif 000232
【図２３１】
2009519804.tif 000233
【図２３２】
2009519804.tif 000234
【図２３３】
2009519804.tif 000235
【図２３４】
2009519804.tif 000236
【図２３５】
2009519804.tif 000237
【図２３６】
2009519804.tif 000238
【図２３７】
2009519804.tif 000239
【図２３８】
2009519804.tif 000240
【図２３９】
2009519804.tif 000241
【図２４０】
2009519804.tif 000242
【図２４１】
2009519804.tif 000243
【図２４２】
2009519804.tif 000244
【図２４３】
2009519804.tif 000245
【図２４４】
2009519804.tif 000246
【図２４５】
2009519804.tif 000247
【図２４６】
2009519804.tif 000248
【図２４７】
2009519804.tif 000249
【図２４８】
2009519804.tif 000250
【図２４９】
2009519804.tif 000251
【図２５０】
2009519804.tif 000252
【図２５１】
2009519804.tif 000253
【図２５２】
2009519804.tif 000254
【図２５３】
2009519804.tif 000255
【図２５４】
2009519804.tif 000256
【図２５５】
2009519804.tif 000257
【図２５６】
2009519804.tif 000258
【図２５７】
2009519804.tif 000259
【図２５８】
2009519804.tif 000260
【図２５９】
2009519804.tif 000261
【図２６０】
2009519804.tif 000262
【図２６１】
2009519804.tif 000263
【図２６２】
2009519804.tif 000264
【図２６３】
2009519804.tif 000265
【図２６４】
2009519804.tif 000266
【図２６５】
2009519804.tif 000267
【図２６６】
2009519804.tif 000268
【図２６７】
2009519804.tif 000269
【図２６８】
2009519804.tif 000270
【図２６９】
2009519804.tif 000271
【図２７０】
2009519804.tif 000272
【図２７１】
2009519804.tif 000273
【図２７２】
2009519804.tif 000274
【図２７３】
2009519804.tif 000275
【図２７４】
2009519804.tif 000276
【図２７５】
2009519804.tif 000277
【図２７６】
2009519804.tif 000278
【図２７７】
2009519804.tif 000279
【図２７８】
2009519804.tif 000280
【図２７９】
2009519804.tif 000281
【図２８０】
2009519804.tif 000282
【図２８１】
2009519804.tif 000283
【図２８２】
2009519804.tif 000284
【図２８３】
2009519804.tif 000285
【国際調査報告】
2009519804.tif 000286
2009519804.tif 000287
2009519804.tif 000288
2009519804.tif 000289